(57)【要約】      （修正有）【課題】トランジスタのしきい値電圧のばらつきに起因する電流値のばらつきを抑制することを課題とする。また、ビデオ信号によって指定された輝度からのずれが少なくかつデューティー比が高い表示装置を提供することを課題とする。【解決手段】負荷と、前記負荷に供給する電流値を制御するトランジスタ１１０と、保持容量１１５と、第１のスイッチ乃至第４のスイッチとを含む画素を有し、前記保持容量１１５に前記トランジスタ１１０のしきい値電圧を保持させた後ビデオ信号に応じた電位を画素に入力し、前記しきい値電圧に前記電位を加算した電圧を保持させることで、トランジスタ１１０のしきい値電圧のばらつきに起因した電流値のばらつきを抑制することができる。そのため、発光素子１１６をはじめとする負荷に所望の電流を供給することができる。また、電源線１２２の電位を変動させることでデューティー比が高い表示装置を提供することができる。【選択図】図７
2020013147.tif 000002
【特許請求の範囲】
【請求項１】
第１のトランジスタと、
第２のトランジスタと、
第３のトランジスタと、
容量素子と、
発光素子と、
電源線と、
走査線と、
信号線と、を有し、
前記第１のトランジスタのソース又はドレインの一方は、前記第２のトランジスタのソース又はドレインの一方と電気的に接続され、
前記第１のトランジスタのソース又はドレインの一方は、前記容量素子の第１の電極と電気的に接続され、
前記第１のトランジスタのソース又はドレインの一方は、前記発光素子の画素電極と電気的に接続され、
前記第１のトランジスタのゲートは、前記第３のトランジスタのソース又はドレインの一方と電気的に接続され、
前記第１のトランジスタのゲートは、前記容量素子の第２の電極と電気的に接続され、
前記第１のトランジスタのソース又はドレインの他方は、前記電源線と電気的に接続され、
前記第３のトランジスタのゲートは、前記走査線と電気的に接続され、
前記信号線は、前記第３のトランジスタのソース又はドレインの他方と電気的に接続され、
前記第１のトランジスタのチャネルは、酸化物半導体層に形成され、
前記酸化物半導体層は、ＩｎとＺｎとＧａとを有する半導体装置。
【発明の詳細な説明】
【技術分野】
【０００１】
本発明は負荷に供給する電流をトランジスタで制御する機能を設けた半導体装置に係り
、信号によって輝度が変化する電流駆動型表示素子で形成された画素や、その画素を駆動
させる信号線駆動回路や走査線駆動回路を含む表示装置に関する。また、その駆動方法に
関する。また、その表示装置を表示部に有する電子機器に関する。
【背景技術】
【０００２】
近年、画素をエレクトロルミネッセンス（ＥＬ：Ｅｌｅｃｔｒｏ  Ｌｕｍｉｎｅｓｃｅ
ｎｃｅ）などの発光素子を用いた自発光型の表示装置、いわゆる発光装置が注目を浴びて
いる。このような自発光型の表示装置に用いられる発光素子としては、有機発光ダイオー
ド（ＯＬＥＤ（Ｏｒｇａｎｉｃ  Ｌｉｇｈｔ  Ｅｍｉｔｔｉｎｇ  Ｄｉｏｄｅ））、ＥＬ
素子が注目を集めており、ＥＬディスプレイなどに用いられるようになってきている。こ
れらの発光素子は自ら発光するため、液晶ディスプレイに比べて画素の視認性が高く、バ
ックライトが不要である。また、応答速度が速い等の利点がある。なお、発光素子の輝度
は、そこを流れる電流値によって制御されるものが多い。
【０００３】
また、発光素子の発光を制御するトランジスタが画素ごとに設けられたアクティブマト
リクス型表示装置の開発が進められている。アクティブマトリクス型表示装置は、パッシ
ブマトリクス型表示装置では困難な高精細、大画面の表示を可能とするだけでなく、パッ
シブマトリクス型表示装置を上回る低い消費電力で動作するため実用化が期待されている
。
【０００４】
従来のアクティブマトリクス型表示装置の画素の構成を図５０に示す（特許文献１）。
図５０に示した画素は、薄膜トランジスタ（Ｔｈｉｎ  Ｆｉｌｍ  Ｔｒａｎｓｉｓｔｏｒ
：ＴＦＴ）１１、ＴＦＴ１２、容量素子１３、発光素子１４を有し、信号線１５及び走査
線１６に接続されている。なお、ＴＦＴ１２のソース電極もしくはドレイン電極のいずれ
か一方及び容量素子１３の一方の電極には電源電位Ｖｄｄが供給され、発光素子１４の対
向電極にはグランド電位が供給されている。
【０００５】
このとき、発光素子に供給する電流値を制御するＴＦＴ１２、即ち駆動用ＴＦＴの半導
体層にアモルファスシリコンを用いた場合、劣化等によりしきい値電圧（Ｖｔｈ）に変動
が生じる。この場合、異なる画素に信号線１５から同じ電位を印加したにもかかわらず、
発光素子１４に流れる電流は画素ごとに異なり、表示される輝度が画素によって不均一と
なる。なお、駆動用ＴＦＴの半導体層にポリシリコンを用いた場合においても、トランジ
スタの特性が劣化したり、ばらついたりする。
【０００６】
この問題を改善すべく、特許文献２において図５１の画素を用いた動作方法が提案され
ている。図５１に示した画素は、トランジスタ２１、発光素子２４に供給する電流値を制
御する駆動用トランジスタ２２、容量素子２３、発光素子２４を有し、画素は信号線２５
、走査線２６に接続されている。なお、駆動用トランジスタ２２はＮＭＯＳトランジスタ
であり、駆動用トランジスタ２２のソース電極もしくはドレイン電極のいずれか一方には
グランド電位が供給され、発光素子２４の対向電極にはＶｃａが供給される。
【０００７】
この画素の動作におけるタイミングチャートを図５２に示す。図５２において、１フレ
ーム期間は、初期化期間３１、しきい値電圧（Ｖｔｈ）書き込み期間３２、データ書き込
み期間３３及び発光期間３４に分割される。なお、１フレーム期間とは１画面分の画像を
表示する期間に相当し、初期化期間、しきい値電圧（Ｖｔｈ）書き込み期間及びデータ書
き込み期間をまとめてアドレス期間と呼ぶ。
【０００８】
まず、しきい値電圧書き込み期間３２において、駆動用トランジスタ２２のしきい値電
圧が容量素子に書き込まれる。その後、データ書き込み期間３３において、画素の輝度を
示すデータ電圧（Ｖｄａｔａ）が容量素子に書き込まれ、Ｖｄａｔａ＋Ｖｔｈが容量素子
に蓄積される。そして、発光期間において駆動用トランジスタ２２はオンとなり、Ｖｃａ
を変化させることでデータ電圧によって指定された輝度で発光素子２４が発光する。この
ような動作により、駆動用トランジスタのしきい値電圧の変動による輝度のばらつきを低
減している。
【０００９】
特許文献３においても、駆動用ＴＦＴのしきい値電圧にデータ電位を加えた電圧がゲー
ト・ソース間電圧となり、ＴＦＴのしきい値電圧が変動した場合であっても流れる電流は
変化しないことが開示されている。
【先行技術文献】
【特許文献】
【００１０】
【特許文献１】特開平８−２３４６８３号公報
【特許文献２】特開２００４−２９５１３１号公報
【特許文献３】特開２００４−２８００５９号公報
【発明の概要】
【発明が解決しようとする課題】
【００１１】
上述のように表示装置では、駆動用ＴＦＴのしきい値電圧のばらつきに起因する電流値の
ばらつきを抑制することが求められていた。
【００１２】
特許文献２及び３に記載されている動作方法はいずれの場合においても、Ｖｃａの電位を
１フレーム期間当たりに数度と変化させることで上述した初期化、しきい値電圧の書き込
み、発光を行っていた。これらの画素において、Ｖｃａが供給されている発光素子の一方
の電極、即ち対向電極は画素領域全体に形成されているため、初期化及びしきい値電圧の
書き込み以外にデータの書き込み動作を行っている画素がたとえ一つでもあると発光素子
を発光させることができない。よって、図５３に示すように、１フレーム期間における発
光期間の割合（即ち、デューティー比）が小さくなってしまう。
【００１３】
デューティー比が低いと発光素子や駆動用トランジスタに流す電流値を大きくする必要
があるため、発光素子にかかる電圧が大きくなり消費電力が大きくなる。また、発光素子
や駆動用トランジスタが劣化しやすくなるため、画面の焼きつきが生じたり、劣化前と同
等の輝度を得るにはさらに大きな電力を要することになる。
【００１４】
また、対向電極は全画素接続されているため、発光素子は容量の大きい素子として機能
する。よって、対向電極の電位を変えるためには、高い消費電力が必要となる。
【００１５】
上記問題を鑑み、本発明は、消費電力が低く、明るい表示装置を提供することを課題と
する。また、データ電位によって指定された輝度からのずれが少ない画素構成、半導体装
置、及び表示装置を得ることを課題とする。なお、発光素子を有する表示装置のみが対象
となるわけではなく、本発明はトランジスタのしきい値電圧のばらつきに起因する電流値
のばらつきを抑制することを課題とする。
【課題を解決するための手段】
【００１６】
本発明に係る表示装置は、電流で制御される負荷（発光素子等の表示媒体）に流す電流
を制御するトランジスタのゲートとソース間に、該トランジスタのしきい値電圧に相当す
る電位と、該トランジスタに入力させるビデオ信号に応じた電位とを加算した電位を保持
することを可能とした容量部を設けた画素構成を備えている。当該容量部に該トランジス
タのしきい値電圧に相当する電位とビデオ信号に応じた電位とを加算した電位を保持する
ことで、電流制御用のトランジスタの特性ばらつきに起因した電流の変動、すなわち画質
の乱れを抑制することができる。なお、電流の供給は、前記トランジスタのドレインの電
位を変動させて行う。
【００１７】
また、ビデオ信号に応じた電位を入力する際（書き込み期間）には、前記トランジスタを
非導通状態とするもしくは電流経路を絶つことで、前記トランジスタから供給される電流
による容量素子の電圧の変動を抑制することができる。
【００１８】
本発明に係る表示装置は、電流を制御するトランジスタと、該トランジスタにより制御
された電流が供給される負荷を有するが、当該負荷はエレクトロルミネセンス素子（有機
ＥＬ素子、無機ＥＬ素子又は有機物及び無機物を含むＥＬ素子）に代表される発光素子に
限定されず、電流が流れることにより明るさ、色調、偏光などが変化する表示媒体を適用
することができる。
【００１９】
本発明の一は、トランジスタと、第１のスイッチと、第２のスイッチと、第３のスイッ
チを含む画素を有し、前記トランジスタのソース電極及びドレイン電極の一方は画素電極
に電気的に接続され、前記トランジスタのソース電極及びドレイン電極の一方は前記第２
のスイッチを介して第１の配線に電気的に接続され、前記トランジスタのソース電極及び
ドレイン電極の他方は前記第３のスイッチを介して第２の配線に電気的に接続され、前記
トランジスタのゲート電極は前記第１のスイッチを介して前記第２の配線に電気的に接続
され、当該ゲート電極には、階調に従った信号を入力することを特徴とする半導体装置で
ある。
【００２０】
本発明の一は、トランジスタと、保持容量と、第１のスイッチと、第２のスイッチと、
第３のスイッチと、第４のスイッチとを有し、前記トランジスタのソース電極及びドレイ
ン電極の一方は画素電極と電気的に接続され、前記トランジスタのソース電極及びドレイ
ン電極の一方は前記第３のスイッチを介して第２の配線と電気的に接続され、前記トラン
ジスタのソース電極及びドレイン電極の他方は第１の配線に電気的に接続され、前記トラ
ンジスタのゲート電極は前記第４のスイッチ及び前記第２のスイッチを介して前記第１の
配線と電気的に接続され、前記トランジスタのゲート電極は前記第４のスイッチ及び前記
第１のスイッチを介して第３の配線と電気的に接続され、前記トランジスタのゲート電極
は前記第４のスイッチ及び前記保持容量を介して前記トランジスタのソース電極及びドレ
イン電極の一方と電気的に接続されていることを特徴とする半導体装置である。
【００２１】
本発明の一は、トランジスタと、保持容量と、第１のスイッチと、第２のスイッチと、
第３のスイッチと、第４のスイッチとを有し、前記トランジスタのソース電極及びドレイ
ン電極の一方は画素電極と電気的に接続され、前記トランジスタのソース電極及びドレイ
ン電極の一方は前記第３のスイッチを介して第２の配線と電気的に接続され、前記トラン
ジスタのソース電極及びドレイン電極の他方は第１の配線に電気的に接続され、前記トラ
ンジスタのゲート電極は前記第２のスイッチを介して前記第１の配線と電気的に接続され
、前記トランジスタのゲート電極は前記第４のスイッチ及び前記第１のスイッチを介して
第３の配線と電気的に接続され、前記トランジスタのゲート電極は前記第４のスイッチ及
び前記保持容量を介して前記トランジスタのソース電極及びドレイン電極の一方と電気的
に接続されていることを特徴とする半導体装置である。
【００２２】
本発明の一は、トランジスタと、保持容量と、第１のスイッチと、第２のスイッチと、
第３のスイッチと、第４のスイッチとを有し、前記トランジスタのソース電極及びドレイ
ン電極の一方は画素電極と電気的に接続され、前記トランジスタのソース電極及びドレイ
ン電極の一方は前記第３のスイッチを介して第２の配線と電気的に接続され、前記トラン
ジスタのソース電極及びドレイン電極の他方は前記第４のスイッチを介して第１の配線に
電気的に接続され、前記トランジスタのゲート電極は前記第２のスイッチを介して前記第
１の配線と電気的に接続され、前記トランジスタのゲート電極は前記第１のスイッチを介
して第３の配線と電気的に接続され、前記トランジスタのゲート電極は前記保持容量を介
して前記トランジスタのソース電極及びドレイン電極の一方と電気的に接続されているこ
とを特徴とする半導体装置である。
【００２３】
本発明の一は、トランジスタと、保持容量と、第１のスイッチと、第２のスイッチと、
第３のスイッチと、第４のスイッチとを有し、前記トランジスタのソース電極及びドレイ
ン電極の一方は前記第４のスイッチを介して画素電極と電気的に接続され、前記トランジ
スタのソース電極及びドレイン電極の一方は前記第４のスイッチ及び前記第３のスイッチ
を介して第２の配線と電気的に接続され、前記トランジスタのソース電極及びドレイン電
極の他方は第１の配線に電気的に接続され、前記トランジスタのゲート電極は前記第２の
スイッチを介して前記第１の配線と電気的に接続され、前記トランジスタのゲート電極は
前記第１のスイッチを介して第３の配線と電気的に接続され、前記トランジスタの前記ゲ
ート電極は前記保持容量及び前記第４のスイッチを介して前記トランジスタのソース電極
及びドレイン電極の一方と電気的に接続されていることを特徴とする半導体装置である。
【００２４】
前記第２の配線は、前記第３のスイッチを制御する配線と同一であってもよい。
【００２５】
前記第２の配線は前行もしくは次行の第１乃至第４のスイッチを制御する走査線のいず
れか一であってもよい。
【００２６】
前記トランジスタは、Ｎチャネル型トランジスタであってもよい。また、前記トランジ
スタの半導体層は、非結晶性半導体膜からなることを特徴としてもよい。さらに、前記ト
ランジスタの半導体層は、アモルファスシリコンからなることを特徴としてもよい。
【００２７】
また、前記トランジスタの半導体層は、結晶性半導体膜からなることを特徴としてもよ
い。
【００２８】
上記発明において、前記第１の配線に入力される電位はＶ１もしくはＶ２の二値であり
、前記第１のスイッチ乃至前記第３のスイッチが非導通状態であり、なおかつ前記第４の
スイッチが導通状態であるときのみＶ２の値をとり、Ｖ１は前記第２の配線に入力される
電位よりも高い電位であり、その差分は前記トランジスタのしきい値電圧分より大きく、
Ｖ２はＶ１より高い値であることを特徴としてもよい。
【００２９】
また、前記トランジスタは、Ｐチャネル型トランジスタであってもよい。その場合、上
記発明において、前記第１の配線に入力される電位はＶ１もしくはＶ２の二値をとり、前
記第１のスイッチ乃至前記第３のスイッチが非導通状態であり、なおかつ前記第４のスイ
ッチが導通状態のときのみＶ２の値であり、Ｖ１は前記第２の配線に入力される電位より
も低い電位であり、その差分は前記トランジスタのしきい値電圧の絶対値分より大きく、
Ｖ２はＶ１より低い値であることを特徴としてもよい。
【００３０】
本発明の一は、ソース電極及びドレイン電極の一方が第１の配線に電気的に接続され、
ソース電極及びドレイン電極の他方が第２の配線に電気的に接続されるトランジスタと、
前記トランジスタのゲートソース間電圧を保持する保持容量と、前記第１の配線に入力さ
れる第１の電位を前記保持容量の一方の電極に印加し、なおかつ前記第２の配線に入力さ
れる第２の電位を前記保持容量の他方の電極に印加することにより、前記保持容量に第１
の電圧を保持させる手段と、前記保持容量の電圧を第２の電圧まで放電させる手段と、前
記第１の電位に第３の電圧を加算した電位を前記保持容量の一方の電極に印加し、前記第
２の電圧と第４の電圧とを加算した第５の電圧を前記保持容量に保持させる手段と、前記
第１の配線に前記第１の電位とは異なる第３の電位を入力することにより前記トランジス
タに設定された電流を負荷に供給する手段とを有することを特徴とする半導体装置である
。
【００３１】
本発明の一は、ソース電極及びドレイン電極の一方が第１の配線に電気的に接続され、
ソース電極及びドレイン電極の他方が第２の配線に電気的に接続されるトランジスタと、
前記トランジスタのゲートソース間電圧を保持する保持容量と、前記第１の配線に入力さ
れる第１の電位を前記保持容量の一方の電極に印加し、なおかつ前記第２の配線に入力さ
れる第２の電位を前記保持容量の他方の電極に印加することにより、前記保持容量に第１
の電圧を保持させる手段と、前記保持容量の電圧を前記トランジスタのしきい値電圧まで
放電させる手段と、前記第１の電位に第２の電圧を加算した電位を前記保持容量の一方の
電極に印加し、前記トランジスタのしきい値電圧と第３の電圧とを加算した第４の電圧を
前記保持容量に保持させる手段と、前記第１の配線に前記第１の電位とは異なる第３の電
位を入力することにより前記トランジスタに設定された電流を負荷に供給する手段とを有
することを特徴とする半導体装置である。
【００３２】
前記トランジスタは、Ｎチャネル型トランジスタであってもよい。また、前記トランジ
スタの半導体層は、非結晶性半導体膜からなることを特徴としてもよい。さらに、前記ト
ランジスタの半導体層は、アモルファスシリコンからなることを特徴としてもよい。
【００３３】
また、前記トランジスタの半導体層は、結晶性半導体膜からなることを特徴としてもよ
い。
【００３４】
上記発明において、前記第１の電位は前記第２の電位よりも高い電位であり、その差分
は前記トランジスタのしきい値電圧分より大きく、なおかつ前記第１の電位は前記第３の
電位より低い値であることを特徴としてもよい。
【００３５】
また、前記トランジスタは、Ｐチャネル型トランジスタであってもよい。この場合、前
記第１の電位は前記第２の電位よりも低い電位であり、その差分は前記トランジスタのし
きい値電圧の絶対値分より大きく、なおかつ前記第１の電位は前記第３の電位より高い値
であることを特徴としてもよい。
【００３６】
また、本発明の一は、上記に記載した半導体装置を有する表示装置である。また、前記
表示装置を表示部に有する電子機器である。
【００３７】
なお、明細書に示すスイッチは、様々な形態のものを用いることができ、一例として、
電気的スイッチや機械的なスイッチなどがある。つまり、電流の流れを制御できるもので
あればよく、特に限定されない。例えば、トランジスタでもよいし、ダイオード（ＰＮダ
イオード、ＰＩＮダイオード、ショットキーダイオード、ダイオード接続のトランジスタ
など）でもよいし、それらを組み合わせた論理回路でもよい。スイッチとしてトランジス
タを用いる場合、そのトランジスタは単なるスイッチとして動作するため、トランジスタ
の極性（導電型）は特に限定されない。ただし、オフ電流が少ない方の極性のトランジス
タを用いることが望ましい。オフ電流が少ないトランジスタとしては、ＬＤＤ領域を設け
ているものやマルチゲート構造にしているものなどがある。また、スイッチとして動作さ
せるトランジスタのソース電極の電位が、低電位側電源（Ｖｓｓ、ＧＮＤ、０Ｖなど）に
近い状態で動作する場合はＮチャネル型を、反対にソース電極の電位が、高電位側電源（
Ｖｄｄなど）に近い状態で動作する場合はＰチャネル型を用いることが望ましい。なぜな
ら、ゲートソース間電圧の絶対値を大きくすることができるため、スイッチとして動作し
やすいからである。なお、Ｎチャネル型とＰチャネル型の両方を用いて、ＣＭＯＳ型のス
イッチにしてもよい。ＣＭＯＳ型のスイッチにすると、様々な入力電圧に対し出力電圧を
制御しやすいため、適切な動作を行うことができる。
【００３８】
なお、本発明において接続されているとは、電気的に接続されていることと同義である
。したがって、本発明が開示する構成において、所定の接続関係に加え、その間に電気的
な接続を可能とする他の素子（例えば、スイッチやトランジスタや容量素子やインダクタ
や抵抗素子やダイオードなど）が配置されていてもよい。もちろん、間に他の素子を介さ
ずに配置されていてもよく、電気的に接続されているとは直接的に接続されている場合を
含むものとする。
【００３９】
なお、負荷は上述したようにエレクトロルミネセンス素子に代表される発光素子に限定さ
れず、電流が流れることにより明るさ、色調、偏光などが変化する表示媒体を適用するこ
とができる。このような表示媒体として、例えば電子放出素子、液晶素子、電子インク、
グレーティングライトバルブ（ＧＬＶ）、プラズマディスプレイ（ＰＤＰ）、デジタルマ
イクロミラーデバイス（ＤＭＤ）など磁気的作用によりコントラストが変化する表示媒体
を適用することができる。また、電子放出素子にカーボンナノチューブを利用することも
可能である。なお、ＥＬ素子を用いた表示装置としてはＥＬディスプレイ、電子放出素子
を用いた表示装置としてはフィールドエミッションディスプレイ（ＦＥＤ）やＳＥＤ方式
平面型ディスプレイ（ＳＥＤ：Ｓｕｒｆａｃｅ−ｃｏｎｄｕｃｔｉｏｎ  Ｅｌｅｃｔｒｏ
ｎ−ｅｍｉｔｔｅｒ  Ｄｉｓｐｌｙ）などが挙げられる。また、液晶素子を用いた表示装
置としては液晶ディスプレイ、透過型液晶ディスプレイ、半透過型液晶ディスプレイや反
射型液晶ディスプレイが、電子インクを用いた表示装置としては電子ペーパーがある。
【００４０】
なお、トランジスタとは、ゲート電極と、ドレイン領域と、ソース領域とを含む少なく
とも三つの端子を有する素子であり、ドレイン領域とソース領域の間にチャネル形成領域
を有する。ここで、ソース領域とドレイン領域とは、トランジスタの構造や動作条件等に
よって変わるため、ソース領域またはドレイン領域の範囲を正確に限定することが困難で
ある。そこで、トランジスタの接続関係を説明する際には、ドレイン領域とソース領域の
２端子についてはこれらの領域に接続された電極の一方を第１の電極、他方を第２の電極
と表記し、説明に用いる。
【００４１】
本発明において、トランジスタは、様々な形態のトランジスタを適用させることができ
、種類に特に限定はない。したがって、非晶質シリコンや多結晶シリコンに代表される非
単結晶半導体膜を用いた薄膜トランジスタ（ＴＦＴ）、半導体基板やＳＯＩ基板を用いて
形成されるトランジスタ、ＭＯＳ型トランジスタ、接合型トランジスタ、バイポーラトラ
ンジスタ、ＺｎＯやａ−ＩｎＧａＺｎＯなどの化合物半導体を用いたトランジスタ、有機
半導体やカーボンナノチューブを用いたトランジスタ、その他のトランジスタを適用する
ことができる。また、トランジスタが配置されている基板の種類についても、様々なもの
を用いることができ、特定のものに限定されることはない。例えば、単結晶基板、ＳＯＩ
基板、ガラス基板、プラスチック基板、紙基板、セロファン基板、石英基板、石材基板、
ステンレス・スチル基板、ステンレス・スチル・ホイルを有する基板などに配置すること
ができる。また、ある基板でトランジスタを形成した後、別の基板にトランジスタを移動
させ、別の基板上にトランジスタを配置してもよい。
【００４２】
なお、上述したように、本発明におけるトランジスタは、どのようなタイプのトランジ
スタでもよいし、どのような基板上に形成されていてもよい。したがって、回路の全てガ
ラス基板上に形成されていてもよいし、プラスチック基板や単結晶基板に形成されていて
もよいし、ＳＯＩ基板上に形成されていてもよいし、どのような基板上に形成されていて
もよい。回路の全てが形成されていることにより、部品数を減らしてコストを低減したり
、回路部品との接続数を減らすことにより、信頼性を向上させたりすることができる。あ
るいは、回路の一部をある基板に形成し、回路の別の一部を別の基板に形成してもよい。
つまり、回路の全てが同じ基板上に形成されていなくてもよい。例えば、回路の一部は、
ガラス基板上にトランジスタを用いて形成し、回路の別の一部は、単結晶基板等の上に形
成したＩＣチップをＣＯＧ（Ｃｈｉｐ  Ｏｎ  Ｇｌａｓｓ）により接続してガラス基板上
に配置してもよい。あるいは、そのＩＣチップをＴＡＢ（Ｔａｐｅ  Ａｕｔｏｍａｔｅｄ
Ｂｏｎｄｉｎｇ）やプリント基板を用いてガラス基板と接続してもよい。このように、
回路の一部が同じ基板に形成されていることにより、部品数を減らしてコストを低減した
り、回路部品との接続点数を減らすことにより信頼性を向上させたりすることができる。
また、駆動電圧が高い部分や駆動周波数が高い部分は、消費電力が大きくなるため、その
ような部分は同じ基板に形成しないようにすれば、消費電力の向上を防ぐことができる。
【００４３】
なお、トランジスタの構成は、様々な形態をとることができ、特定の構成に限定されな
い。例えば、ゲート本数が２本以上になっているマルチゲート構造を用いてもよい。この
ような構造とすることにより、オフ電流を低減したり、トランジスタの耐圧を向上させて
信頼性を良くしたり、飽和領域で動作する際にドレイン・ソース間電圧の変化に伴うドレ
イン・ソース間に流れる電流の変化を少なくすることができる。また、チャネルの上下に
ゲート電極が配置されている構造でもよい。チャネルの上下にゲート電極が配置されてい
る構造にすることにより、チャネル領域が増えるため、電流値を大きくしたり、空乏層が
できやすくなってＳ値を小さくしたりすることができる。また、チャネルの上にゲート電
極が配置されている構造でもよいし、チャネルの下にゲート電極が配置されている構造で
もよいし、正スタガ構造であってもよいし、逆スタガ構造でもよいし、チャネル領域が複
数の領域に分かれていてもよいし、並列に接続されていてもよいし、直列に接続されてい
てもよい。また、チャネル（もしくはその一部）にソース電極やドレイン電極が重なって
いてもよい。チャネル（もしくはその一部）にソース電極やドレイン電極が重なっている
構造にすることにより、チャネルの一部に電荷がたまって、動作が不安定になることを防
ぐことができる。また、ＬＤＤ（Ｌｉｇｈｔｌｙ  Ｄｏｐｅｄ  Ｄｒａｉｎ）領域があっ
てもよい。ＬＤＤ領域を設けることにより、オフ電流を低減したり、トランジスタの耐圧
を向上させて信頼性を良くしたり、飽和領域で動作する時に、ドレイン・ソース間電圧が
変化しても、ドレイン・ソース間電流があまり変化しない特性とすることができる。
【００４４】
なお、本発明においては、一画素とは、明るさを制御できる要素一つ分を示すものとす
る。よって、一例としては、一画素とは一つの色要素を示すものとし、その色要素一つで
明るさを表現する。従って、Ｒ（赤）Ｇ（緑）Ｂ（青）の色要素からなるカラー表示装置
の場合には、画像の最小単位は、Ｒの画素とＧの画素とＢの画素との三画素から構成され
るものとする。なお、色要素は、三色に限定されず、それ以上でもよく、例えば、ＲＧＢ
Ｗ（Ｗは白）やＲＧＢにイエロー、シアン、マゼンダを追加したものなどがある。また、
別の例としては、１つの色要素について、複数の領域を用いて明るさを制御する場合は、
その領域一つ分を一画素とする。一例としては、面積階調を行う場合、一つの色要素につ
き明るさを制御する領域が複数あり、その全体で階調を表現するわけであるが、明るさを
制御する領域の一つ分を一画素とする。その場合は、一つの色要素は複数の画素で構成さ
れることとなる。また、その場合、画素によって、表示に寄与する領域の大きさが異なっ
ている場合がある。また、一つの色要素を構成する複数の画素において、各々に供給する
信号を僅かに異ならせるようにして、視野角を広げるようにしてもよい。
【００４５】
なお、本明細書において、半導体装置とは半導体素子（トランジスタやダイオードなど
）を含む回路を有する装置をいう。また、半導体特性を利用することで機能しうる装置全
般でもよい。また、表示装置とは、基板上に負荷を含む複数の画素やそれらの画素を駆動
させる周辺駆動回路が形成された表示パネル本体だけではなく、それにフレキシブルプリ
ントサーキット（ＦＰＣ）やプリント配線基盤（ＰＷＢ）が取り付けられたものも含む。
【００４６】
なお、本発明において、ある物の上に形成されている、あるいは〜上に形成されている
、というように、〜の上に、あるいは、〜上に、という記載については、ある物の上に直
接接していることに限定されない。直接接してはいない場合、つまり間に別のものが挟ま
っている場合も含むものとする。従って例えば、層Ａの上に（もしくは層Ａ上に）層Ｂが
形成されているという場合は、層Ａの上に直接接して層Ｂが形成されている場合と、層Ａ
の上に別の層（例えば層Ｃや層Ｄなど）が形成されており、その上に層Ｂが形成されてい
る場合とを含むものとする。また、〜の上方に、という記載についても同様であり、ある
物の上に直接接していることに限定されず、間に別のものが挟まっている場合も含むもの
とする。従って、例えば層Ａの上方に層Ｂが形成されている、という場合は、層Ａの上に
直接接して層Ｂが形成されている場合と、層Ａの上に別の層（例えば層Ｃや層Ｄなど）が
形成されおり、その上に層Ｂが形成されている場合とを含むものとする。なお、〜の下、
もしくは〜の下方にの場合についても、同様に直接接している場合と、接していない場合
とを含むこととする。
【発明の効果】
【００４７】
本発明により、トランジスタのしきい値電圧のばらつきに起因する電流値のばらつきを
抑制することができる。そのため、発光素子をはじめとする負荷に所望の電流を供給する
ことができる。特に、負荷として発光素子を用いる場合、輝度のばらつきが少なく１フレ
ーム期間における発光期間の割合が高い表示装置を提供することができる。
【図面の簡単な説明】
【００４８】
【図１】実施の形態１に示す画素構成を説明する図。
【図２】図１で示した画素の動作を説明するタイミングチャート。
【図３】図１で示した画素の動作を説明する図。
【図４】チャネル長変調による電圧−電流特性のモデル図。
【図５】実施の形態１に示す画素構成を説明する図。
【図６】実施の形態１に示す画素構成を説明する図。
【図７】実施の形態１に示す画素構成を説明する図。
【図８】実施の形態１に示す画素構成を説明する図。
【図９】実施の形態１に示す表示装置を説明する図。
【図１０】実施の形態１に示す表示装置の書き込み動作を説明する図。
【図１１】実施の形態２に示す画素構成を説明する図。
【図１２】実施の形態３に示す画素構成を説明する図。
【図１３】実施の形態３に示す画素構成を説明する図。
【図１４】実施の形態３に示す画素構成を説明する図。
【図１５】実施の形態３に示す画素構成を説明する図。
【図１６】実施の形態１に示す画素構成を説明する図。
【図１７】実施の形態７に示す画素の部分断面図。
【図１８】実施の形態７に示す発光素子を説明する図。
【図１９】実施の形態７に示す光の取り出し方向を説明する図。
【図２０】実施の形態７に示す画素の部分断面図。
【図２１】実施の形態７に示す画素の部分断面図。
【図２２】実施の形態７に示す画素の部分断面図。
【図２３】実施の形態７に示す画素の部分断面図。
【図２４】実施の形態７に示す画素の部分断面図。
【図２５】実施の形態９に示す表示装置を説明する図。
【図２６】実施の形態９に示す表示装置を説明する図。
【図２７】実施の形態９に示す表示装置を説明する図。
【図２８】実施の形態９に示す画素の部分断面図。
【図２９】実施の形態４に示す画素構成を説明する図。
【図３０】実施の形態４に示す画素構成を説明する図。
【図３１】実施の形態５に示す画素構成を説明する図。
【図３２】図３１で示した画素の動作を説明するタイミングチャート。
【図３３】本発明を適用可能な電子機器を説明する図。
【図３４】携帯電話機の構成例を示す図。
【図３５】ＥＬモジュールの例を示す図。
【図３６】ＥＬテレビ受像器の主要な構成を示すブロック図。
【図３７】実施の形態５に示す画素構成を説明する図。
【図３８】図５に示す画素の上面図。
【図３９】実施の形態６に示す画素構成を説明する図。
【図４０】図３９で示した画素の動作を説明するタイミングチャート。
【図４１】図３９で示した画素の動作を説明する図。
【図４２】実施の形態５に示す画素構成を説明する図。
【図４３】デジタル階調方式と時間階調方式とを組み合わせた駆動方式を説明する図。
【図４４】実施の形態１で示した画素の動作を示した図。
【図４５】実施の形態１に示す画素構成を説明する図。
【図４６】実施の形態８に示す発光素子を説明する図。
【図４７】実施の形態８に示す発光素子を説明する図。
【図４８】実施の形態１に示す画素構成を説明する図。
【図４９】実施の形態６に示す画素構成を説明する図。
【図５０】従来技術の画素構成を説明する図。
【図５１】従来技術の画素構成を説明する図。
【図５２】従来技術に示した画素を動作させるタイミングチャート。
【図５３】従来技術を用いた際の１フレーム期間における発光期間の割合を説明する図。
【発明を実施するための形態】
【００４９】
以下、本発明の一態様について説明する。但し、本発明は多くの異なる態様で実施する
ことが可能であり、本発明の趣旨及びその範囲から逸脱することなくその形態及び詳細を
様々に変更し得ることは当業者であれば容易に理解される。従って、本形態の記載内容に
限定して解釈されるものではない。なお、以下に説明する本発明の構成において、同じも
のを指す符号は異なる図面間で共通して用いる。
【００５０】
（実施の形態１）
本発明の画素の基本構成について、図１を用いて説明する。図１に示す画素は、トラン
ジスタ１１０、第１のスイッチ１１１、第２のスイッチ１１２、第３のスイッチ１１３、
第４のスイッチ１１４、容量素子１１５、発光素子１１６を有する。なお、画素は、信号
線１１７、第１の走査線１１８、第２の走査線１１９、第３の走査線１２０、第４の走査
線１２１、電源線１２２、及び電位供給線１２３に接続されている。本実施の形態におい
て、トランジスタ１１０はＮチャネル型トランジスタとし、そのゲート・ソース間電圧（
Ｖｇｓ）がしきい値電圧（Ｖｔｈ）を上回ったとき、導通状態になるものとする。また、
発光素子１１６には図４８に示すように画素電極４８１１から対向電極１２４に電流が流
れるＥＬ素子を用いた例について説明する。その際、発光素子１１６の画素電極４８１１
は陽極、対向電極１２４は陰極として機能する。なお、トランジスタのゲート・ソース間
電圧はＶｇｓ、ドレイン・ソース間電圧はＶｄｓ、しきい値電圧はＶｔｈ、容量素子に蓄
積された電圧はＶｃｓと記し、電源線１２２、電位供給線１２３及び信号線１１７を、そ
れぞれ第１の配線、第２の配線、第３の配線とも呼ぶ。また、第１の走査線１１８、第２
の走査線１１９、第３の走査線１２０及び第４の走査線１２１を、それぞれ第４の配線、
第５の配線、第６の配線、第７の配線と呼んでも良い。
【００５１】
トランジスタ１１０の第１の電極（ソース電極及びドレイン電極の一方）は、発光素子
１１６の画素電極に接続され、第２の電極（ソース電極及びドレイン電極の他方）は電源
線１２２に接続され、ゲート電極は第４のスイッチ１１４及び第２のスイッチ１１２を介
して電源線１２２と接続されている。なお、第４のスイッチ１１４は、トランジスタ１１
０のゲート電極と第２のスイッチ１１２の間に接続されている。また、第４のスイッチ１
１４と第２のスイッチ１１２との接続箇所をノード１３０とすると、ノード１３０は第１
のスイッチ１１１を介して信号線１１７と接続されている。また、トランジスタ１１０の
第１の電極は第３のスイッチ１１３を介して電位供給線１２３とも接続されている。
【００５２】
さらに、ノード１３０とトランジスタ１１０の第１の電極との間に容量素子１１５が接
続されている。つまり、容量素子１１５の第１の電極が第４のスイッチ１１４を介しトラ
ンジスタ１１０のゲート電極に、第２の電極がトランジスタ１１０の第１の電極に接続さ
れている。容量素子１１５は、配線、半導体層や電極によって絶縁膜を挟むことで形成し
ても良いし、場合によってはトランジスタ１１０のゲート容量を用いて省略することもで
きる。これらの電圧を保持する手段を保持容量と言う。また、ノード１３０と、第１のス
イッチ１１１と容量素子１１５の第１の電極とが接続されている配線との接続箇所をノー
ド１３１とし、トランジスタ１１０の第１の電極と、容量素子１１５の第２の電極と発光
素子１１６の画素電極とが接続されている配線との接続箇所をノード１３２とする。
【００５３】
なお、第１の走査線１１８、第２の走査線１１９、第３の走査線１２０、第４の走査線
１２１に信号を入力することにより、それぞれ第１のスイッチ１１１、第２のスイッチ１
１２、第３のスイッチ１１３、第４のスイッチ１１４のオンオフが制御される。
【００５４】
信号線１１７には、ビデオ信号に相当する画素の階調に従った信号、即ち輝度データに
応じた電位が入力される。
【００５５】
次に、図１で示した画素の動作について図２のタイミングチャート及び図３を用いて説
明する。なお、図２において１画面分の画像を表示する期間に相当する１フレーム期間は
、初期化期間、しきい値電圧書き込み期間、データ書き込み期間及び発光期間に分割され
る。また、初期化期間、しきい値電圧書き込み期間、データ書き込み期間をまとめてアド
レス期間と呼ぶ。１フレーム期間は特に限定はないが、画像をみる人がちらつき（フリッ
カ）を感じないように少なくとも１／６０秒以下とすることが好ましい。
【００５６】
なお、発光素子１１６の対向電極１２４にはＶ１の電位が、電位供給線１２３にはＶ１
−Ｖｔｈ−α（α：任意の正の数）の電位が入力される。また、電源線１２２には、アド
レス期間はＶ１、発光期間ではＶ２の電位が入力される。ただし、Ｖ２＞Ｖ１とする。す
なわち、初期化期間における電源線１２２及び電位供給線１２３の電位は、両者の電位差
がトランジスタ１１０がオンするような電圧にあれば良い。
【００５７】
ここでは動作を説明するために、発光素子１１６の対向電極１２４の電位は、アドレス
期間における電源線１２２の電位と同じであるとしたが、発光素子１１６が発光するため
に少なくとも必要とする電位差をＶＥＬとすると、対向電極１２４の電位はＶ１−Ｖｔｈ
−α―ＶＥＬの電位より高い値であれば良い。すなわち、アドレス期間においては、発光
素子１１６の両端の電位が発光素子１１６に電流が流れないような電位になっていれば良
い。また、発光期間における電源線１２２の電位Ｖ２は、対向電極１２４の電位に発光素
子１１６が発光するために少なくとも必要とする電位差（ＶＥＬ）を加算した値より大き
い値であれば良いが、説明上ここでは対向電極１２４の電位をＶ１としたため、Ｖ２はＶ
１＋ＶＥＬより大きい値であれば良いということになる。
【００５８】
まず、図２（Ａ）及び図３（Ａ）に示すように初期化期間では、第１のスイッチ１１１
をオフとし、第２のスイッチ１１２、第３のスイッチ１１３及び第４のスイッチ１１４を
オンとする。このとき、トランジスタ１１０の第１の電極はソース電極となり、その電位
は電位供給線１２３と等しくなるためＶ１−Ｖｔｈ−αとなる。一方、ゲート電極の電位
はＶ１となる。よって、トランジスタ１１０のゲート・ソース間電圧ＶｇｓはＶｔｈ＋α
となり、トランジスタ１１０は導通状態となる。そして、トランジスタ１１０のゲート電
極と第１の電極との間に設けられた容量素子１１５にＶｔｈ＋αが保持される。なお、第
４のスイッチ１１４をオンとした場合について説明したが、容量素子１１５にトランジス
タ１１０が導通状態なるような電圧を保持させることができれば良いので、第４のスイッ
チはオフとしても良い。ただし、次のしきい値電圧書き込み期間では第４のスイッチ１１
４はオンとしなければならない。
【００５９】
図２（Ｂ）及び図３（Ｂ）に示すしきい値電圧書き込み期間では、第３のスイッチ１１
３をオフとする。そのため、トランジスタ１１０の第１の電極即ちソース電極の電位は次
第に上昇しＶ１−Ｖｔｈとなったところ、つまりトランジスタ１１０のゲート・ソース間
電圧Ｖｇｓがしきい値電圧（Ｖｔｈ）となったところで、トランジスタ１１０は非導通状
態となる。よって、容量素子１１５に保持される電圧はおおむねＶｔｈとなる。
【００６０】
その後の図２（Ｃ）及び図３（Ｃ）に示すデータ書き込み期間においては、第２のスイ
ッチ１１２及び第４のスイッチ１１４をオフとした後、第１のスイッチ１１１をオンとし
、信号線１１７より輝度データに応じた電位（Ｖ１＋Ｖｄａｔａ）を入力する。この期間
に第４のスイッチ１１４をオフにすることにより、トランジスタ１１０を非導通状態に保
つことができる。そのため、データ書き込み時の電源線１２２から供給される電流による
、容量素子１１５の第２の電極における電位の変動を抑制することができる。よって、こ
のとき容量素子１１５に保持される電圧Ｖｃｓは、容量素子１１５及び発光素子１１６の
静電容量をそれぞれＣ１、Ｃ２とすると式（１）のように表すことができる。
【数１】
2020013147.tif 000003
【００６１】
ただし、発光素子１１６は容量素子１１５に比べ膜厚が薄いうえ電極面積が大きいため
、Ｃ２＞＞Ｃ１となる。よって、Ｃ２／（Ｃ１＋Ｃ２）≒１より容量素子１１５に保持さ
れる電圧Ｖｃｓは式（２）となる。なお、次の発光期間において発光素子１１６を非発光
としたい場合には、Ｖｄａｔａ≦０の電位を入力すれば良い。
【数２】
2020013147.tif 000004
【００６２】
次に、図２（Ｄ）及び図３（Ｄ）に示す発光期間では、第１のスイッチ１１１をオフと
し、電源線１２２の電位をＶ２とした後、第４のスイッチ１１４をオンとする。このとき
、トランジスタ１１０のゲート・ソース間電圧はＶｇｓ＝Ｖｔｈ＋Ｖｄａｔａとなり、ト
ランジスタ１１０が導通状態になる。よって、輝度データに応じた電流がトランジスタ１
１０及び発光素子１１６に流れ、発光素子１１６が発光する。
【００６３】
なお、発光素子１１６に流れる電流Ｉは、トランジスタ１１０を飽和領域で動作させた
場合、式（３）で表される。
【数３】
2020013147.tif 000005
【００６４】
また、トランジスタ１１０を線形領域で動作させた場合、発光素子に流れる電流Ｉは式
（４）で表される。
【数４】
2020013147.tif 000006
【００６５】
ここで、Ｗはトランジスタ１１０のチャネル幅、Ｌはチャネル長、μは移動度、Ｃｏｘ
は蓄積容量を指す。
【００６６】
式（３）及び式（４）より、トランジスタ１１０の動作領域が飽和領域、線形領域のい
ずれの場合においても、発光素子１１６に流れる電流は、トランジスタ１１０のしきい値
電圧（Ｖｔｈ）に依存しない。よって、トランジスタ１１０のしきい値電圧のばらつきに
起因した電流値のばらつきを抑制し、輝度データに対応した電流を発光素子１１６に供給
することができる。
【００６７】
以上のことから、トランジスタ１１０のしきい値電圧のばらつきに起因した輝度のばら
つきを抑制することができる。また、対向電極の電位を一定として動作させるため消費電
力を低くすることが可能となる。
【００６８】
さらに、トランジスタ１１０を飽和領域で動作させた場合においては、発光素子１１６
の劣化による輝度のばらつきも抑制できる。発光素子１１６が劣化すると、発光素子１１
６のＶＥＬは増大し、トランジスタ１１０の第１の電極、即ちソース電極の電位は上昇す
る。このとき、トランジスタ１１０のソース電極は容量素子１１５の第２の電極に、トラ
ンジスタ１１０のゲート電極は容量素子１１５の第１の電極に接続されており、なおかつ
ゲート電極側は浮遊状態となっている。そのため、ソース電位の上昇に伴い、同じ電位だ
けトランジスタ１１０のゲート電位も上昇する。よって、トランジスタ１１０のＶｇｓは
変化しないため、たとえ発光素子が劣化してもトランジスタ１１０及び発光素子１１６に
流れる電流に影響しない。なお、式（３）においても発光素子に流れる電流Ｉはソース電
位やドレイン電位に依存しないことがわかる。
【００６９】
よって、トランジスタ１１０を飽和領域で動作させた場合においては、トランジスタ１
１０のしきい値電圧のばらつき及び発光素子１１６の劣化に起因したトランジスタ１１０
に流れる電流のばらつきを抑制することができる。
【００７０】
なお、トランジスタ１１０を飽和領域で動作させた場合、チャネル長Ｌが短いほど、降
伏現象によりドレイン電圧を著しく増大させると電流が大量に流れやすい。
【００７１】
また、ドレイン電圧をピンチオフ電圧より増大させるとピンチオフ点がソース側に移動
し、実質チャネルとして機能する実効的なチャネル長は減少する。これにより、電流値が
増大する。この現象をチャネル長変調と呼ぶ。なお、ピンチオフ点とはチャネルが消滅し
ていきゲート下においてチャネルの厚さが０となる境界箇所であり、ピンチオフ電圧とは
ピンチオフ点がドレイン端となる時の電圧を指す。この現象も、チャネル長Ｌが短いほど
起こり易い。例えば、チャネル長変調による電圧−電流特性のモデル図を図４に示す。な
お、図４において、トランジスタのチャネル長Ｌは（ａ）＞（ｂ）＞（ｃ）である。
【００７２】
以上のことから、トランジスタ１１０を飽和領域で動作させる場合、ドレイン・ソース
間電圧Ｖｄｓに対する電流Ｉはより一定に近い方が好ましい。よって、トランジスタ１１
０のチャネル長Ｌは長い方がより好ましい。たとえば、トランジスタのチャネル長Ｌはチ
ャネル幅Ｗより大きい方が好ましい。また、チャネル長Ｌは１０μｍ以上５０μｍ以下、
より望ましくは１５μｍ以上４０μｍ以下が好ましい。ただし、チャネル長Ｌ及びチャネ
ル幅Ｗはこれに限定されない。
【００７３】
また、初期化期間において発光素子１１６に逆方向のバイアス電圧を印加しているため
、発光素子における短絡箇所を絶縁化したり、発光素子の劣化を抑制することができる。
よって、発光素子の寿命を延ばすことができる。
【００７４】
なお、トランジスタのしきい値電圧のばらつきに起因する電流値のばらつきを抑制する
ことができるため、そのトランジスタによって制御された電流の供給先は特に限定されな
い。そのため、図１に示した発光素子１１６は、ＥＬ素子（有機ＥＬ素子、無機ＥＬ素子
又は有機物及び無機物を含むＥＬ素子）、電子放出素子、液晶素子、電子インクなどを適
用することができる。
【００７５】
また、トランジスタ１１０は発光素子１１６に供給する電流値を制御する機能を有して
いれば良く、トランジスタの種類は特に限定されず、様々なものを用いることができる。
そのため、結晶性半導体膜を用いた薄膜トランジスタ（ＴＦＴ）、非晶質シリコンや多結
晶シリコンに代表される非単結晶半導体膜を用いた薄膜トランジスタ、半導体基板やＳＯ
Ｉ基板を用いて形成されるトランジスタ、ＭＯＳ型トランジスタ、接合型トランジスタ、
バイポーラトランジスタ、ＺｎＯやａ−ＩｎＧａＺｎＯなどの化合物半導体を用いたトラ
ンジスタ、有機半導体やカーボンナノチューブを用いたトランジスタ、その他のトランジ
スタを適用することができる。
【００７６】
第１のスイッチ１１１は画素の階調に従った信号を信号線１１７より画素に入力するタ
イミングを選択し、トランジスタ１１０のゲート電極に供給する信号を制御するものであ
り、第２のスイッチ１１２はトランジスタ１１０のゲート電極に所定の電位を与えるタイ
ミングを選択し、トランジスタ１１０のゲート電極に所定の電位を供給するか否かを制御
するものであり、第３のスイッチ１１３は容量素子１１５に書き込まれた電位を初期化す
るための所定の電位を与えるタイミングを選択したり、トランジスタ１１０の第１の電極
の電位を低くするものである。なお、第４のスイッチ１１４はデータ書き込み時における
容量素子１１５の第２の電極の電位の変動を抑制するものである。そのため、第１のスイ
ッチ１１１、第２のスイッチ１１２、第３のスイッチ１１３、第４のスイッチ１１４は、
上記機能を有していれば特に限定されない。たとえば、トランジスタやダイオードでもよ
いし、それらを組み合わせた論理回路でもよい。なお、第１乃至第３のスイッチは、上記
のタイミングで信号もしくは電位を画素に与えることができれば特に必要はない。
【００７７】
次に、図５に第１のスイッチ１１１、第２のスイッチ１１２、第３のスイッチ１１３、
第４のスイッチ１１４にＮチャネル型のトランジスタを適用した場合について示す。なお
、図１の構成と共通するところは共通の符号を用いてその説明を省略する。
【００７８】
第１のスイッチングトランジスタ５１１が図１における第１のスイッチ１１１に相当し
、第２のスイッチングトランジスタ５１２が第２のスイッチ１１２に相当し、第３のスイ
ッチングトランジスタ５１３が第３のスイッチ１１３に相当し、第４のスイッチングトラ
ンジスタ５１４が第４のスイッチ１１４に相当する。なお、トランジスタ１１０のチャネ
ル長は、第１のスイッチングトランジスタ５１１、第２のスイッチングトランジスタ５１
２、第３のスイッチングトランジスタ５１３及び第４のスイッチングトランジスタ５１４
のいずれのトランジスタのチャネル長より長い方が好ましい。
【００７９】
第１のスイッチングトランジスタ５１１はゲート電極が第１の走査線１１８に接続され
、第１の電極が信号線１１７に接続され、第２の電極がノード１３１に接続されている。
【００８０】
また、第２のスイッチングトランジスタ５１２はゲート電極が第２の走査線１１９に接
続され、第１の電極が電源線１２２に接続され、第２の電極がノード１３０に接続されて
いる。
【００８１】
第３のスイッチングトランジスタ５１３はゲート電極が第３の走査線１２０に接続され
、第１の電極がノード１３２に接続され、第２の電極が電位供給線１２３に接続されてい
る。
【００８２】
また、第４のスイッチングトランジスタ５１４はゲート電極が第４の走査線１２１に接
続され、第１の電極がトランジスタ１１０のゲート電極に接続され、第２の電極がノード
１３０に接続されている。
【００８３】
各々のスイッチングトランジスタは、それぞれの走査線に入力される信号がＨレベルの
ときにオンとなり、入力される信号がＬレベルのときにオフとなる。
【００８４】
図５に示した画素の上面図の一形態を図３８に示す。導電層３８１０は、第１の走査線
１１８と第１のスイッチングトランジスタ５１１のゲート電極として機能する部分を含み
、導電層３８１１は信号線１１７と第１のスイッチングトランジスタ５１１の第１の電極
として機能する部分を含む。また、導電層３８１２は、第１のスイッチングトランジスタ
５１１の第２の電極として機能する部分と、容量素子１１５の第１の電極と、第２のスイ
ッチングトランジスタ５１２の第２の電極として機能する部分と、第４のスイッチングト
ランジスタ５１４の第２の電極として機能する部分を含む。導電層３８１３は、第２のス
イッチングトランジスタ５１２のゲート電極として機能する部分を含み、配線３８２１を
介して第２の走査線１１９と接続されている。導電層３８１４は、第２のスイッチングト
ランジスタ５１２の第１の電極として機能する部分と、トランジスタ１１０の第２の電極
として機能する部分を含み、配線３８２２を介して電源線１２２と接続されている。導電
層３８１５は、第４のスイッチングトランジスタ５１４の第１の電極として機能する部分
を含み、配線３８２３を介してトランジスタ１１０のゲート電極として機能する部分を含
む導電層３８１６と接続されている。また、導電層３８１７は、第４のスイッチングトラ
ンジスタ５１４のゲート電極として機能する部分を含み、配線３８２４を介して第４の走
査線１２１と接続されている。導電層３８１８は、トランジスタ１１０の第１の電極とし
て機能する部分を含み、発光素子の画素電極３８４４と接続されている。導電層３８１９
は第３の走査線１２０と第３のスイッチングトランジスタ５１３のゲート電極として機能
する部分を含む。導電層３８２０は第３のスイッチングトランジスタ５１３の第１の電極
として機能する部分を含み、画素電極３８４４と接続されている。また、第３のスイッチ
ングトランジスタ５１３の第２の電極として機能する部分を含む導電層３８２５は、配線
３８２６を介して電位供給線１２３と接続されている。
【００８５】
なお、第１のスイッチングトランジスタ５１１のゲート電極、第１の電極及び第２の電
極として機能する部分は、それぞれを含む導電層と半導体層３８３１とが重なって形成さ
れている部分であり、第２のスイッチングトランジスタ５１２のゲート電極、第１の電極
及び第２の電極として機能する部分は、それぞれを含む導電層と半導体層３８３２とが重
なって形成されている部分である。また、第３のスイッチングトランジスタ５１３のゲー
ト電極、第１の電極及び第２の電極として機能する部分は、それぞれを含む導電層と半導
体層３８３３と重なって形成されている部分であり、第４のスイッチングトランジスタ５
１４のゲート電極、第１の電極及び第２の電極として機能する部分は、それぞれを含む導
電層と半導体層３８３４とが重なって形成されている部分である。同様に、トランジスタ
１１０においても、ゲート電極、第１の電極及び第２の電極として機能する部分は、それ
ぞれを含む導電層と半導体層３８３０と重なって形成されている部分である。なお、容量
素子１１５は、導電層３８１２と画素電極３８４４が重なっている部分に形成されている
。
【００８６】
図５の画素構成においても、図１と同様の動作方法によりトランジスタ１１０のしきい
値電圧のばらつきに起因した電流値のばらつきを抑制することができる。よって、輝度デ
ータに対応した電流を発光素子１１６に供給することができ、輝度のばらつきを抑制する
ことが可能となる。また、トランジスタ１１０を飽和領域で動作させた場合においては、
発光素子１１６の劣化に起因した輝度のばらつきも抑制することができる。また、各々の
トランジスタにおいて、ソース電極及びドレイン電極の一方が他方の電極を包み囲むよう
な構造とすることで、チャネル幅をかせぐことができる。よって、後述するように画素を
構成するトランジスタの半導体層に、結晶性半導体層より移動度の低い非晶質半導体層を
用いた際には特に有効である。
【００８７】
また、Ｎチャネル型のトランジスタのみで画素を構成することができるため、製造工程
の簡略化を図ることができる。また、画素を構成するトランジスタの半導体層にアモルフ
ァス半導体やセミアモルファス半導体（若しくは微結晶半導体ともいう）などの非晶質半
導体を用いることができる。例えば、アモルファス半導体としてアモルファスシリコン（
ａ−Ｓｉ：Ｈ）が挙げられる。これら非晶質半導体を用いることにより、さらに製造工程
の簡略化が可能である。したがって、製造コストの削減や歩留まりの向上を図ることがで
きる。
【００８８】
なお、第１のスイッチングトランジスタ５１１、第２のスイッチングトランジスタ５１
２、第３のスイッチングトランジスタ５１３及び第４のスイッチングトランジスタ５１４
は、単なるスイッチとして動作させるため、トランジスタの極性（導電型）は特に限定さ
れない。ただし、オフ電流が少ないトランジスタを用いることが望ましい。オフ電流が少
ないトランジスタとしては、ＬＤＤ領域を設けているものやマルチゲート構造にしている
ものなどがある。また、Ｎチャネル型とＰチャネル型の両方を用いて、ＣＭＯＳ型のスイ
ッチにしてもよい。
【００８９】
また、図１と同様の動作を行うものであれば、スイッチの接続は様々な構成をとること
ができ、図１に限定されない。図１の画素構成における動作を説明した図３からわかるよ
うに、本発明では初期化期間、しきい値電圧書き込み期間、データ書き込み期間及び発光
期間は、それぞれ図４４（Ａ）乃至（Ｄ）に示す実線のように導通がとれていれば良い。
よって、これを満たすようにスイッチ等を配置し動作させうる構成であれば良い。例えば
、図１に示した第４のスイッチ１１４は、ノード１３０とノード１３１の間に接続しても
良く、このような構成を図６に示す。なお、図１における第４のスイッチ１１４は、第４
のスイッチ６１４に相当し、図１の構成と共通するところは共通の符号を用いてその説明
を省略する。
【００９０】
図６の画素構成においても、図１と同様の動作方法によりトランジスタ１１０のしきい
値電圧のばらつきに起因した電流値のばらつきを抑制することができる。よって、輝度デ
ータに対応した電流を発光素子１１６に供給することができ、輝度のばらつきを抑制する
ことが可能となる。また、トランジスタ１１０を飽和領域で動作させた場合においては、
発光素子１１６の劣化に起因した輝度のばらつきも抑制することができる。
【００９１】
また、図１に示した第４のスイッチ１１４は、ノード１３２からトランジスタ１１０の
第２の電極と電源線１２２との接続箇所までの経路に設けても良い。
【００９２】
このような構成の一つを図７に示す。なお、トランジスタ１１０の第２の電極と電源線
１２２との接続箇所をノード１３４とする。図７の構成において、図１における第４のス
イッチ１１４は第４のスイッチ７１４に相当し、第４のスイッチ７１４はトランジスタ１
１０の第２の電極とノード１３４との間に接続されている。なお、図１の構成と共通する
ところは共通の符号を用いてその説明を省略する。
【００９３】
第４のスイッチ７１４により、データ書き込み時においてトランジスタ１１０が導通状
態となった場合においても、第４のスイッチ７１４をオフにすることによりトランジスタ
１１０への電流を遮断することができる。よって、データ書き込み期間における容量素子
１１５の第２の電極の電位の変動を抑制することができる。
【００９４】
したがって、図７の画素構成においても、図１と同様の動作方法によりトランジスタ１
１０のしきい値電圧のばらつきに起因した電流値のばらつきを抑制することができる。よ
って、輝度データに対応した電流を発光素子１１６に供給することができ、輝度のばらつ
きを抑制することが可能となる。さらに、トランジスタ１１０を飽和領域で動作させた場
合においては、発光素子１１６の劣化に起因した輝度のばらつきも抑制することができる
。また、初期化期間において、第４のスイッチ１１４をオフさせた場合には消費電力の低
減が可能である。ただし、ノード１３４と第２のスイッチ１１２との接続箇所をノード１
３５とすると、図４５に示すように第４のスイッチ７１４がノード１３４とノード１３５
との間に接続されている場合には、初期化期間において第４のスイッチ７１４をオフさせ
ることはできない。
【００９５】
なお、上述したように第１のスイッチ１１１は画素の階調に従った信号を信号線１１７
より画素に入力するタイミングを選択し、トランジスタ１１０のゲート電極に供給する信
号を制御するものであり、第２のスイッチ１１２はトランジスタ１１０のゲート電極に所
定の電位を与えるタイミングを選択し、トランジスタ１１０のゲート電極に所定の電位を
供給するか否かを制御するものであり、第３のスイッチ１１３は容量素子１１５に書き込
まれた電位を初期化するための所定の電位を与えるタイミングを選択したり、トランジス
タ１１０の第１の電極の電位を低くするものであれば特に限定されない。また、第１乃至
第３のスイッチは、上記のタイミングで信号もしくは電位を画素に与えることができれば
特に必要はない。例えば、画素の階調に従った信号を画素に入力することができる場合に
は、図１６に示すように第１のスイッチ１１１を設けなくても良い。図１６に示す画素は
、トランジスタ１１０、第２のスイッチ１１２、第３のスイッチ１１３、第４のスイッチ
７１４、画素電極１６４０を有する。トランジスタ１１０の第１の電極（ソース電極及び
ドレイン電極の一方）は画素電極１６４０に接続され、第２の電極（ソース電極及びドレ
イン電極の他方）は第４のスイッチ７１４を介して電源線１２２に接続され、ゲート電極
は第２のスイッチ１１２を介して電源線１２２と接続されている。また、トランジスタ１
１０の第１の電極は第３のスイッチ１１３を介して電位供給線１２０とも接続されている
。なお、トランジスタ１１０のゲート容量１６１５を保持容量として利用しているため、
図１における容量素子１１５を特に設ける必要なない。このような画素においても、図２
に示すタイミングチャートに従って各スイッチを動作させ、それぞれの電極に所望の電位
を供給することで、トランジスタ１１０のしきい値電圧のばらつきに起因した電流値のば
らつきを抑制することができる。つまり、画素電極１６４０に所望の電流を供給すること
ができる。
【００９６】
また、他の構成の一つを図８に示す。図８の構成において、図１における第４のスイッ
チ１１４は第４のスイッチ８１４に相当し、第４のスイッチ８１４はトランジスタ１１０
の第１の電極とノード１３２との間に接続されている。なお、図１の構成と共通するとこ
ろは共通の符号を用いてその説明を省略する。
【００９７】
第４のスイッチ８１４により、データ書き込み時においてトランジスタ１１０が導通状
態となった場合においても、第４のスイッチ８１４をオフにすることによりノード１３２
に流れる電流を遮断することができる。よって、データ書き込み期間における容量素子１
１５の第２の電極の電位の変動を抑制することができる。
【００９８】
したがって、図８の画素構成においても、図１と同様の動作方法によりトランジスタ１
１０のしきい値電圧のばらつきに起因した電流値のばらつきを抑制することができる。よ
って、輝度データに対応した電流を発光素子１１６に供給することができ、輝度のばらつ
きを抑制することが可能となる。また、トランジスタ１１０を飽和領域で動作させた場合
においては、発光素子１１６の劣化に起因した輝度のばらつきも抑制することができる。
また、初期化期間において、第４のスイッチ１１４をオフさせた場合には消費電力の低減
が可能である。
【００９９】
なお、第４のスイッチ６１４、第４のスイッチ７１４及び第４のスイッチ８１４におい
ても、第１乃至第３のスイッチと同様、トランジスタやダイオードでもよいし、それらを
組み合わせた論理回路でもよい。
【０１００】
また、図７及び８で示したように第４のスイッチをノード１３２からトランジスタ１１
０の第２の電極と電源線１２２との接続箇所までの経路に設けた場合、発光期間のにおい
て第４のスイッチをオフすることにより強制的に非発光状態を作ることも可能である。こ
のような動作によって発光期間の一部に非発光期間を設けることで、発光時間を自由に設
定できる。また、黒表示を挿入することで、残像を見えにくくし、動画特性の向上を図る
ことも可能である。
【０１０１】
続いて、上述した本発明の画素を有する表示装置について図９を用いて説明する。
【０１０２】
表示装置は、信号線駆動回路９１１、走査線駆動回路９１２及び画素部９１３を有し、
画素部９１３には、信号線駆動回路９１１から列方向に伸張して配置された複数の信号線
Ｓ１〜Ｓｍ、走査線駆動回路９１２から行方向に伸張して配置された複数の第１の走査線
Ｇ１＿１〜Ｇｎ＿１、第２の走査線Ｇ１＿２〜Ｇｎ＿２、第３の走査線Ｇ１＿３〜Ｇｎ＿
３、第４の走査線Ｇ１＿４〜Ｇｎ＿４、電源線Ｐ１＿１〜Ｐｎ＿１及び電位供給線Ｐ１＿
２〜Ｐｎ＿２、並びに信号線Ｓ１〜Ｓｍに対応してマトリクス状に配置された複数の画素
９１４を有する。そして、各画素９１４は、信号線Ｓｊ（信号線Ｓ１〜Ｓｍのうちいずれ
か一）、第１の走査線Ｇｉ＿１（走査線Ｇ１＿１〜Ｇｎ＿１のうちいずれか一）、第２の
走査線Ｇｉ＿２、第３の走査線Ｇｉ＿３、第４の走査線Ｇｉ＿４、電源線Ｐｉ＿１及び電
位供給線Ｐｉ＿２と接続されている。
【０１０３】
なお、信号線Ｓｊ、第１の走査線Ｇｉ＿１、第２の走査線Ｇｉ＿２、第３の走査線Ｇｉ
＿３、第４の走査線Ｇｉ＿４、電源線Ｐｉ＿１、電位供給線Ｐｉ＿２は、それぞれ図１の
信号線１１７、第１の走査線１１８、第２の走査線１１９、第３の走査線１２０、第４の
走査線１２１、電源線１２２、電位供給線１２３に相当する。
【０１０４】
走査線駆動回路９１２から出力される信号により、動作させる画素の行を選択すると共
に同行に属するそれぞれの画素に対し同時に図２に示した動作を行う。なお、図２のデー
タ書き込み期間においては、選択された行の画素に信号線駆動回路９１１から出力された
ビデオ信号を書き込む。このとき、それぞれの画素の輝度データに応じた電位が各信号線
Ｓ１〜Ｓｍに入力される。
【０１０５】
図１０に示すように、例えばｉ行目のデータ書き込み期間を終えるとｉ＋１行目に属す
る画素へ信号の書き込みを行う。なお、図１０には、各行におけるデータ書き込み期間を
表すためにこれを忠実に表すことができる図２の第１のスイッチ１１１の動作を抜粋し記
載している。そして、ｉ行目においてデータ書き込み期間を終えた画素は、発光期間に移
り、その画素へ書き込まれた信号にしたがって発光する。
【０１０６】
よって、各行におけるデータ書き込み期間さえ重複しなければ、各行自由に初期化開始
時期を設定することができる。また、各画素は自身のアドレス期間を除き発光することが
可能であるため、１フレーム期間における発光期間の割合（即ち、デューティー比）を非
常に大きくでき、おおむね１００％にすることも可能となる。よって、輝度のばらつきが
少なくデューティー比が高い表示装置を得ることができる。
【０１０７】
また、しきい値電圧書き込み期間を長く設定することも可能であるため、トランジスタ
のしきい値電圧をより正確に容量素子に書き込むことができる。よって、表示装置として
の信頼性を向上させることができる。
【０１０８】
なお、図９に示した表示装置の構成は一例であって本発明はこれに限定されない。例え
ば、電位供給線Ｐ１＿２〜Ｐｎ＿２は第１の走査線Ｇ１＿１〜Ｇｎ＿１と平行に配置され
ている必要はなく、信号線Ｓ１〜Ｓｍと平行に配置されていても良い。
【０１０９】
ところで、表示装置の階調を表現する駆動方式には、アナログ階調方式とデジタル階調
方式がある。アナログ階調方式には、発光素子の発光強度をアナログ制御する方式と発光
素子の発光時間をアナログ制御する方式がある。アナログ階調方式においては発光素子の
発光強度をアナログ制御する方式がよく用いられている。一方、デジタル階調方式はデジ
タル制御で発光素子をオンオフさせ、階調を表現している。デジタル階調方式の場合、デ
ジタル信号で処理できるためノイズに強いというメリットがあるが、発光・非発光の２状
態しかないため、このままでは２階調しか表現できない。そこで、別の手法を組み合わせ
て、多階調化を図ることが行われている。多階調化のための手法としては、画素の発光面
積に重みをつけてその選択により階調表示を行う面積階調方式と、発光時間に重みをつけ
てその選択により階調表示を行う時間階調方式とがある。
【０１１０】
このデジタル階調方式と時間階調方式とを組み合わせた場合、図４３に示すように、１
フレーム期間を複数のサブフレーム期間（ＳＦｎ）に分割する。各サブフレーム期間は、
初期化期間、しきい値電圧書き込み期間及びデータ書き込み期間を有するアドレス期間（
Ｔａ）と、発光期間（Ｔｓ）とを有する。なお、サブフレーム期間は表示ビット数ｎに応
じた数を１フレーム期間に設ける。また、１フレーム期間において各々のサブフレーム期
間における発光期間の長さの比を２（ｎ−１）：２（ｎ−２）：・・・：２：１とし、各
発光期間で発光素子の発光、もしくは非発光を選択し、発光素子が発光している１フレー
ム期間中の合計時間の差を利用して階調表現を行う。１フレーム期間において、発光して
いる合計時間が長ければ輝度が高く、短ければ輝度が低くなる。なお、図４３においては
４ビット階調の例を示しており、１フレーム期間は４つのサブフレーム期間に分割され、
発光期間の組み合わせによって、２４＝１６階調を表現できる。なお、発光期間の長さの
比は、特に２のべき乗の比としなくても、階調表現は可能である。また、あるサブフレー
ム期間をさらに分割していても良い。
【０１１１】
なお、上記のように時間階調方式を用いて多階調化を図る場合、下位ビットの発光期間
の長さは短いため、発光期間の終了後直ちに次のサブフレーム期間のデータ書き込み動作
を開始しようとすると、前のサブフレーム期間のデータ書き込み動作と重複してしまい、
正常な動作ができなくなる。そのため、図７及び図８で示したように第４のスイッチをノ
ード１３２からトランジスタ１１０の第２の電極と電源線１２２との接続箇所までの間に
設け、発光期間の一部において第４のスイッチをオフし強制的に非発光状態を作ることで
、全行に要するデータ書き込み期間より短い発光も表現することができる。よって、アナ
ログ階調において特に有効であることはもちろんであるが、デジタル階調方式と時間階調
方式とを組み合わせた方式においても有効である。なお、非発光状態に作るには発光素子
に電流が流れなければ良いため、上述したように第４のスイッチをオフさせる他、電源線
１２２の電位を下げたり、第３のスイッチ１１３をオンにすることで非発光状態を得るこ
とができる。また、トランジスタ１１０のゲート・ソース間電圧をしきい値電圧以下にし
ても得ることが可能であり、例えば、容量素子１１５と並列に新たなスイッチを設け、そ
のスイッチを用いてトランジスタ１１０のゲート・ソース間を導通させることで非発光状
態を得ることもできる。
【０１１２】
なお、しきい値電圧のばらつきには、画素間における各トランジスタのしきい値電圧の
違いのほか、１つのトランジスタに注目した場合において経時的なしきい値電圧の変化も
含むものとする。さらに、各トランジスタのしきい値電圧の違いは、トランジスタの作製
時におけるトランジスタ特性の違いによるものも含まれるものとする。なお、ここでいう
トランジスタは発光素子等の負荷に電流を供給する機能を有するトランジスタを指す。
【０１１３】
（実施の形態２）
本実施形態では、実施の形態１とは異なる構成の画素を図１１に示す。なお、実施の形
態１と同様のものに関しては共通の符号を用いて示し、同一部分又は同様な機能を有する
部分の詳細な説明は省略する。
【０１１４】
図１１（Ａ）に示す画素は、トランジスタ１１０、第１のスイッチ１１１、第２のスイ
ッチ１１２、第４のスイッチ１１４、整流素子１１１３、容量素子１１５、発光素子１１
６を有する。なお、画素は、信号線１１７、第１の走査線１１８、第２の走査線１１９、
第３の走査線１１２０、第４の走査線１２１及び電源線１２２に接続されている。図１１
（Ａ）に示した画素は、図１における第３のスイッチ１１３に整流素子１１１３を用いた
構成となっており、容量素子１１５の第２の電極、トランジスタ１１０の第１の電極及び
発光素子１１６の画素電極は、整流素子１１１３を介して第３の走査線１１２０と接続さ
れている。つまり、整流素子１１１３はトランジスタ１１０の第１の電極から第３の走査
線１１２０に電流が流れるように接続されている。もちろん、実施の形態１に示したよう
に第１のスイッチ１１１、第２のスイッチ１１２及び第４のスイッチ１１４については、
トランジスタ等を用いてもよい。また、整流素子１１１３には、図１１（Ｂ）に示すショ
ットキー・バリア型１１５１、ＰＩＮ型１１５２、ＰＮ型１１５３などのダイオードの他
、ダイオード接続されているトランジスタ１１５４、１１５５等を用いることができる。
ただし、トランジスタ１１５４及びトランジスタ１１５５は、電流を流す方向によってト
ランジスタの極性を適宜選択する必要がある。
【０１１５】
整流素子１１１３は、第３の走査線１１２０にＨレベルの信号が入力されたときには電
流が流れず、Ｌレベルの信号が入力されたときには整流素子１１１３に電流が流れる。よ
って、図１１の画素を図１に示した画素と同様に動作させる際には、初期化期間において
第３の走査線１１２０にＬレベルの信号を入力し、それ以外の期間においてはＨレベルの
信号を入力する。ただし、Ｌレベルの信号は整流素子１１１３にただ電流が流れるだけで
はなく容量素子１１５の第２の電極の電位をＶ１−Ｖｔｈ−α（α：任意の正の数）にま
で下げる必要があるため、Ｖ１−Ｖｔｈ−α−β（α：任意の正の数）の電位であること
とする。なお、βは整流素子１１１３の順方向におけるしきい値電圧を指す。また、Ｌレ
ベルの信号を発光素子の対向電極１２４の電位より下げ、初期化期間に発光素子１１６に
逆方向のバイアス電圧を印加しても良い。一方、Ｈレベルの信号は、上述したように整流
素子１１１３に電流が流れなければ良いため、Ｖ１−Ｖｔｈから整流素子１１１３のしき
い値電圧を引いた値、即ちＶ１−Ｖｔｈ−βより大きければ良い。
【０１１６】
上記事項を考慮し、図１１の画素構成においても図１と同様に動作させることによりト
ランジスタ１１０のしきい値電圧のばらつきに起因した電流値のばらつきを抑制すること
ができる。よって、輝度データに対応した電流を発光素子１１６に供給することができ、
輝度のばらつきを抑制することが可能となる。また、トランジスタ１１０を飽和領域で動
作させた場合においては、発光素子１１６の劣化に起因した輝度のばらつきも抑制するこ
とができる。さらに、整流素子１１１３を用いることで、配線数を減らすことが可能とな
り、開口率を向上させることができる。
【０１１７】
また、本実施形態に示した画素を図９の表示装置に適用することができる。実施の形態
１と同様、各行におけるデータ書き込み期間さえ重複しなければ、各行自由に初期化開始
時期を設定することができる。また、各画素は自身のアドレス期間を除き発光することが
可能であるため、１フレーム期間における発光期間の割合（即ち、デューティー比）を非
常に大きくでき、おおむね１００％にすることもできる。よって、輝度のばらつきが少な
くデューティー比が高い表示装置を得ることができる。
【０１１８】
また、しきい値電圧書き込み期間を長く設定することも可能であるため、発光素子に流
れる電流値を制御するトランジスタのしきい値電圧をより正確に容量素子に書き込むこと
ができる。よって、表示装置としての信頼性が向上する。
【０１１９】
本実施形態は、上述した図１以外にもその他の実施の形態に示した画素構成とも自由に
組み合わせることができる。例えば、第４のスイッチ１１４がノード１３０とノード１３
１との間やトランジスタ１１０の第１の電極とノード１３２との間に接続されている場合
や、トランジスタ１１０の第２の電極が第４のスイッチ１１４を介して電源線１２２と接
続されている場合が挙げられる。これらに限らず、整流素子１１１３は、他の実施形態に
示した画素にも適用することが可能である。
【０１２０】
（実施の形態３）
本実施形態では、実施の形態１及び２とは異なる構成の画素を図１２乃至１５に示す。
なお、実施の形態１及び２においては一画素に注目して述べたが、各画素に接続された配
線を画素間で共有して用いることにより配線数を減らすことが可能である。この場合、正
常に動作をするのであれば様々な配線を画素間で共有することができる。例えば、隣の画
素と配線を共有することが可能であり、その方法の一例について本実施形態で述べる。な
お、実施の形態１と同様のものに関しては共通の符号を用いて示し、同一部分又は同様な
機能を有する部分の詳細な説明は省略する。
【０１２１】
図１２に示す画素１２００はトランジスタ１１０、第１のスイッチ１１１、第２のスイ
ッチ１１２、第３のスイッチ１１３、第４のスイッチ１１４、容量素子１１５、発光素子
１１６を有する。なお、画素は、信号線１１７、第１の走査線１２１８、第２の走査線１
１９、第３の走査線１２０、第４の走査線１２１、電源線１２２及び次行の第１の走査線
１２１８に接続されている。
【０１２２】
実施の形態１に示した図１の画素では容量素子１１５の第２の電極が第３のスイッチ１
１３を介して電位供給線１２３に接続されていたのに対し、図１２では次行の第１の走査
線１２１８に接続することができる。これは、電位供給線１２３に限らず、初期化期間に
おいて容量素子１１５の第２の電極に所定の電位を供給できれば良いからである。そのた
め、初期化期間において所定の電位を容量素子１１５の第２の電極に供給できれば、供給
する配線は絶えず一定の電位である必要はない。よって、電位供給線のかわりに次行の第
１の走査線１２１８を用いることができる。このように、次行と配線を共有することで配
線数を減らすことが可能となり、開口率を向上させることができる。
【０１２３】
なお、図１２に示した画素構成においても、実施の形態１と同様の動作をさせることに
より、トランジスタ１１０のしきい値電圧のばらつきに起因した電流値のばらつきを抑制
することができる。よって、輝度データに対応した電流を発光素子１１６に供給すること
ができ、輝度のばらつきを抑制することが可能となる。また、対向電極の電位を一定とし
て動作させるため消費電力を低くすることが可能である。なお、トランジスタ１１０の動
作領域は特に限定されないが、飽和領域の場合の方が効果は顕著にあらわれる。さらに、
トランジスタ１１０を飽和領域で動作させた場合には、発光素子１１６の劣化に起因した
トランジスタ１１０に流れる電流のばらつきを抑制することができる。
【０１２４】
ただし、第１の走査線１２１８において第１のスイッチ１１１をオフさせる信号はＶ１
−Ｖｔｈ−α（α：任意の正の数）の電位となる。そのため、Ｖ１−Ｖｔｈ−α（α：任
意の正の数）の電位でオフとなる第１のスイッチ１１１を使用する必要がある。また、画
素１２００が属する行の初期化期間は配線を共有した行のデータ書き込み期間と重ならな
いように動作させる必要がある。
【０１２５】
なお、第３のスイッチ１１３にＮチャネル型トランジスタを用いた場合、第３の走査線
１２０において第３のスイッチ１１３をオフさせる電位は、第１の走査線１２１８におい
て第１のスイッチ１１１をオフさせる信号であるＶ１−Ｖｔｈ−αの電位より下げてもよ
く、この場合トランジスタがオフとなる際のゲート・ソース間電圧を負の値とすることが
可能となる。よって、第３のスイッチ１１３がオフした際の電流漏れを少なくすることが
できる。
【０１２６】
上記では、Ｖ１−Ｖｔｈ−αの電位を第１のスイッチ１１１をオフさせる信号として用
いたが、第１のスイッチ１１１をオンさせる信号として用いてもよい。ただし、動作の制
約は異なる。
【０１２７】
また、図１３の画素１３００に示すように図１の電位供給線１２３を次行の第２の走査
線１３１９と共有しても良い。画素１３００においても、実施の形態１と同様の動作をさ
せることができる。ただし、第２の走査線１３１９において第２のスイッチ１１２をオフ
させる信号はＶ１−Ｖｔｈ−α（α：任意の正の数）の電位とすることが好ましい。この
場合、Ｖ１−Ｖｔｈ−α（α：任意の正の数）の電位でオフとなる第２のスイッチ１１２
を使用する必要がある。また、画素１３００が属する行の初期化期間は配線を共有した行
のしきい値電圧書き込み期間と重ならないように動作させる必要がある。
【０１２８】
なお、第３のスイッチ１１３にＮチャネル型トランジスタを用いた場合、第３の走査線
１２０において第３のスイッチ１１３をオフさせる信号は、第２の走査線１３１９におい
て第２のスイッチ１１２をオフさせる信号であるＶ１−Ｖｔｈ−αの電位より下げてもよ
く、この場合第３のスイッチ１１３がオフした際の電流漏れを少なくすることができる。
【０１２９】
上記では、Ｖ１−Ｖｔｈ−αの電位を第２のスイッチ１１２をオフさせる信号として用
いたが、第２のスイッチ１１２をオンさせる信号として用いてもよい。ただし、動作の制
約は異なる。
【０１３０】
また、図１４の画素１４００に示すように図１の電位供給線１２３を前行の第３の走査
線１４２０と共有しても良い。画素１４００においても、実施の形態１と同様の動作をさ
せることができる。ただし、第３の走査線１４２０において第３のスイッチ１１３をオフ
させる信号はＶ１−Ｖｔｈ−α（α：任意の正の数）の電位となる。そのため、Ｖ１−Ｖ
ｔｈ−α（α：任意の正の数）の電位でオフとなる第３のスイッチ１１３を使用する必要
がある。この際、画素１４００が属する行の初期化期間は配線を共有した行の初期化期間
と重ならないように動作させる必要があるが、初期化期間がデータ書き込み期間より短く
設定されている場合には特に問題はない。
【０１３１】
上記では、Ｖ１−Ｖｔｈ−αの電位を第３のスイッチ１１３をオフさせる信号として用
いたが、第３のスイッチ１１３をオンさせる信号として用いてもよい。ただし、動作の制
約は異なる。
【０１３２】
また、図１５の画素１５００に示すように図１の電位供給線１２３を次行の第４の走査
線１５２１と共有しても良い。画素１５００においても、実施の形態１と同様の動作をさ
せることができる。ただし、第４の走査線１５２１においてＶ１−Ｖｔｈ−α（α：任意
の正の数）の電位が入力された場合にオンとなる第４のスイッチ１１４を用いることが好
ましい。この場合、画素１５００が属する行の初期化期間は配線を共有した行のデータ書
き込み期間と重ならないように動作させる必要がある。また、初期化期間において第４の
スイッチ１１４をオフとさせる場合には、配線を共有した行の初期化期間と重ならないよ
うに動作させる必要がある。
【０１３３】
上記では、Ｖ１−Ｖｔｈ−αの電位を第４のスイッチ１１４をオンさせる信号として用
いたが、第４のスイッチ１１４をオフさせる信号として用いてもよい。ただし、動作の制
約は異なる。
【０１３４】
また、上記の他、図１の電位供給線１２３を次行の電源線１２２と共有しても良い。そ
の場合、電源線１２２には、Ｖ１、Ｖ２の他、Ｖ１−Ｖｔｈ−α（α：任意の正の数）の
計３種の電位を供給し、実施の形態１と同様の動作が可能なような画素構成とすれば良い
。
【０１３５】
なお、本実施形態では図１の電位供給線１２３が次行もしくは前行の走査線と共有する
場合について示したが、初期化期間にＶ１−Ｖｔｈ−α（α：任意の正の数）の電位を供
給することが可能な配線であればそれ以外でも良い。
【０１３６】
さらに、本実施形態で示した画素を図９の表示装置に適用することができる。なお、表
示装置において、図１２乃至図１５に記載した画素ごとの動作の制約及び各行におけるデ
ータ書き込み期間が重複しない範囲内で、各行自由に初期化開始時期を設定することがで
きる。また、各画素は自身のアドレス期間を除き発光することが可能であるため、１フレ
ーム期間における発光期間の割合（即ち、デューティー比）を非常に大きくでき、おおむ
ね１００％にすることも可能となる。よって、輝度のばらつきが少なくデューティー比が
高い表示装置を得ることができる。
【０１３７】
また、しきい値電圧書き込み期間を長く設定することも可能であるため、発光素子に流
れる電流値を制御するトランジスタのしきい値電圧をより正確に容量素子に書き込むこと
ができる。よって、表示装置としての信頼性が向上する。
【０１３８】
なお、第４のスイッチ１１４は、ノード１３０とトランジスタ１１０のゲート電極との
間に接続されたものに限らず、ノード１３０とノード１３１との間やトランジスタ１１０
の第１の電極とノード１３２との間に接続されていてもよい。また、トランジスタ１１０
の第２の電極が第４のスイッチ１１４を介して電源線１２２と接続されていてもよい。
【０１３９】
上記に限らず、本実施の形態は、他の実施形態に示した画素構成とも自由に組み合わせ
ることができる。
【０１４０】
（実施の形態４）
本実施形態では、実施の形態１とは異なる構成の画素について図２９に示す。なお、実
施の形態１と同様のものに関しては共通の符号を用いて示し、同一部分又は同様な機能を
有する部分の詳細な説明は省略する。
【０１４１】
図２９に示す画素は、、トランジスタ２９１０、第１のスイッチ１１１、第２のスイッ
チ１１２、第３のスイッチ１１３、第４のスイッチ１１４、容量素子１１５、発光素子１
１６を有する。なお、画素は、信号線１１７、第１の走査線１１８、第２の走査線１１９
、第３の走査線１２０、第４の走査線１２１、電源線１２２及び電位供給線１２３に接続
されている。
【０１４２】
本実施形態におけるトランジスタ２９１０は、トランジスタを２つ直列に接続したマル
チゲート型トランジスタであり、実施の形態１のトランジスタ１１０と同じ位置に設けら
れている。ただし、直列に接続されるトランジスタの数は特に限定されない。
【０１４３】
図１の画素と同様に図２９に示した画素を動作させることにより、トランジスタ２９１
０のしきい値電圧のばらつきに起因した電流値のばらつきを抑制することができる。よっ
て、輝度データに対応した電流を発光素子１１６に供給することができ、輝度のばらつき
を抑制することが可能となる。また、対向電極の電位を一定として動作させるため消費電
力を低くすることが可能である。なお、トランジスタ２９１０の動作領域は特に限定され
ないが、飽和領域の場合の方が効果は顕著にあらわれる。
【０１４４】
さらに、トランジスタ２９１０を飽和領域で動作させた場合には、発光素子１１６の劣
化に起因したトランジスタ２９１０に流れる電流のばらつきを抑制することができる。
【０１４５】
本実施形態におけるトランジスタ２９１０のチャネル長Ｌは、直列に接続された２つの
トランジスタのチャネル幅が等しい場合、各トランジスタのチャネル長の合計として作用
する。よって、飽和領域においてドレイン・ソース間電圧Ｖｄｓにかかわらず、より一定
に近い電流値を得られやすい。特に、トランジスタ２９１０は長いチャネル長Ｌを有する
トランジスタの作製が困難な場合に有効である。なお、２つのトランジスタの接続部は抵
抗として機能する。
【０１４６】
なお、トランジスタ２９１０は発光素子１１６に供給する電流値を制御する機能を有し
ていれば良く、トランジスタの種類は特に限定されない。そのため、結晶性半導体膜を用
いた薄膜トランジスタ（ＴＦＴ）、非晶質シリコンや多結晶シリコンに代表される非単結
晶半導体膜を用いた薄膜トランジスタ、半導体基板やＳＯＩ基板を用いて形成されるトラ
ンジスタ、ＭＯＳ型トランジスタ、接合型トランジスタ、バイポーラトランジスタ、Ｚｎ
Ｏやａ−ＩｎＧａＺｎＯなどの化合物半導体を用いたトランジスタ、有機半導体やカーボ
ンナノチューブを用いたトランジスタ、その他のトランジスタを適用することができる。
【０１４７】
また、図２９に示した画素は、図１に示した画素と同様、第１のスイッチ１１１、第２
のスイッチ１１２、第３のスイッチ１１３、第４のスイッチ１１４はトランジスタ等を用
いることができる。
【０１４８】
なお、第４のスイッチ１１４は、ノード１３０とトランジスタ２９１０のゲート電極と
の間に接続されたものに限らず、ノード１３０とノード１３１との間やトランジスタ２９
１０の第１の電極とノード１３２との間に接続されていてもよい。また、トランジスタ２
９１０の第２の電極が第４のスイッチ１１４を介して電源線１２２と接続されていてもよ
い。
【０１４９】
さらに、図９の表示装置に本実施形態で示した画素を適用することができる。実施の形
態１と同様、各行におけるデータ書き込み期間さえ重複しなければ、各行自由に初期化開
始時期を設定することができる。また、各画素は自身のアドレス期間を除き発光すること
が可能であるため、１フレーム期間における発光期間の割合（即ち、デューティー比）を
非常に大きくでき、おおむね１００％にすることも可能となる。よって、輝度のばらつき
が少なくデューティー比が高い表示装置を得ることができる。
【０１５０】
また、しきい値電圧書き込み期間を長く設定することも可能であるため、発光素子に流
れる電流値を制御するトランジスタのしきい値電圧をより正確に容量素子に書き込むこと
ができる。よって、表示装置としての信頼性が向上する。
【０１５１】
なお、トランジスタ２９１０は直列に接続されたトランジスタに限らず、図３０のトラ
ンジスタ３０１０に示すような並列にトランジスタが接続された構成であっても良い。ト
ランジスタ３０１０によって、より大きな電流を発光素子１１６に供給することができる
。また、並列に接続した２つのトランジスタによってトランジスタの特性が平均化される
ため、トランジスタ３０１０を構成するトランジスタ本来の特性ばらつきをより小さくす
ることができる。よって、ばらつきが小さいとトランジスタのしきい値電圧のばらつきに
起因する電流値のばらつきをより抑制しやすくすることができる。
【０１５２】
また、トランジスタ３０１０に示した並列に接続されたトランジスタの各々をさらに図
２９に示したトランジスタ２９１０のように直列に接続しても良い。
【０１５３】
上記に限らず、本実施の形態は、他の実施形態に示した画素構成とも自由に組み合わせ
ることができる。つまり、トランジスタ２９１０もしくはトランジスタ３０１０は、他の
実施の形態に示した画素構成にも適用することが可能である。
【０１５４】
（実施の形態５）
本実施形態では、本発明の画素において、発光素子に供給する電流値を制御するトラン
ジスタを期間毎に切り替えることにより、トランジスタの経時的な劣化を平均化する画素
構成について図３１を用いて説明する。
【０１５５】
図３１に示す画素は、第１のトランジスタ３１０１、第２のトランジスタ３１０２、第
１のスイッチ３１１１、第２のスイッチ３１１２、第３のスイッチ３１１３、第４のスイ
ッチ３１１４、第５のスイッチ３１０３、第６のスイッチ３１０４、容量素子３１１５、
発光素子３１１６を有する。なお、画素は、信号線３１１７、第１の走査線３１１８、第
２の走査線３１１９、第３の走査線３１２０、第４の走査線３１２１、電源線３１２２及
び電位供給線３１２３に接続されている。さらに図３１には図示していないが、第５のス
イッチ３１０３及び第６のスイッチ３１０４のオン、オフを制御する第５及び第６の走査
線にも接続されている。なお、本実施形態において、第１のトランジスタ３１０１及び第
２のトランジスタ３１０２はＮチャネル型トランジスタとし、それぞれのトランジスタは
ゲート・ソース間電圧（Ｖｇｓ）がしきい値電圧を上回ったとき、導通状態になるものと
する。また、発光素子３１１６の画素電極は陽極、対向電極３１２４は陰極とする。なお
、トランジスタのゲート・ソース間電圧はＶｇｓ、容量素子に蓄積された電圧はＶｃｓと
記す。また、第１のトランジスタ３１０１のしきい値電圧をＶｔｈ１、第２のトランジス
タ３１０２のしきい値電圧をＶｔｈ２と記す。電源線３１２２、電位供給線３１２３及び
信号線３１１７を、それぞれ第１の配線、第２の配線、第３の配線とも呼ぶ。
【０１５６】
第１のトランジスタ３１０１の第１の電極（ソース電極及びドレイン電極の一方）は、
第５のスイッチ３１０３を介して発光素子３１１６の画素電極に接続され、第２の電極（
ソース電極及びドレイン電極の他方）は電源線３１２２に接続され、ゲート電極は第４の
スイッチ３１１４及び第２のスイッチ３１１２を介して電源線３１２２と接続されている
。なお、第４のスイッチ３１１４は、第１のトランジスタ３１０１のゲート電極と第２の
スイッチ３１１２の間に接続されている。また、第４のスイッチ３１１４と第２のスイッ
チ３１１２との接続箇所をノード３１３０とすると、ノード３１３０は第１のスイッチ３
１１１を介して信号線３１１７と接続されている。また、第１のトランジスタ３１０１の
第１の電極は第５のスイッチ３１０３及び第３のスイッチ３１１３を介して電位供給線３
１２３とも接続されている。
【０１５７】
第２のトランジスタ３１０２の第１の電極（ソース電極及びドレイン電極の一方）は、
第６のスイッチ３１０４を介して発光素子３１１６の画素電極に接続され、第２の電極（
ソース電極及びドレイン電極の他方）は電源線３１２２に接続され、ゲート電極は第４の
スイッチ３１１４を介してノード３１３０と接続されている。また、第２のトランジスタ
３１０２の第１の電極は第６のスイッチ３１０４及び第３のスイッチ３１１３を介して電
位供給線３１２３とも接続されている。なお、第１のトランジスタ３１０１のゲート電極
と第２のトランジスタ３１０２のゲート電極とは接続されている。また、第１のトランジ
スタ３１０１の第１の電極と第２のトランジスタ３１０２の第１の電極とは、第５のスイ
ッチ３１０３及び第６のスイッチ３１０４を介して接続されており、第５のスイッチ３１
０３と第６のスイッチ３１０４との接続箇所をノード３１３３とする。
【０１５８】
さらに、ノード３１３３とノード３１３０との間に容量素子３１１５が接続されている
。つまり、容量素子３１１５の第１の電極は第４のスイッチ３１１４を介し接続された第
１のトランジスタ３１０１と第２のトランジスタ３１０２のゲート電極に、容量素子３１
１５の第２の電極は第５のスイッチ３１０３を介して第１のトランジスタ３１０１の第１
の電極及び第６のスイッチ３１０４を介して第２のトランジスタ３１０２の第１の電極に
接続されている。容量素子３１１５は、配線、半導体層や電極によって絶縁膜を挟むこと
で形成しても良いし、場合によっては接続された第１のトランジスタ３１０１と第２のト
ランジスタ３１０２のゲート容量を用いて省略することもできる。また、容量素子３１１
５の第１の電極と、第１のスイッチ３１１１とノード３１３０とが接続された配線との接
続箇所をノード３１３１とし、ノード３１３３と容量素子３１１５の第２の電極とが接続
された配線と発光素子３１１６の画素電極との接続箇所をノード３１３２とする。
【０１５９】
なお、第１の走査線３１１８、第２の走査線３１１９、第３の走査線３１２０、第４の
走査線３１２１に信号を入力することにより、それぞれ第１のスイッチ３１１１、第２の
スイッチ３１１２、第３のスイッチ３１１３、第４のスイッチ３１１４のオンオフが制御
される。図３１においては、第５のスイッチ３１０３及び第６のスイッチ３１０４のオン
オフを制御する走査線は省略している。
【０１６０】
信号線３１１７には、ビデオ信号に相当する画素の階調に従った信号、即ち輝度データ
に応じた電位が入力される。
【０１６１】
次に、図３１で示した画素の動作について図３２のタイミングチャートを用いて説明す
る。なお、図３２において１画面分の画像を表示する期間に相当する１フレーム期間は、
初期化期間、しきい値電圧書き込み期間、データ書き込み期間及び発光期間に分割される
。
【０１６２】
なお、発光素子３１１６の対向電極３１２４にはＶ１の電位が、電位供給線３１２３に
はＶ１−Ｖｔｈ−α（α：任意の正の数）の電位が入力される。Ｖｔｈは、Ｖｔｈ１もし
くはＶｔｈ２の大きい方の値とする。また、電源線３１２２には、アドレス期間はＶ１、
発光期間ではＶ２の電位が入力される。ただし、Ｖ２＞Ｖ１とする。
【０１６３】
ここでは動作を説明するために、発光素子３１１６の対向電極３１２４の電位は、アド
レス期間における電源線３１２２の電位と同じであるとしたが、発光素子３１１６が発光
するために少なくとも必要とする電位差をＶＥＬとすると、対向電極３１２４の電位はＶ
１−Ｖｔｈ−α―ＶＥＬの電位より高い値であれば良い。また、発光期間における電源線
３１２２の電位Ｖ２は、対向電極３１２４の電位に発光素子３１１６が発光するために少
なくとも必要とする電位差（ＶＥＬ）を加算した値より大きい値であれば良いが、説明上
ここでは対向電極３１２４の電位をＶ１としたため、Ｖ２はＶ１＋ＶＥＬより大きい値で
あれば良いということになる。
【０１６４】
まず、図３２（Ａ）に示すように初期化期間では、第１のスイッチ３１１１及び第６の
スイッチ３１０４をオフとし、第２のスイッチ３１１２、第３のスイッチ３１１３、第４
のスイッチ３１１４及び第５のスイッチ３１０３をオンとする。このとき、第１のトラン
ジスタ３１０１の第１の電極はソース電極となり、その電位は電位供給線３１２３と等し
くなるためＶ１−Ｖｔｈ−αとなる。一方、ゲート電極の電位はＶ１となる。よって、第
１のトランジスタ３１０１のゲート・ソース間電圧ＶｇｓはＶｔｈ＋αとなり第１のトラ
ンジスタ３１０１は導通状態となる。そして、第１のトランジスタ３１０１のゲート電極
と第１の電極との間に設けられた容量素子３１１５にＶｔｈ＋αが保持される。なお、第
４のスイッチ３１１４をオンとした場合について説明したが、オフとしても良い。ただし
、次のしきい値電圧書き込み期間では第４のスイッチ３１１４はオンとしなければならな
い。
【０１６５】
図３２（Ｂ）に示すしきい値電圧書き込み期間では、第３のスイッチ３１１３をオフと
する。そのため、第１のトランジスタ３１０１の第１の電極即ちソース電極の電位は次第
に上昇しＶ１−Ｖｔｈ１となったところ、つまり第１のトランジスタ３１０１のゲート・
ソース間電圧Ｖｇｓがしきい値電圧（Ｖｔｈ１）となったところで、第１のトランジスタ
３１０１は非導通状態となる。よって、容量素子３１１５に保持される電圧はＶｔｈ１と
なる。
【０１６６】
その後、図３２（Ｃ）に示すデータ書き込み期間においては、第２のスイッチ３１１２
及び第４のスイッチ３１１４をオフとした後、第１のスイッチ３１１１をオンとし、信号
線３１１７より輝度データに応じた電位（Ｖ１＋Ｖｄａｔａ）を入力する。なお、第４の
スイッチ３１１４をオフにすることにより、第１のトランジスタ３１０１を非導通状態に
保つことができる。そのため、データ書き込み時の電源線３１２２から供給される電流に
よる容量素子３１１５の第２の電極の電位の変動を抑制することができる。よって、この
とき容量素子３１１５に保持される電圧Ｖｃｓは、Ｖｔｈ１＋Ｖｄａｔａとなる。なお、
次の発光期間において発光素子３１１６を非発光としたい場合には、Ｖｄａｔａ≦０の電
位を入力する。
【０１６７】
次に、図３２（Ｄ）に示す発光期間では、第１のスイッチ３１１１をオフとし、電源線
３１２２の電位をＶ２とした後、第４のスイッチ３１１４をオンとする。このとき、第１
のトランジスタ３１０１のゲート・ソース間電圧はＶｇｓ＝Ｖｔｈ１＋Ｖｄａｔａとなり
、第１のトランジスタ３１０１が導通状態になる。よって、輝度データに応じた電流が第
１のトランジスタ３１０１及び発光素子３１１６に流れ、発光素子３１１６が発光する。
【０１６８】
このような動作により、発光素子３１１６に流れる電流は、第１のトランジスタ３１０
１の動作領域が飽和領域、線形領域のいずれの場合においても、第１のトランジスタ３１
０１のしきい値電圧（Ｖｔｈ１）に依存しない。
【０１６９】
さらに、図３２（Ｅ）に示す次の１フレーム期間における初期化期間では、第５のスイ
ッチ３１０３をオフとし、第２のスイッチ３１１２、第３のスイッチ３１１３、第４のス
イッチ３１１４及び第６のスイッチ３１０４をオンとする。このとき、第２のトランジス
タ３１０２の第１の電極はソース電極となり、その電位は電位供給線３１２３と等しくな
るためＶ１−Ｖｔｈ−αとなる。一方、ゲート電極の電位はＶ１となる。よって、第２の
トランジスタ３１０２のゲート・ソース間電圧ＶｇｓはＶｔｈ＋αとなり、第２のトラン
ジスタ３１０２は導通状態となる。そして、第２のトランジスタ３１０２のゲート電極と
第１の電極との間に設けられた容量素子３１１５にＶｔｈ＋αが保持される。なお、第４
のスイッチ３１１４をオンとした場合について説明したが、オフとしても良い。ただし、
次のしきい値電圧書き込み期間では第４のスイッチ３１１４はオンとしなければならない
。
【０１７０】
次に、図３２（Ｆ）に示すしきい値電圧書き込み期間では、第３のスイッチ３１１３を
オフとする。そのため、第２のトランジスタ３１０２の第１の電極即ちソース電極の電位
は次第に上昇しＶ１−Ｖｔｈ２となったところ、つまり第２のトランジスタ３１０２のゲ
ート・ソース間電圧Ｖｇｓがしきい値電圧（Ｖｔｈ２）となったところで、第２のトラン
ジスタ３１０２は非導通状態となる。よって、容量素子３１１５に保持される電圧はＶｔ
ｈ２となる。
【０１７１】
その後の図３２（Ｇ）に示すデータ書き込み期間においては、第２のスイッチ３１１２
及び第４のスイッチ３１１４をオフとした後、第１のスイッチ３１１１をオンとし、信号
線３１１７より輝度データに応じた電位（Ｖ１＋Ｖｄａｔａ）を入力する。なお、第４の
スイッチ３１１４をオフにすることにより、第２のトランジスタ３１０２を非導通状態に
保つことができる。そのため、データ書き込み時の電源線３１２２から供給される電流に
よる、容量素子３１１５の第２の電極の電位の変動を抑制することができる。よって、こ
のとき容量素子３１１５に保持される電圧Ｖｃｓは、Ｖｔｈ２＋Ｖｄａｔａとなる。
【０１７２】
次に、図３２（Ｈ）に示す発光期間では、第１のスイッチ３１１１をオフとし、電源線
３１２２の電位をＶ２とした後、第４のスイッチ３１１４をオンとする。このとき、第２
のトランジスタ３１０２のゲート・ソース間電圧はＶｇｓ＝Ｖｔｈ２＋Ｖｄａｔａとなり
、第２のトランジスタ３１０２が導通状態になる。よって、輝度データに応じた電流が第
２のトランジスタ３１０２及び発光素子３１１６に流れ、発光素子３１１６が発光する。
【０１７３】
また、第２のトランジスタ３１０２の動作領域が飽和領域、線形領域のいずれの場合に
おいても、発光素子３１１６に流れる電流はしきい値電圧（Ｖｔｈ２）に依存しない。
【０１７４】
よって、第１のトランジスタ３１０１、第２のトランジスタ３１０２のいずれのトラン
ジスタを用いて発光素子に供給する電流を制御してもトランジスタのしきい値電圧のばら
つきに起因した電流値のばらつきを抑制し、輝度データに対応した電流値を発光素子３１
１６に供給することができる。なお、第１のトランジスタ３１０１、第２のトランジスタ
３１０２を切り替えて用いることにより一つのトランジスタに加わる負荷を軽くすること
によりトランジスタの経時的なしきい値電圧の変化を小さいものとすることができる。
【０１７５】
以上のことから、第１のトランジスタ３１０１、第２のトランジスタ３１０２のしきい
値電圧に起因した輝度のばらつきを抑制することができる。また、対向電極の電位を一定
とするため消費電力を低くすることが可能である。
【０１７６】
さらに、第１のトランジスタ３１０１、第２のトランジスタ３１０２を飽和領域で動作
させた場合においては、発光素子３１１６の劣化による各々のトランジスタに流れる電流
のばらつきも抑制できる。
【０１７７】
なお、第１のトランジスタ３１０１、第２のトランジスタ３１０２を飽和領域で動作さ
せた場合、これらトランジスタのチャネル長Ｌは長い方がより好ましい。
【０１７８】
また、初期化期間において発光素子３１１６に逆方向のバイアス電圧を印加しているた
め、発光素子における短絡箇所を絶縁化したり、発光素子の劣化を抑制することができる
。よって、発光素子の寿命を延ばすことができる。
【０１７９】
なお、トランジスタのしきい値電圧のばらつきに起因する電流値のばらつきを抑制する
ことができるため、そのトランジスタによって制御された電流の供給先は特に限定されな
い。そのため、図３１に示した発光素子３１１６は、ＥＬ素子（有機ＥＬ素子、無機ＥＬ
素子又は有機物及び無機物を含むＥＬ素子）、電子放出素子、液晶素子、電子インクなど
を適用することができる。
【０１８０】
また、第１のトランジスタ３１０１、第２のトランジスタ３１０２は発光素子３１１６
に供給する電流値を制御する機能を有していれば良く、トランジスタの種類は特に限定さ
れない。そのため、結晶性半導体膜を用いた薄膜トランジスタ（ＴＦＴ）、非晶質シリコ
ンや多結晶シリコンに代表される非単結晶半導体膜を用いた薄膜トランジスタ、半導体基
板やＳＯＩ基板を用いて形成されるトランジスタ、ＭＯＳ型トランジスタ、接合型トラン
ジスタ、バイポーラトランジスタ、ＺｎＯやａ−ＩｎＧａＺｎＯなどの化合物半導体を用
いたトランジスタ、有機半導体やカーボンナノチューブを用いたトランジスタ、その他の
トランジスタを適用することができる。
【０１８１】
第１のスイッチ３１１１は画素の階調に従った信号を信号線３１１７より画素に入力す
るタイミングを選択するものであり、第２のスイッチ３１１２は第１のトランジスタ３１
０１もしくは第２のトランジスタ３１０２のゲート電極に所定の電位を与えるタイミング
を選択するものであり、第３のスイッチ３１１３は容量素子３１１５に書き込まれた電位
を初期化するための所定の電位を与えるタイミングを選択するものであり、第４のスイッ
チ３１１４はデータ書き込み時における容量素子３１１５の第２の電極の電位の変動を抑
制するものである。そのため、第１のスイッチ３１１１、第２のスイッチ３１１２、第３
のスイッチ３１１３、第４のスイッチ３１１４は、上記機能を有していれば特に限定され
ない。たとえば、トランジスタやダイオードでもよいし、それらを組み合わせた論理回路
でもよい。また、第５のスイッチ３１０３及び第６のスイッチ３１０４についても特に限
定されず、たとえばトランジスタやダイオードでもよいし、それらを組み合わせた論理回
路でもよい。
【０１８２】
第１のスイッチ３１１１、第２のスイッチ３１１２、第３のスイッチ３１１３、第４の
スイッチ３１１４、第５のスイッチ３１０３、第６のスイッチ３１０４にＮチャネル型の
トランジスタを用いた場合、Ｎチャネル型のトランジスタのみで画素を構成することがで
きるため、製造工程の簡略化を図ることができる。また、画素を構成するトランジスタの
半導体層にアモルファス半導体やセミアモルファス半導体（若しくは微結晶半導体ともい
う）などの非晶質半導体を用いることができる。例えば、アモルファス半導体としてアモ
ルファスシリコン（ａ−Ｓｉ：Ｈ）が挙げられる。これら非晶質半導体を用いることによ
り、さらに製造工程の簡略化が可能である。したがって、製造コストの削減や歩留まりの
向上を図ることができる。
【０１８３】
なお、第１のスイッチ３１１１、第２のスイッチ３１１２、第３のスイッチ３１１３、
第４のスイッチ３１１４、第５のスイッチ３１０３、第６のスイッチ３１０４にトランジ
スタを用いた場合、トランジスタの極性（導電型）は特に限定されない。ただし、オフ電
流が少ないトランジスタを用いることが望ましい。
【０１８４】
また、第１のトランジスタ３１０１及び第５のスイッチ３１０３と第２のトランジスタ
３１０２及び第６のスイッチ３１０４は、図３７に示すようにそれぞれ入れ替わっていて
も良い。つまり、第１のトランジスタ３１０１及び第２のトランジスタ３１０２の第１の
電極は容量素子３１１５及び第４のスイッチ３１１４を介して第１のトランジスタ３１０
１及び第２のトランジスタ３１０２のゲート電極に接続されている。また、第１のトラン
ジスタ３１０１の第２の電極は第５のスイッチ３１０３を介して電源線３１２２と接続さ
れ、第２のトランジスタ３１０２の第２の電極は第６のスイッチ３１０４を介して電源線
３１２２と接続されている。
【０１８５】
また、図３１及び図３７ではトランジスタとスイッチをセットにして、つまり第１のト
ランジスタ３１０１と第５のスイッチ３１０３、第２のトランジスタ３１０２と第６のス
イッチ３１０４をセットにして並列数が２の場合について記載したが、並列に配置する数
は特に限定されない。
【０１８６】
なお、第４のスイッチ３１１４は、ノード３１３０と第１のトランジスタ３１０１のゲ
ート電極との間に接続されたものに限らず、ノード３１３０とノード３１３１との間やノ
ード３１３３とノード３１３２との間に接続されていてもよい。
【０１８７】
また、図４２に示すように第４のスイッチ３１１４は特に設けなくてもよい。本実施形
態に示した画素では、第５のスイッチ３１０３及び第６のスイッチ３１０４の両方をデー
タ書き込み期間にオフさせることにより、第４のスイッチ３１１４を有さなくても電源線
３１２２からノード３１３３に供給される電流を遮断することができる。よって、容量素
子３１１５の第２の電極の電位の変動を抑制することができるため、特に第４のスイッチ
３１１４を必要とすることなく容量素子３１１５にＶｔｈ１＋ＶｄａｔａもしくはＶｔｈ
２＋Ｖｄａｔａの電圧を保持させることが可能である。したがって、第４のスイッチ３１
１４を用いることなく、発光期間に輝度データに応じたより正確な電流を発光素子３１１
６に供給することができる。もちろん、図３１に示した画素、即ち第５のスイッチ３１０
３及び第６のスイッチ３１０４がそれぞれ第１のトランジスタ３１０１、第２のトランジ
スタ３１０２の第１の電極とノード３１３３との間に接続されている場合においても同様
のことが言える。
【０１８８】
また、発光期間において第５のスイッチ３１０３及び第６のスイッチ３１０４の両方を
オフさせることにより、強制的に非発光状態を作ることも可能である。このような動作に
よって、発光期間を自由に設定することができる。また、黒表示を挿入することで、残像
を見えにくくし、動画特性の向上を図ることも可能である。
【０１８９】
また、図９の表示装置に本実施形態で示した画素を適用することで、実施の形態１と同
様、各行におけるデータ書き込み期間さえ重複しなければ、各行自由に初期化開始時期を
設定することができる。また、各画素は自身のアドレス期間を除き発光することが可能で
あるため、１フレーム期間における発光期間の割合（即ち、デューティー比）を非常に大
きくでき、おおむね１００％にすることもできる。よって、輝度のばらつきが少なくデュ
ーティー比が高い表示装置を得ることができる。
【０１９０】
また、しきい値電圧書き込み期間を長く設定することも可能であるため、発光素子に流
れる電流値を制御するトランジスタのしきい値電圧をより正確に容量素子に書き込むこと
ができる。よって、表示装置としての信頼性が向上する。
【０１９１】
なお、本実施形態においても、実施の形態４と同様、電位供給線３１２３は他の行の配
線と共有することができる。また、第１のトランジスタ３１０１及び第２のトランジスタ
３１０２のそれぞれに、トランジスタが直列に接続されたマルチゲート型トランジスタや
並列に配置されたトランジスタを用いても良い。これらに限らず、本実施の形態は、実施
の形態１乃至４に示した画素構成に適用することが可能である。
【０１９２】
（実施の形態６）
本実施形態では、発光素子に供給する電流値を制御するトランジスタにＰチャネル型ト
ランジスタを適用した場合について図３９を用いて説明する。
【０１９３】
図３９に示す画素は、トランジスタ３９１０、第１のスイッチ３９１１、第２のスイッ
チ３９１２、第３のスイッチ３９１３、第４のスイッチ３９１４、容量素子３９１５、発
光素子３９１６を有する。なお、画素は、信号線３９１７、第１の走査線３９１８、第２
の走査線３９１９、第３の走査線３９２０、第４の走査線３９２１、電源線３９２２及び
電位供給線３９２３に接続されている。本実施の形態において、トランジスタ３９１０は
Ｐチャネル型トランジスタとし、そのゲート・ソース間電圧の絶対値（｜Ｖｇｓ｜）がし
きい値電圧（｜Ｖｔｈ｜）を上回ったとき（ＶｇｓがＶｔｈを下回ったとき）、導通状態
になるものとする。また、発光素子３９１６には図４９に示すように対向電極３９２４か
ら画素電極４９１１に電流が流れるＥＬ素子を用いた例について説明する。その際、画素
電極４９１１は陰極、対向電極３９２４は陽極として機能する。なお、トランジスタのゲ
ート・ソース間電圧の絶対値を｜Ｖｇｓ｜、しきい値電圧の絶対値を｜Ｖｔｈ｜と記し、
電源線３９２２、電位供給線３９２３及び信号線３９１７を、それぞれ第１の配線、第２
の配線、第３の配線とも呼ぶ。また、第１の走査線３９１８、第２の走査線３９１９、第
３の走査線３９２０及び第４の走査線３９２１を、それぞれ第４の配線、第５の配線、第
６の配線、第７の配線と呼んでも良い。
【０１９４】
トランジスタ３９１０の第１の電極（ソース電極及びドレイン電極の一方）は、発光素
子３９１６の画素電極に接続され、第２の電極（ソース電極及びドレイン電極の他方）は
電源線３９２２に接続され、ゲート電極は第４のスイッチ３９１４及び第２のスイッチ３
９１２を介して電源線３９２２と接続されている。なお、第４のスイッチ３９１４は、ト
ランジスタ３９１０のゲート電極と第２のスイッチ３９１２の間に接続されている。また
、第４のスイッチ３９１４と第２のスイッチ３９１２との接続箇所をノード３９３０とす
ると、ノード３９３０は第１のスイッチ３９１１を介して信号線３９１７と接続されてい
る。また、トランジスタ３９１０の第１の電極は第３のスイッチ３９１３を介して電位供
給線３９２３とも接続されている。
【０１９５】
さらに、ノード３９３０とトランジスタ３９１０の第１の電極との間に容量素子３９１
５が接続されている。つまり、容量素子３９１５の第１の電極が第４のスイッチ３９１４
を介しトランジスタ３９１０のゲート電極に、第２の電極がトランジスタ３９１０の第１
の電極に接続されている。容量素子３９１５は、配線、半導体層や電極によって絶縁膜を
挟むことで形成しても良いし、場合によってはトランジスタ３９１０のゲート容量を用い
て省略することもできる。これらの電圧を保持する手段を保持容量と言う。また、ノード
３９３０と、第１のスイッチ３９１１と容量素子３９１５の第１の電極とが接続されてい
る配線との接続箇所をノード３９３１とし、トランジスタ３９１０の第１の電極と、容量
素子３９１５の第２の電極と発光素子３９１６の画素電極とが接続されている配線との接
続箇所をノード３９３２とする。
【０１９６】
なお、第１の走査線３９１８、第２の走査線３９１９、第３の走査線３９２０、第４の
走査線３９２１に信号を入力することにより、それぞれ第１のスイッチ３９１１、第２の
スイッチ３９１２、第３のスイッチ３９１３、第４のスイッチ３９１４のオンオフが制御
される。
【０１９７】
信号線３９１７には、ビデオ信号に相当する画素の階調に従った信号、即ち輝度データ
に応じた電位が入力される。
【０１９８】
次に、図３９で示した画素の動作について図４０のタイミングチャート及び図４１を用
いて説明する。なお、図４０において１画面分の画像を表示する期間に相当する１フレー
ム期間は、初期化期間、しきい値電圧書き込み期間、データ書き込み期間及び発光期間に
分割される。また、初期化期間、しきい値電圧書き込み期間、データ書き込み期間をまと
めてアドレス期間と呼ぶ。１フレーム期間は特に限定はないが、画像をみる人がちらつき
（フリッカ）を感じないように少なくとも１／６０秒以下とすることが好ましい。
【０１９９】
なお、発光素子３９１６の対向電極３９２４にはＶ１の電位が、電位供給線３９２３に
はＶ１＋｜Ｖｔｈ｜＋α（α：任意の正の数）の電位が入力される。また、電源線３９２
２には、アドレス期間はＶ１、発光期間ではＶ２の電位が入力される。ただし、Ｖ２＜Ｖ
１とする。
【０２００】
ここでは動作を説明するために、発光素子３９１６の対向電極３９２４の電位は、アド
レス期間における電源線３９２２の電位と同じであるとしたが、発光素子３９１６が発光
するために少なくとも必要とする電位差をＶＥＬとすると、対向電極３９２４の電位は、
電位供給線３９２３の電位にＶＥＬを加算した値より低ければ良い。すなわち、アドレス
期間においては、発光素子３９１６の両端の電位が発光素子３９１６に電流が流れないよ
うな電位になっていれば良い。また、発光期間における電源線３９２２の電位Ｖ２は、対
向電極３９２４の電位から発光素子３１１６が発光するために少なくとも必要とする電位
差（ＶＥＬ）を引いた値より小さい値であれば良いが、説明上ここでは対向電極３９２４
の電位をＶ１としたため、Ｖ２はＶ１−ＶＥＬより小さい値であれば良いということにな
る。
【０２０１】
まず、図４０（Ａ）及び図４１（Ａ）に示すように初期化期間では、第１のスイッチ３
９１１をオフとし、第２のスイッチ３９１２、第３のスイッチ３９１３及び第４のスイッ
チ３９１４をオンとする。このとき、トランジスタ３９１０の第１の電極はソース電極と
なり、その電位は電位供給線３９２３と等しくなるためＶ１＋｜Ｖｔｈ｜＋αとなる。一
方、ゲート電極の電位はＶ１となる。よって、トランジスタ３９１０のゲート・ソース間
電圧の絶対値｜Ｖｇｓ｜は｜Ｖｔｈ｜＋αとなり、トランジスタ３９１０は導通状態とな
る。そして、トランジスタ３９１０のゲート電極と第１の電極との間に設けられた容量素
子３９１５に｜Ｖｔｈ｜＋αが保持される。なお、第４のスイッチ３９１４をオンとした
場合について説明したが、オフとしても良い。ただし、次のしきい値電圧書き込み期間で
は第４のスイッチ３９１４はオンとしなければならない。
【０２０２】
図４０（Ｂ）及び図４１（Ｂ）に示すしきい値電圧書き込み期間では、第３のスイッチ
３９１３をオフとする。そのため、トランジスタ３９１０の第１の電極即ちソース電極の
電位は次第に下降しＶ１＋｜Ｖｔｈ｜となったところで、トランジスタ３９１０は非導通
状態となる。よって、容量素子３９１５に保持される電圧はおおむね｜Ｖｔｈ｜となる。
【０２０３】
その後の図４０（Ｃ）及び図４１（Ｃ）に示すデータ書き込み期間においては、第２の
スイッチ３９１２及び第４のスイッチ３９１４をオフとした後、第１のスイッチ３９１１
をオンとし、信号線３９１７より輝度データに応じた電位（Ｖ１−Ｖｄａｔａ）を入力す
る。この期間に第４のスイッチ３９１４をオフにすることにより、トランジスタ３９１０
を非導通状態に保つことができる。そのため、データ書き込み時の電源線３９２２から供
給される電流による、容量素子３９１５の第２の電極における電位の変動を抑制すること
ができる。よって、このとき容量素子３９１５に保持される電圧Ｖｃｓは、容量素子３９
１５及び発光素子３９１６の静電容量をそれぞれＣ１、Ｃ２とすると式（５）のように表
すことができる。
【数５】
2020013147.tif 000007
【０２０４】
ただし、発光素子３９１６は容量素子３９１５に比べ膜厚が薄いうえ電極面積が大きい
ため、Ｃ２＞＞Ｃ１となる。よって、Ｃ２／（Ｃ１＋Ｃ２）≒１より容量素子３９１５に
保持される電圧Ｖｃｓは式（６）となる。なお、次の発光期間において発光素子３９１６
を非発光としたい場合には、Ｖｄａｔａ≦０の電位を入力すれば良い。
【数６】
2020013147.tif 000008
【０２０５】
次に、図４０（Ｄ）及び図４１（Ｄ）に示す発光期間では、第１のスイッチ３９１１を
オフとし、電源線３９２２の電位をＶ２とした後、第４のスイッチ３９１４をオンとする
。このとき、トランジスタ３９１０のゲート・ソース間電圧はＶｇｓ＝−Ｖｄａｔａ−｜
Ｖｔｈ｜となり、トランジスタ３９１０が導通状態になる。よって、輝度データに応じた
電流がトランジスタ３９１０及び発光素子３９１６に流れ、発光素子３９１６が発光する
。
【０２０６】
なお、発光素子３９１６に流れる電流Ｉは、トランジスタ３９１０を飽和領域で動作さ
せた場合、式（７）で表される。
【数７】
2020013147.tif 000009
【０２０７】
トランジスタ３９１０はＰチャネル型のトランジスタであるため、Ｖｔｈ＜０である。
よって、式（７）は式（８）に変形できる。
【数８】
2020013147.tif 000010
【０２０８】
また、トランジスタ３９１０を線形領域で動作させた場合、発光素子に流れる電流Ｉは
式（９）で表される。
【数９】
2020013147.tif 000011
【０２０９】
Ｖｔｈ＜０より、式（９）は式（１０）に変形できる。
【数１０】
2020013147.tif 000012
【０２１０】
ここで、Ｗはトランジスタ３９１０のチャネル幅、Ｌはチャネル長、μは移動度、Ｃｏ
ｘは蓄積容量を指す。
【０２１１】
式（８）及び式（１０）より、トランジスタ３９１０の動作領域が飽和領域、線形領域
のいずれの場合においても、発光素子３９１６に流れる電流は、トランジスタ３９１０の
しきい値電圧（Ｖｔｈ）に依存しない。よって、トランジスタ３９１０のしきい値電圧の
ばらつきに起因した電流値のばらつきを抑制し、輝度データに対応した電流を発光素子３
９１６に供給することができる。
【０２１２】
以上のことから、トランジスタ３９１０のしきい値電圧のばらつきに起因した輝度のば
らつきを抑制することができる。また、対向電極の電位を一定として動作させるため消費
電力を低くすることが可能となる。
【０２１３】
さらに、トランジスタ３９１０を飽和領域で動作させた場合においては、発光素子３９
１６の劣化による輝度のばらつきも抑制できる。発光素子３９１６が劣化すると、発光素
子３９１６のＶＥＬは増大し、トランジスタ３９１０の第１の電極、即ちソース電極の電
位は減少する。このとき、トランジスタ３９１０のソース電極は容量素子３９１５の第２
の電極に、トランジスタ３９１０のゲート電極は容量素子３９１５の第１の電極に接続さ
れており、なおかつゲート電極側は浮遊状態となっている。そのため、ソース電位の減少
に伴い、同じ電位だけトランジスタ３９１０のゲート電位も減少する。よって、トランジ
スタ３９１０のＶｇｓは変化しないため、たとえ発光素子が劣化してもトランジスタ３９
１０及び発光素子３９１６に流れる電流に影響しない。なお、式（８）においても発光素
子に流れる電流Ｉはソース電位やドレイン電位に依存しないことがわかる。
【０２１４】
よって、トランジスタ３９１０を飽和領域で動作させた場合においては、トランジスタ
３９１０のしきい値電圧のばらつき及び発光素子３９１６の劣化に起因したトランジスタ
３９１０に流れる電流のばらつきを抑制することができる。
【０２１５】
なお、トランジスタ３９１０を飽和領域で動作させた場合、降伏現象やチャネル長変調
による電流量の増加を抑制するために、トランジスタ３９１０のチャネル長Ｌは長い方が
より好ましい。
【０２１６】
また、初期化期間において発光素子３９１６に逆方向のバイアス電圧を印加しているた
め、発光素子における短絡箇所を絶縁化したり、発光素子の劣化を抑制することができる
。よって、発光素子の寿命を延ばすことができる。
【０２１７】
なお、図３９に示した発光素子３９１６は、特に限定されずＥＬ素子（有機ＥＬ素子、
無機ＥＬ素子又は有機物及び無機物を含むＥＬ素子）、電子放出素子、液晶素子、電子イ
ンクなどを適用することができる。
【０２１８】
また、トランジスタ３９１０は発光素子３９１６に供給する電流値を制御する機能を有
していれば良く、トランジスタの種類は特に限定されない。そのため、結晶性半導体膜を
用いた薄膜トランジスタ（ＴＦＴ）、非晶質シリコンや多結晶シリコンに代表される非単
結晶半導体膜を用いた薄膜トランジスタ、半導体基板やＳＯＩ基板を用いて形成されるト
ランジスタ、ＭＯＳ型トランジスタ、接合型トランジスタ、バイポーラトランジスタ、Ｚ
ｎＯやａ−ＩｎＧａＺｎＯなどの化合物半導体を用いたトランジスタ、有機半導体やカー
ボンナノチューブを用いたトランジスタ、その他のトランジスタを適用することができる
。
【０２１９】
第１のスイッチ３９１１は画素の階調に従った信号を信号線３９１７より画素に入力す
るタイミングを選択するものであり、第２のスイッチ３９１２はトランジスタ３９１０の
ゲート電極に所定の電位を与えるタイミングを選択し、トランジスタ３９１０のゲート電
極に所定の電位を供給するか否かを制御するものであり、第３のスイッチ３９１３は容量
素子３９１５に書き込まれた電位を初期化するための所定の電位を与えるタイミングを選
択したり、トランジスタ３９１０の第１の電極の電位を高くするものである。なお、第４
のスイッチ３９１４はデータ書き込み時における容量素子３９１５の第２の電極の電位の
変動を抑制するものである。そのため、第１のスイッチ３９１１、第２のスイッチ３９１
２、第３のスイッチ３９１３、第４のスイッチ３９１４は、上記機能を有していれば特に
限定されない。たとえば、トランジスタやダイオードでもよいし、それらを組み合わせた
論理回路でもよい。
【０２２０】
なお、トランジスタを用いた場合、トランジスタの極性（導電型）は特に限定されない
。ただし、オフ電流が少ないトランジスタを用いることが望ましい。オフ電流が少ないト
ランジスタとしては、ＬＤＤ領域を設けているものやマルチゲート構造にしているものな
どがある。また、Ｎチャネル型とＰチャネル型の両方を用いて、ＣＭＯＳ型のスイッチに
してもよい。
【０２２１】
たとえば、第１のスイッチ３９１１、第２のスイッチ３９１２、第３のスイッチ３９１
３、第４のスイッチ３９１４にＰチャネル型のトランジスタを適用した場合、それぞれの
スイッチのオンオフを制御する走査線にはオンさせたいときにはＬレベルの信号が、オフ
させたいときにはＨレベルの信号が入力される。
【０２２２】
この場合、Ｐチャネル型のトランジスタのみで画素を構成することができるため、製造
工程の簡略化を図ることができる。
【０２２３】
さらに、図９の表示装置に本実施形態で示した画素を適用することでき、実施の形態１
と同様、各行におけるデータ書き込み期間さえ重複しなければ、各行自由に初期化開始時
期を設定することができる。また、各画素は自身のアドレス期間を除き発光することが可
能であるため、１フレーム期間における発光期間の割合（即ち、デューティー比）を非常
に大きくでき、おおむね１００％にすることもできる。よって、輝度のばらつきが少なく
デューティー比が高い表示装置を得ることができる。
【０２２４】
また、しきい値書き込み期間を長く設定することも可能であるため、発光素子に流れる
電流値を制御するトランジスタのしきい値電圧をより正確に容量素子に書き込むことがで
きる。よって、表示装置としての信頼性が向上する。
【０２２５】
なお、本実施形態は、その他の実施の形態に示した画素構成とも自由に組み合わせるこ
とができる。例えば、第４のスイッチ３９１４がノード３９３０とノード３９３１との間
やトランジスタ３９１０の第１の電極とノード３９３２との間に接続されている場合や、
トランジスタ３９１０の第２の電極が第４のスイッチ３９１４を介して電源線３９２２と
接続されている場合などがある。ただし、電源線３９２２と、第２のスイッチ３９１２と
トランジスタ３９１０の第２の電極とを接続した配線との接続箇所をノード３９３５とす
ると、第４のスイッチ３９１４がノード３９３５と電源線３９２２との間に接続されてい
る場合には、初期化期間において第４のスイッチ３９１４をオフさせることはできない。
【０２２６】
上記に限らず、本実施形態に記載したトランジスタ３９１０は、他の実施形態に示した
画素にも適用することが可能である。
【０２２７】
（実施の形態７）
本実施形態では、本発明の画素の部分断面図の一形態について図１７を用いて説明する
。なお、本実施形態における部分断面図に示されているトランジスタは、発光素子に供給
する電流値を制御する機能を有するトランジスタである。
【０２２８】
まず、絶縁表面を有する基板１７１１上に下地膜１７１２を形成する。絶縁表面を有す
る基板１７１１としては、ガラス基板、石英基板、プラスチック基板（ポリイミド、アク
リル、ポリエチレンテレフタレート、ポリカーボネート、ポリアリレート、ポリエーテル
スルホン等）、セラミックス基板等の絶縁性基板の他、金属基板（タンタル、タングステ
ン、モリブデン等）や半導体基板等の表面に絶縁膜を形成したものも用いることができる
。ただし、少なくともプロセス中に発生する熱に耐えうる基板を使用する必要がある。
【０２２９】
下地膜１７１２としては、酸化珪素膜、窒化珪素膜または酸化窒化珪素膜（ＳｉＯｘＮ
ｙ）等の絶縁膜を用い、これら絶縁膜を単層又は２以上の複数層で形成する。なお、下地
膜１７１２は、スパッタ法、ＣＶＤ法等を用いて形成すればよい。本実施形態では下地膜
１７１２を単層としているが、もちろん２以上の複数層でも構わない。
【０２３０】
次に、下地膜１７１２上にトランジスタ１７１３を形成する。トランジスタ１７１３は
、少なくとも半導体層１７１４と、半導体層１７１４上に形成されたゲート絶縁膜１７１
５と、半導体層１７１４上にゲート絶縁膜１７１５を介して形成されたゲート電極１７１
６から構成されており、半導体層１７１４は、ソース領域及びドレイン領域を有する。
【０２３１】
半導体層１７１４は、アモルファスシリコン（ａ−Ｓｉ：Ｈ）の他、シリコン、シリコ
ン・ゲルマニウム（ＳｉＧｅ）等を主成分とする非晶質半導体、非晶質状態と結晶状態と
が混在したセミアモルファス半導体、及び非晶質半導体中に０．５ｎｍ〜２０ｎｍの結晶
粒を観察することができる微結晶半導体から選ばれたいずれかの非結晶性状態を有する膜
（即ち、非結晶性半導体膜）やポリシリコン（ｐ−Ｓｉ：Ｈ）等の結晶性半導体膜を用い
ることができる。なお、０．５ｎｍ〜２０ｎｍの結晶粒を観察することができる微結晶状
態はいわゆるマイクロクリスタルと呼ばれている。なお、半導体層１７１４に非結晶性半
導体膜を用いる場合には、スパッタ法、ＣＶＤ法等を用いて形成すれば良く、結晶性半導
体膜を用いる場合には、例えば非結晶性半導体膜を形成した後さらに結晶化すれば良い。
また、必要があればトランジスタのしきい値電圧を制御するために上記主成分の他に、微
量の不純物元素（リン、ヒ素、ボロン等）が含まれていても良い。
【０２３２】
次に、半導体層１７１４を覆ってゲート絶縁膜１７１５を形成する。ゲート絶縁膜１７
１５には、例えば酸化珪素、窒化珪素または窒化酸化珪素等を用いて単層または複数の膜
を積層させて形成する。なお、成膜方法には、ＣＶＤ法、スパッタ法等を用いることがで
きる。
【０２３３】
続いて、半導体層１７１４の上方にゲート絶縁膜１７１５を介してそれぞれゲート電極
１７１６を形成する。ゲート電極１７１６は単層で形成してもよいし、複数の金属膜を積
層して形成してもよい。なお、ゲート電極は、タンタル（Ｔａ）、タングステン（Ｗ）、
チタン（Ｔｉ）、モリブデン（Ｍｏ）、アルミニウム（Ａｌ）、銅（Ｃｕ）、クロム（Ｃ
ｒ）等から選ばれた金属元素の他にも、前記元素を主成分とする合金材料若しくは化合物
材料で形成することができる。例えば、第１の導電層として窒化タンタル（ＴａＮ）を用
い、第２の導電層としてタングステン（Ｗ）を用いた、第１の導電膜と第２の導電膜から
なるゲート電極としてもよい。
【０２３４】
次に、ゲート電極１７１６またはレジストを形成し所望の形状にしたものをマスクとし
て用い、半導体層１７１４にｎ型またはｐ型の導電性を付与する不純物を選択的に添加す
る。このようにして、半導体層１７１４に、チャネル形成領域および不純物領域（ソース
領域、ドレイン領域、ＧＯＬＤ領域、ＬＤＤ領域を含む）が形成される。また、添加され
る不純物元素の導電型によりＮチャネル型トランジスタ、またはＰチャネル型トランジス
タとを区別して作製することができる。
【０２３５】
なお、図１７は、ＬＤＤ領域１７２０を自己整合的に作製するために、ゲート電極１７
１６を覆うようにシリコン化合物、例えば、酸化シリコン膜、窒化シリコン膜若しくは酸
化窒化シリコン膜を形成した後、エッチバックしてサイドウォール１７１７を形成する。
その後、半導体層１７１４に導電性を付与する不純物を添加することにより、ソース領域
１７１８、ドレイン領域１７１９及びＬＤＤ領域１７２０を形成することができる。その
ため、ＬＤＤ領域１７２０はサイドウォール１７１７の下部に位置する。なお、サイドウ
ォール１７１７は、ＬＤＤ領域１７２０を自己整合的に形成するために設けるのであって
、必ずしも設けなくてもよい。なお、導電性を付与する不純物としてはリン、ヒ素、ボロ
ン等が用いられる。
【０２３６】
次に、ゲート電極１７１６を覆って、第１の層間絶縁膜１７３０として第１の絶縁膜１
７２１、第２の絶縁膜１７２２を積層し形成する。第１の絶縁膜１７２１、第２の絶縁膜
１７２２としては、酸化珪素膜、窒化珪素膜または酸化窒化珪素膜（ＳｉＯｘＮｙ）等の
無機絶縁膜、もしくは低誘電率の有機樹脂膜（感光性や非感光性の有機樹脂膜）を用いる
ことができる。また、シロキサンを含む膜を用いてもよい。なお、シロキサンは、シリコ
ン（Ｓｉ）と酸素（Ｏ）との結合で骨格構造が構成される材料であり、置換基としては、
有機基（例えばアルキル基、芳香族炭化水素）が用いられる。また、置換基にフルオロ基
を含んでいても良い。
【０２３７】
なお、第１の絶縁膜１７２１、第２の絶縁膜１７２２に同一材料の絶縁膜を用いても良
い。本実施形態では第１の層間絶縁膜１７３０を２層の積層構造としたが、１層としても
良いし、３層以上の積層構造としても良い。
【０２３８】
なお、第１の絶縁膜１７２１、第２の絶縁膜１７２２は、スパッタ法、ＣＶＤ法、スピ
ンコーティング法等を用いて形成すればよく、有機樹脂膜やシロキサンを含む膜を用いる
場合には塗布法を用いて形成すればよい。
【０２３９】
その後、第１の層間絶縁膜１７３０上にソース電極及びドレイン電極１７２３を形成す
る。なお、ソース電極及びドレイン電極１７２３は、それぞれコンタクトホールを介して
ソース領域１７１８、ドレイン領域１７１９に接続されている。
【０２４０】
なお、ソース電極及びドレイン電極１７２３は、銀（Ａｇ）、金（Ａｕ）、銅（Ｃｕ）
、ニッケル（Ｎｉ）、白金（Ｐｔ）、パラジウム（Ｐｄ）、イリジウム（Ｉｒ）、ロジウ
ム（Ｒｈ）、タングステン（Ｗ）、アルミニウム（Ａｌ）、タンタル（Ｔａ）、モリブデ
ン（Ｍｏ）、カドミウム（Ｃｄ）、亜鉛（Ｚｎ）、鉄（Ｆｅ）、チタン（Ｔｉ）、珪素（
Ｓｉ）、ゲルマニウム（Ｇｅ）、ジルコニウム（Ｚｒ）、バリウム（Ｂａ）等の金属又は
その合金、若しくはその金属窒化物、又はこれらの積層膜を用いることができる。
【０２４１】
次に、ソース電極及びドレイン電極１７２３を覆って第２の層間絶縁膜１７３１を形成
する。第２の層間絶縁膜１７３１としては、無機絶縁膜や、樹脂膜、又はこれらの積層を
用いることができる。無機絶縁膜としては、窒化珪素膜、酸化珪素膜、酸化窒化珪素膜又
はこれらを積層した膜を用いることができる。樹脂膜としては、ポリイミド、ポリアミド
、アクリル、ポリイミドアミド、エポキシなどを用いることができる。
【０２４２】
第２の層間絶縁膜１７３１上には画素電極１７２４を形成する。次に、画素電極１７２
４の端部を覆うように絶縁物１７２５を形成する。絶縁物１７２５は、後に形成される発
光物質を含む層１７２６の成膜を良好なものとするため、絶縁物１７２５の上端部または
下端部が曲率を有する曲面となるように形成することが好ましい。例えば、絶縁物１７２
５の材料としてポジ型の感光性アクリルを用いた場合、絶縁物１７２５の上端部のみに曲
率半径（０．２μｍ〜３μｍ）を有する曲面を持たせることが好ましい。また、絶縁物１
７２５として、感光性の光によってエッチャントに不溶解性となるネガ型、あるいは光に
よってエッチャントに溶解性となるポジ型のいずれも使用することができる。さらには、
絶縁物１７２５の材料として有機物に限らず酸化珪素、酸窒化珪素等の無機物も用いるこ
とできる。
【０２４３】
次に、画素電極１７２４及び絶縁物１７２５上に発光物質を含む層１７２６及び対向電
極１７２７を形成する。
【０２４４】
なお、画素電極１７２４と対向電極１７２７とにより発光物質を含む層１７２６が挟ま
れた領域では発光素子１７２８が形成されている。
【０２４５】
次に、発光素子１７２８の詳細について図１８を用いて説明する。なお、図１７におけ
る画素電極１７２４及び対向電極１７２７は、それぞれ図１８の画素電極１８０１、対向
電極１８０２に相当する。また、図１８（ａ）においては、画素電極を陽極、対向電極を
陰極とする。
【０２４６】
図１８（ａ）に示すように、画素電極１８０１と対向電極１８０２との間には、発光層
１８１３の他、正孔注入層１８１１、正孔輸送層１８１２、電子輸送層１８１４、電子注
入層１８１５等も設けられている。これらの層は、画素電極１８０１の電位が対向電極１
８０２の電位よりも高くなるように電圧を印加したときに、画素電極１８０１側から正孔
が注入され対向電極１８０２側から電子が注入されるように積層されている。
【０２４７】
このような発光素子において、画素電極１８０１から注入された正孔と、対向電極１８
０２から注入された電子とは、発光層１８１３において再結合し、発光物質を励起状態に
する。そして、励起状態の発光物質が基底状態に戻るときに発光する。なお、発光物質と
は、ルミネセンス（エレクトロルミネセンス）が得られる物質であれば良い。
【０２４８】
発光層１８１３を形成する物質について特に限定はなく、発光物質のみから形成された
層であっても良いが、濃度消光を生じる場合には発光物質が有するエネルギーギャップよ
りも大きいエネルギーギャップを有する物質（ホスト）からなる層中に発光物質が分散す
るように混合された層であることが好ましい。これによって、発光物質の濃度消光を防ぐ
ことができる。なお、エネルギーギャップとは最低空分子軌道（ＬＵＭＯ：Ｌｏｗｅｓｔ
Ｕｎｏｃｃｕｐｉｅｄ  Ｍｏｌｅｃｕｌａｒ  Ｏｒｂｉｔａｌ）準位と最高被占分子軌
道（ＨＯＭＯ：Ｈｉｇｈｅｓｔ  Ｏｃｃｕｐｉｅｄ  Ｍｏｌｅｃｕｌａｒ  Ｏｒｂｉｔａ
ｌ）準位とのエネルギー差をいう。
【０２４９】
また、発光物質についても特に限定はなく、所望の発光波長の発光をし得る物質を用い
ればよい。例えば、赤色系の発光を得たいときには、４−ジシアノメチレン−２−イソプ
ロピル−６−［２−（１，１，７，７−テトラメチルジュロリジン−９−イル）エテニル
］−４Ｈ−ピラン（略称：ＤＣＪＴＩ）、４−ジシアノメチレン−２−メチル−６−［２
−（１，１，７，７−テトラメチルジュロリジン−９−イル）エテニル］−４Ｈ−ピラン
（略称：ＤＣＪＴ）、４−ジシアノメチレン−２−ｔｅｒｔ−ブチル−６−［２−（１，
１，７，７−テトラメチルジュロリジン−９−イル）エテニル］−４Ｈ−ピラン（略称：
ＤＣＪＴＢ）やペリフランテン、２，５−ジシアノ−１，４−ビス［２−（１０−メトキ
シ−１，１，７，７−テトラメチルジュロリジン−９−イル）エテニル］ベンゼン等、６
００ｎｍから６８０ｎｍに発光スペクトルのピークを有する発光を呈する物質を用いるこ
とができる。また、緑色系の発光を得たいときは、Ｎ，Ｎ’−ジメチルキナクリドン（略
称：ＤＭＱｄ）、クマリン６やクマリン５４５Ｔ、トリス（８−キノリノラト）アルミニ
ウム（略称：Ａｌｑ）、Ｎ，Ｎ’−ジフェニルキナクリドン（略称：ＤＰＱｄ）等、５０
０ｎｍから５５０ｎｍに発光スペクトルのピークを有する発光を呈する物質を用いること
ができる。また、青色系の発光を得たいときは、９，１０−ビス（２−ナフチル）−ｔｅ
ｒｔ−ブチルアントラセン（略称：ｔ−ＢｕＤＮＡ）、９，９’−ビアントリル、９，１
０−ジフェニルアントラセン（略称：ＤＰＡ）や９，１０−ビス（２−ナフチル）アント
ラセン（略称：ＤＮＡ）、ビス（２−メチル−８−キノリノラト）−４−フェニルフェノ
ラト−ガリウム（ＢＧａｑ）、ビス（２−メチル−８−キノリノラト）−４−フェニルフ
ェノラト−アルミニウム（ＢＡｌｑ）等、４２０ｎｍから５００ｎｍに発光スペクトルの
ピークを有する発光を呈する物質を用いることができる。
【０２５０】
発光物質を分散状態にするために用いる物質についても特に限定はなく、例えば、９，
１０−ジ（２−ナフチル）−２−ｔｅｒｔ−ブチルアントラセン（略称：ｔ−ＢｕＤＮＡ
）等のアントラセン誘導体、または４，４’−ビス（Ｎ−カルバゾリル）ビフェニル（略
称：ＣＢＰ）等のカルバゾール誘導体の他、ビス［２−（２−ヒドロキシフェニル）ピリ
ジナト］亜鉛（略称：Ｚｎｐｐ２）、ビス［２−（２−ヒドロキシフェニル）ベンゾオキ
サゾラト］亜鉛（略称：ＺｎＢＯＸ）等の金属錯体等を用いることができる。
【０２５１】
画素電極１８０１を形成する陽極材料は特に限定はされないが、仕事関数の大きい（仕
事関数４．０ｅＶ以上）金属、合金、電気伝導性化合物、及びこれらの混合物などを用い
ることが好ましい。このような陽極材料の具体例としては、金属材料の酸化物として、イ
ンジウム錫酸化物（略称：ＩＴＯ）、酸化珪素を含有するＩＴＯ（略称：ＩＴＳＯ）、酸
化インジウムに２〜２０［ｗｔ％］の酸化亜鉛（ＺｎＯ）を混合したターゲットを用いて
形成されるインジウム亜鉛酸化物（略称：ＩＺＯ）の他、金（Ａｕ）、白金（Ｐｔ）、ニ
ッケル（Ｎｉ）、タングステン（Ｗ）、クロム（Ｃｒ）、モリブデン（Ｍｏ）、鉄（Ｆｅ
）、コバルト（Ｃｏ）、銅（Ｃｕ）、パラジウム（Ｐｄ）、または金属材料の窒化物（例
えば、ＴｉＮ）等を挙げることができる。
【０２５２】
一方、対向電極１８０２を形成する物質としては、仕事関数の小さい（仕事関数３．８
ｅＶ以下）金属、合金、電気伝導性化合物、及びこれらの混合物などを用いることができ
る。このような陰極材料の具体例としては、周期表の１族または２族に属する元素、すな
わちリチウム（Ｌｉ）やセシウム（Ｃｓ）等のアルカリ金属またはマグネシウム（Ｍｇ）
、カルシウム（Ｃａ）、ストロンチウム（Ｓｒ）等のアルカリ土類金属、及びこれらを含
む合金（Ｍｇ：Ａｇ、Ａｌ：Ｌｉ）が挙げられる。また、対向電極１８０２と発光層１８
１３との間に、電子注入性に優れた層を当該対向電極と積層して設けることにより、仕事
関数の大小に関わらず、Ａｌ、Ａｇ、ＩＴＯや酸化珪素を含有するＩＴＯ等の画素電極１
８０１の材料として挙げた材料も含めた様々な導電性材料を対向電極１８０２として用い
ることができる。また、後述する電子注入層１８１５に、特に電子を注入する機能に優れ
た材料を用いることにより同様の効果を得ることができる。
【０２５３】
なお、発光した光を外部に取り出すために、画素電極１８０１と対向電極１８０２のい
ずれか一または両方がＩＴＯ等の透明電極、または可視光が透過出来るような数〜数十ｎ
ｍの厚さで形成された電極であることが好ましい。
【０２５４】
画素電極１８０１と発光層１８１３との間には、図１８（ａ）に示すように正孔輸送層
１８１２を有する。正孔輸送層とは、画素電極１８０１から注入された正孔を発光層１８
１３へ輸送する機能を有する層である。このように、正孔輸送層１８１２を設け、画素電
極１８０１と発光層１８１３とを離すことによって、発光が金属に起因して消光すること
を防ぐことができる。
【０２５５】
なお、正孔輸送層１８１２には、正孔輸送性の高い物質を用いて形成することが好まし
く、特に１×１０−６ｃｍ２／Ｖｓ以上の正孔移動度を有する物質を用いて形成すること
が好ましい。なお、正孔輸送性の高い物質とは、電子よりも正孔の移動度が高い物質をい
う。正孔輸送層１８１２を形成するのに用いることができる物質の具体例としては、４，
４’−ビス［Ｎ−（１−ナフチル）−Ｎ−フェニルアミノ］ビフェニル（略称：ＮＰＢ）
、４，４’−ビス［Ｎ−（３−メチルフェニル）−Ｎ−フェニルアミノ］ビフェニル（略
称：ＴＰＤ）、４，４’，４’’−トリス（Ｎ，Ｎ−ジフェニルアミノ）トリフェニルア
ミン（略称：ＴＤＡＴＡ）、４，４’，４’’−トリス［Ｎ−（３−メチルフェニル）−
Ｎ−フェニルアミノ］トリフェニルアミン（略称：ＭＴＤＡＴＡ）、４，４’−ビス｛Ｎ
−［４−（Ｎ，Ｎ−ジ−ｍ−トリルアミノ）フェニル］−Ｎ−フェニルアミノ｝ビフェニ
ル（略称：ＤＮＴＰＤ）、１，３，５−トリス［Ｎ，Ｎ−ジ（ｍ−トリル）アミノ］ベン
ゼン（略称：ｍ−ＭＴＤＡＢ）、４，４’，４’’−トリス（Ｎ−カルバゾリル）トリフ
ェニルアミン（略称：ＴＣＴＡ）、フタロシアニン（略称：Ｈ２Ｐｃ）、銅フタロシアニ
ン（略称：ＣｕＰｃ）、バナジルフタロシアニン（略称：ＶＯＰｃ）等が挙げられる。ま
た、正孔輸送層１８１２は、以上に述べた物質から成る層を二以上組み合わせて形成した
多層構造の層であってもよい。
【０２５６】
また、対向電極１８０２と発光層１８１３との間には、図１８（ａ）に示すように電子
輸送層１８１４を有していてもよい。ここで、電子輸送層とは、対向電極１８０２から注
入された電子を発光層１８１３へ輸送する機能を有する層である。このように、電子輸送
層１８１４を設け、対向電極１８０２と発光層１８１３とを離すことによって発光が電極
材料の金属に起因して消光することを防ぐことができる。
【０２５７】
電子輸送層１８１４について特に限定はなく、トリス（８−キノリノラト）アルミニウ
ム（略称：Ａｌｑ）、トリス（４−メチル−８−キノリノラト）アルミニウム（略称：Ａ
ｌｍｑ３）、ビス（１０−ヒドロキシベンゾ［ｈ］−キノリナト）ベリリウム（略称：Ｂ
ｅＢｑ２）、ビス（２−メチル−８−キノリノラト）−４−フェニルフェノラト−アルミ
ニウム（略称：ＢＡｌｑ）など、キノリン骨格またはベンゾキノリン骨格を有する金属錯
体等によって形成されたものを用いることができる。この他、ビス［２−（２−ヒドロキ
シフェニル）−ベンゾオキサゾラト］亜鉛（略称：Ｚｎ（ＢＯＸ）２）、ビス［２−（２
−ヒドロキシフェニル）−ベンゾチアゾラト］亜鉛（略称：Ｚｎ（ＢＴＺ）２）などのオ
キサゾール系、チアゾール系配位子を有する金属錯体等によって形成されたものであって
もよい。また、２−（４−ビフェニリル）−５−（４−ｔｅｒｔ−ブチルフェニル）−１
，３，４−オキサジアゾール（略称：ＰＢＤ）や、１，３−ビス［５−（ｐ−ｔｅｒｔ−
ブチルフェニル）−１，３，４−オキサジアゾール−２−イル］ベンゼン（略称：ＯＸＤ
−７）、３−（４−ｔｅｒｔ−ブチルフェニル）−４−フェニル−５−（４−ビフェニリ
ル）−１，２，４−トリアゾール（略称：ＴＡＺ）、３−（４−ｔｅｒｔ−ブチルフェニ
ル）−４−（４−エチルフェニル）−５−（４−ビフェニリル）−１，２，４−トリアゾ
ール（略称：ｐ−ＥｔＴＡＺ）、バソフェナントロリン（略称：ＢＰｈｅｎ）、バソキュ
プロイン（略称：ＢＣＰ）等を用いて形成されたものであってもよい。電子輸送層１８１
４は、以上に記載したような正孔の移動度よりも電子の移動度が高い物質を用いて形成す
ることが好ましい。また、電子輸送層１８１４は、１０−６ｃｍ２／Ｖｓ以上の電子移動
度を有する物質を用いて形成することがより好ましい。なお、電子輸送層１８１４は、以
上に述べた物質から成る層を二以上組み合わせて形成した多層構造であってもよい。
【０２５８】
さらに、画素電極１８０１と正孔輸送層１８１２との間には、図１８（ａ）に示すよう
に、正孔注入層１８１１を有していてもよい。ここで、正孔注入層とは、陽極として機能
する電極から正孔輸送層１８１２へ正孔の注入を促す機能を有する層である。
【０２５９】
正孔注入層１８１１について特に限定はなく、モリブデン酸化物（ＭｏＯｘ）やバナジ
ウム酸化物（ＶＯｘ）、ルテニウム酸化物（ＲｕＯｘ）、タングステン酸化物（ＷＯｘ）
、マンガン酸化物（ＭｎＯｘ）等の金属酸化物によって形成されたものを用いることがで
きる。この他、フタロシアニン（略称：Ｈ２Ｐｃ）や銅フタロシアニン（ＣｕＰｃ）等の
フタロシアニン系の化合物、４，４−ビス（Ｎ−（４−（Ｎ，Ｎ−ジ−ｍ−トリルアミノ
）フェニル）−Ｎ−フェニルアミノ）ビフェニル（略称：ＤＮＴＰＤ）等の芳香族アミン
系の化合物、或いはポリ（エチレンジオキシチオフェン）／ポリ（スチレンスルホン酸）
水溶液（ＰＥＤＯＴ／ＰＳＳ）等の高分子等によっても正孔注入層１８１１を形成するこ
とができる。
【０２６０】
また、前記金属酸化物と、正孔輸送性の高い物質とを混合したものを、画素電極１８０
１と正孔輸送層１８１２との間に設けても良い。このような層は、厚膜化しても駆動電圧
の上昇を伴わないため、層の膜厚を調整することでマイクロキャビティ効果や光の干渉効
果を利用した光学設計を行うことができる。そのため、色純度に優れ、視野角に依存する
色変化などが小さい高品質な発光素子を作製することができる。また、画素電極１８０１
の表面に成膜時に発生する凹凸や電極表面に残った微少な残渣の影響で画素電極１８０１
と対向電極１８０２がショートすることを防ぐ膜厚を選ぶことができる。
【０２６１】
また、対向電極１８０２と電子輸送層１８１４との間には、図１８（ａ）に示すように
、電子注入層１８１５を有していてもよい。ここで、電子注入層とは、陰極として機能す
る電極から電子輸送層１８１４へ電子の注入を促す機能を有する層である。なお、電子輸
送層を特に設けない場合は、陰極として機能する電極と発光層との間に電子注入層を設け
、発光層への電子の注入を補助してもよい。
【０２６２】
電子注入層１８１５について特に限定はなく、フッ化リチウム（ＬｉＦ）、フッ化セシ
ウム（ＣｓＦ）、フッ化カルシウム（ＣａＦ２）等のようなアルカリ金属又はアルカリ土
類金属の化合物を用いて形成されたものを用いることができる。この他、Ａｌｑまたは４
，４−ビス（５−メチルベンズオキサゾル−２−イル）スチルベン（ＢｚＯｓ）等のよう
に電子輸送性の高い物質と、マグネシウムまたはリチウム等のようにアルカリ金属又はア
ルカリ土類金属とを混合したものも、電子注入層１８１５として用いることができる。
【０２６３】
なお、正孔注入層１８１１、正孔輸送層１８１２、発光層１８１３、電子輸送層１８１
４、電子注入層１８１５は、それぞれ、蒸着法、インクジェット法、または塗布法等、い
ずれの方法で形成しても構わない。また、画素電極１８０１または対向電極１８０２につ
いても、スパッタ法または蒸着法等、いずれの方法を用いて形成しても構わない。
【０２６４】
また、発光素子の層構造は、図１８（ａ）に記載したものに限定されず、図１８（ｂ）
に示すように陰極として機能する電極から順に作製してもよい。つまり、画素電極１８０
１を陰極とし、画素電極１８０１上に電子注入層１８１５、電子輸送層１８１４、発光層
１８１３、正孔輸送層１８１２、正孔注入層１８１１、対向電極１８０２の順で積層して
も良い。なお、対向電極１８０２は陽極として機能する。
【０２６５】
なお、発光素子は、発光層が一層のものについて記載したが、複数の発光層を有するも
のであってもよい。複数の発光層を設け、それぞれの発光層からの発光を混合することで
、白色光を得ることができる。たとえば２層の発光層を有する発光素子の場合、第１の発
光層と第２の発光層との間には、間隔層や、正孔を発生する層及び電子を発生する層を設
けることが好ましい。このような構成により、外部に射出したそれぞれの発光は、視覚的
に混合され、白色光として視認される。よって、白色光を得ることができる。
【０２６６】
また、発光は、図１７において画素電極１７２４または対向電極１７２７のいずれか一
方または両方を通って外部に取り出される。従って、画素電極１７２４または対向電極１
７２７のいずれか一方または両方は、透光性を有する物質で成る。
【０２６７】
対向電極１７２７のみが透光性を有する物質からなる場合、図１９（ａ）に示すように
発光は対向電極１７２７を通って基板と逆側から取り出される。また、画素電極１７２４
のみが透光性を有する物質からなる場合、図１９（ｂ）に示すように発光は画素電極１７
２４を通って基板側から取り出される。画素電極１７２４および対向電極１７２７がいず
れも透光性を有する物質からなるものである場合、図１９（ｃ）に示すように発光は画素
電極１７２４および対向電極１７２７を通って、基板側および基板と逆側の両方から取り
出される。
【０２６８】
配線や電極は、上述した材料に限らず、アルミニウム（Ａｌ）、タンタル（Ｔａ）、チ
タン（Ｔｉ）、モリブデン（Ｍｏ）、タングステン（Ｗ）、ネオジム（Ｎｄ）、クロム（
Ｃｒ）、ニッケル（Ｎｉ）、白金（Ｐｔ）、金（Ａｕ）、銀（Ａｇ）、銅（Ｃｕ）、マグ
ネシウム（Ｍｇ）、スカンジウム（Ｓｃ）、コバルト（Ｃｏ）、ニッケル（Ｎｉ）、亜鉛
（Ｚｎ）、ニオブ（Ｎｂ）、シリコン（Ｓｉ）、リン（Ｐ）、ボロン（Ｂ）、ヒ素（Ａｓ
）、ガリウム（Ｇａ）、インジウム（Ｉｎ）、錫（Ｓｎ）の群から選ばれた一つ又は複数
の元素、もしくは前記群から選ばれた一つ又は複数の元素を成分とする化合物や合金材料
（例えば、インジウム錫酸化物（ＩＴＯ）、インジウム亜鉛酸化物（ＩＺＯ）、酸化珪素
を含有するＩＴＯ（ＩＴＳＯ）、酸化亜鉛（ＺｎＯ）、アルミネオジム（Ａｌ−Ｎｄ）、
マグネシウム銀（Ｍｇ−Ａｇ）など）、もしくはこれらの化合物を組み合わせた物質など
を用いて形成することができる。また、これらとシリコンの化合物（シリサイド）（例え
ば、アルミシリコン、モリブデンシリコン、ニッケルシリサイドなど）や窒素の化合物（
例えば、窒化チタン、窒化タンタル、窒化モリブデン等）を用いて形成しても良い。なお
、シリコン（Ｓｉ）には、ｎ型不純物（リンなど）やｐ型不純物（ボロンなど）が多く含
まれていても良い。これらの不純物を含むことにより導電率が向上し、通常の導体と同様
の振る舞いをするため配線や電極として利用しやすくなる。なお、シリコンには、単結晶
、多結晶（ポリシリコン）、非晶質（アモルファスシリコン）のいずれを用いてもよく、
単結晶シリコンや多結晶シリコンを用いた際には抵抗を小さくすることができ、非晶質シ
リコンでは簡単な製造工程で作ることができる。
【０２６９】
また、アルミニウムや銀を用いた際には、導電率が高いため信号遅延を低減することが
可能である。また、エッチングが容易であるため、パターニングしやすく微細加工を行う
ことができる。また、銅においても、導電率が高いため信号遅延を低減することができる
。モリブデンは、ＩＴＯ、ＩＺＯなどの酸化物半導体やシリコンと接触しても、材質不良
を起こす等の問題を生じることなく製造できる。また、パターニングやエッチングを行い
やすく耐熱性が高いため望ましい。チタンにおいても、ＩＴＯ、ＩＺＯなどの酸化物半導
体やシリコンと接触しても材質不良を起こす等の問題を生じることなく製造でき、なおか
つ優れた耐熱性を有するため望ましい。また、タングステンやネオジムは、優れた耐熱性
を有するため望ましい。なお、ネオジムはアルミニウムとの合金にすると耐熱性が向上し
、アルミニウムのヒロックを抑制することができる。また、シリコンは、トランジスタが
有する半導体層と同時に形成することが可能であり、高い耐熱性を有する。また、インジ
ウム錫酸化物（ＩＴＯ）、インジウム亜鉛酸化物（ＩＺＯ）、酸化珪素を含有するＩＴＯ
（ＩＴＳＯ）、酸化亜鉛（ＺｎＯ）、シリコン（Ｓｉ）は透光性を有するため、光を透過
させるような部分に用いる際には特に望ましい。これらは、例えば画素電極や共通電極と
して用いることができる。
【０２７０】
なお、配線や電極は、上記材料を用いて形成された単層構造もしくは多層構造であって
もよい。例えば、単層構造で形成する場合には、製造工程を簡略化することができ、コス
トを低減することができる。また、多層構造では、それぞれの材料のメリットを生かし、
デメリットを低減させることが可能であるため、性能に優れた配線や電極を形成すること
ができる。たとえば、抵抗の低い材料（アルミニウムなど）を多層構造の中に含むように
形成することにより、配線の低抵抗化を図ることができる。また、耐熱性の高い材料を含
むような構成（例えば、耐熱性が低いが他のメリットを有する材料を耐熱性が高い材料で
挟むような積層構造）にすれば、耐熱性を向上でき、なおかつ単層では生かせなかったメ
リットを生かすことが可能となる。例えば、アルミニウムを含む層をモリブデンやチタン
を含む層により挟む構成の配線や電極を用いると望ましい。また、配線や電極が他の材料
の配線や電極等と直接接するような部分がある場合、お互いに悪影響を及ぼすことがある
。例えば、一方の材料が他方の材料の中に混入し、各々の材料の性質を変えてしまい、本
来の目的を果たせなくなったり、製造する際に問題が生じ正常に製造できなくなったりす
ることがある。このような場合、ある層を他の層で挟んだり、覆ったりすることにより解
決することができる。例えば、インジウム錫酸化物（ＩＴＯ）とアルミニウムを接触させ
たい場合は、間にチタンやモリブデンを挟むことが望ましい。また、シリコンとアルミニ
ウムを接触させたい場合も同様に、間にチタンやモリブデンを挟むことが望ましい。
【０２７１】
次に、トランジスタ１７１３に非結晶性の半導体膜を半導体層に用いた順スタガ構造の
トランジスタについて説明する。画素の部分断面図を図２０に示す。なお、図２０では、
順スタガ構造のトランジスタを記すと共に、画素が有する容量素子についても合わせて説
明する。
【０２７２】
図２０に示すように、基板２０１１上に下地膜２０１２が形成されている。さらに下地
膜２０１２上に画素電極２０１３が形成されている。また、画素電極２０１３と同層に同
じ材料からなる第１の電極２０１４が形成されている。
【０２７３】
さらに、下地膜２０１２上に配線２０１５及び配線２０１６が形成され、画素電極２０
１３の端部は配線２０１５で覆われている。配線２０１５及び配線２０１６の上部にＮ型
の導電型を有するＮ型半導体層２０１７及びＮ型半導体層２０１８が形成されている。ま
た、配線２０１５と配線２０１６の間であって、下地膜２０１２上に半導体層２０１９が
形成されている。そして、半導体層２０１９の一部はＮ型半導体層２０１７及びＮ型半導
体層２０１８上にまで延長されている。なお、この半導体層はアモルファスシリコン（ａ
−Ｓｉ：Ｈ）等の非晶質半導体、セミアモルファス半導体、微結晶半導体等の非結晶性の
半導体膜で形成されている。また、半導体層２０１９上にゲート絶縁膜２０２０が形成さ
れている。また、ゲート絶縁膜２０２０と同層の同じ材料からなる絶縁膜２０２１が第１
の電極２０１４上にも形成されている。
【０２７４】
さらに、ゲート絶縁膜２０２０上に、ゲート電極２０２２が形成され、トランジスタ２
０２５が形成されている。また、ゲート電極２０２２と同層に同じ材料でなる第２の電極
２０２３が第１の電極２０１４上に絶縁膜２０２１を介して形成され、絶縁膜２０２１が
第１の電極２０１４と第２の電極２０２３とで挟まれた構成の容量素子２０２４が形成さ
れている。また、画素電極２０１３の端部、トランジスタ２０２５及び容量素子２０２４
を覆って、層間絶縁膜２０２６が形成されている。
【０２７５】
層間絶縁膜２０２６及びその開口部に位置する画素電極２０１３上に発光物質を含む層
２０２７及び対向電極２０２８が形成され、発光物質を含む層２０２７が画素電極２０１
３と対向電極２０２８とで挟まれた領域で発光素子２０２９が形成されている。
【０２７６】
また、図２０（ａ）に示す第１の電極２０１４を図２０（ｂ）に示すように配線２０１
５及び２０１６と同層の同一材料で形成し、絶縁膜２０２１が第１の電極２０３０と第２
の電極２０２３とで挟まれた構成の容量素子２０３１としても良い。また、図２０におい
て、トランジスタ２０２５にＮチャネル型トランジスタを用いたが、Ｐチャネル型トラン
ジスタでも良い。
【０２７７】
基板２０１１、下地膜２０１２、画素電極２０１３、ゲート絶縁膜２０２０、ゲート電
極２０２２、層間絶縁膜２０２６、発光物質を含む層２０２７及び対向電極２０２８に用
いられる材料は、図１７において説明した基板１７１１、下地膜１７１２、画素電極１７
２４、ゲート絶縁膜１７１５、ゲート電極１７１６、層間絶縁膜１７３０及び１７３１、
発光物質を含む層１７２６及び対向電極１７２７と同様の材料をそれぞれ用いることがで
きる。また、配線２０１５、配線２０１６は、図１７におけるソース電極及びドレイン電
極１７２３と同様の材料を用いれば良い。
【０２７８】
次に、半導体層に非結晶性の半導体膜を用いたトランジスタの他の構成として、基板と
半導体層の間にゲート電極が挟まれた構造、つまり半導体層の下にゲート電極が位置する
ボトムゲート型のトランジスタを有する画素の部分断面図を図２１に示す。
【０２７９】
基板２１１１上に下地膜２１１２が形成されている。さらに下地膜２１１２上にゲート
電極２１１３が形成されている。また、ゲート電極２１１３と同層に同じ材料からなる第
１の電極２１１４が形成されている。ゲート電極２１１３の材料には図１７におけるゲー
ト電極１７１６に使用される材料の他、リンが添加された多結晶シリコンや金属とシリコ
ンの化合物であるシリサイドでもよい。
【０２８０】
また、ゲート電極２１１３及び第１の電極２１１４を覆うようにゲート絶縁膜２１１５
が形成されている。
【０２８１】
ゲート絶縁膜２１１５上に、半導体層２１１６が形成されている。また、半導体層２１
１６と同層に同じ材料からなる半導体層２１１７が第１の電極２１１４上に形成されてい
る。なお、この半導体層はアモルファスシリコン（ａ−Ｓｉ：Ｈ）等の非晶質半導体、セ
ミアモルファス半導体、微結晶半導体等の非結晶性の半導体膜で形成されている。
【０２８２】
半導体層２１１６上にはＮ型の導電型を有するＮ型半導体層２１１８及びＮ型半導体層
２１１９が形成され、半導体層２１１７上にはＮ型半導体層２１２０が形成されている。
【０２８３】
Ｎ型半導体層２１１８及びＮ型半導体層２１１９上にはそれぞれ配線２１２１、配線２
１２２が形成され、トランジスタ２１２９が形成された。また、Ｎ型半導体層２１２０上
には配線２１２１及び配線２１２２と同層の同一材料からなる導電層２１２３が形成され
、この導電層２１２３と、Ｎ型半導体層２１２０と、半導体層２１１７とで第２の電極を
構成している。なお、この第２の電極と第１の電極２１１４とでゲート絶縁膜２１１５が
挟み込まれた構成の容量素子２１３０が形成されている。
【０２８４】
また、配線２１２１の一方の端部は延在し、その延在した配線２１２１上部に接して画
素電極２１２４が形成されている。
【０２８５】
また、画素電極２１２４の端部、トランジスタ２１２９及び容量素子２１３０を覆うよ
うに絶縁物２１２５が形成されている。
【０２８６】
画素電極２１２４及び絶縁物２１２５上には発光物質を含む層２１２６及び対向電極２
１２７が形成され、画素電極２１２４と対向電極２１２７とで発光物質を含む層２１２６
が挟まれた領域では発光素子２１２８が形成されている。
【０２８７】
容量素子２１３０の第２の電極の一部となる半導体層２１１７及びＮ型半導体層２１２
０は特に設けなくても良い。つまり、第２の電極を導電層２１２３とし、第１の電極２１
１４と導電層２１２３とでゲート絶縁膜２１１５が挟まれた構造の容量素子としてもよい
。
【０２８８】
また、トランジスタ２１２９にＮチャネル型トランジスタを用いたが、Ｐチャネル型ト
ランジスタでも良い。
【０２８９】
なお、図２１（ａ）において、配線２１２１を形成する前に画素電極２１２４を形成す
ることで、図２１（ｂ）に示すような画素電極２１２４と同層の同一材料からなる第２の
電極２１３１と第１の電極２１１４とでゲート絶縁膜２１１５が挟まれた構成の容量素子
２１３２を形成することができる。
【０２９０】
逆スタガ型のチャネルエッチ構造のトランジスタについて示したが、もちろんチャネル
保護構造のトランジスタでも良い。次に、チャネル保護構造のトランジスタの場合につい
て図２２を用いて説明する。なお、図２２において、図２１と同様のものに関しては共通
の符号を用いて示す。
【０２９１】
図２２（ａ）に示すチャネル保護型構造のトランジスタ２２０１は、図２１（ａ）に示
したチャネルエッチ構造のトランジスタ２１２９とは半導体層２１１６においてチャネル
が形成される領域上にエッチングのマスクとなる絶縁物２２０２が設けられている点で異
なる。
【０２９２】
同様に、図２２（ｂ）に示すチャネル保護型構造のトランジスタ２２０１は、図２１（
ｂ）に示したチャネルエッチ構造のトランジスタ２１２９とは半導体層２１１６において
チャネルが形成される領域上にエッチングのマスクとなる絶縁物２２０２が設けられてい
る点で異なる。
【０２９３】
本発明の画素を構成するトランジスタの半導体層に非結晶性の半導体膜を用いることで
、製造コストを削減することができる。なお、各材料には図１７において説明したものを
用いることができる。
【０２９４】
また、トランジスタの構造や容量素子の構成は上述したものに限られず、さまざまな構
造もしくは構成のトランジスタや容量素子を用いることができる。
【０２９５】
また、トランジスタの半導体層にはアモルファスシリコン（ａ−Ｓｉ：Ｈ）等の非晶質
半導体、セミアモルファス半導体、微結晶半導体等の非結晶性の半導体膜の他、ポリシリ
コン（ｐ−Ｓｉ：Ｈ）等の結晶性半導体膜を用いても良い。
【０２９６】
図２３に、半導体層に結晶性半導体膜を用いたトランジスタを有する画素の部分断面図
を示し、以下に説明する。なお、図２３に示すトランジスタ２３１８は、図２９で示した
マルチゲート型のトランジスタである。
【０２９７】
図２３に示すように、基板２３０１上に下地膜２３０２が形成され、その上に半導体層
２３０３が形成されている。なお、半導体層２３０３は、結晶性半導体膜を所望の形状に
パターニングし形成する。
【０２９８】
結晶性半導体膜の作製方法の一例を以下に記す。まず、基板２３０１上にスパッタ法、
ＣＶＤ法等によりアモルファスシリコン膜を成膜する。成膜材料は、アモルファスシリコ
ン膜に限定する必要はなく、非晶質半導体、セミアモルファス半導体、微結晶半導体等の
非結晶性半導体膜であれば良い。また、非晶質シリコンゲルマニウム膜などの非晶質構造
を含む化合物半導体膜を用いても良い。
【０２９９】
そして、成膜したアモルファスシリコン膜を熱結晶化法、レーザー結晶化法、またはニ
ッケルなどの触媒元素を用いた熱結晶化法等を用いて結晶化し、結晶性半導体膜を得る。
なお、これらの結晶化方法を組み合わせて結晶化しても良い。
【０３００】
熱結晶化法により結晶性半導体膜を形成する場合には、加熱炉、レーザ照射、若しくは
ＲＴＡ（Ｒａｐｉｄ  Ｔｈｅｒｍａｌ  Ａｎｎｅａｌｉｎｇ）、又はこれらを組み合わせ
て用いることができる。
【０３０１】
また、レーザー結晶化法により結晶性半導体膜を形成する場合には、連続発振型のレー
ザビーム（ＣＷレーザビーム）やパルス発振型のレーザビーム（パルスレーザビーム）を
用いることができる。ここで用いることができるレーザビームは、Ａｒレーザ、Ｋｒレー
ザ、エキシマレーザなどの気体レーザ、単結晶のＹＡＧ、ＹＶＯ４、フォルステライト（
Ｍｇ２ＳｉＯ４）、ＹＡｌＯ３、ＧｄＶＯ４、若しくは多結晶（セラミック）のＹＡＧ、
Ｙ２Ｏ３、ＹＶＯ４、ＹＡｌＯ３、ＧｄＶＯ４に、ドーパントとしてＮｄ、Ｙｂ、Ｃｒ、
Ｔｉ、Ｈｏ、Ｅｒ、Ｔｍ、Ｔａのうち１種または複数種添加されているものを媒質とする
レーザ、ガラスレーザ、ルビーレーザ、アレキサンドライトレーザ、Ｔｉ：サファイアレ
ーザ、銅蒸気レーザまたは金蒸気レーザのうち一種または複数種から発振されるものを用
いることができる。このようなレーザビームの基本波、及びこれらの基本波の第２高調波
から第４高調波のレーザビームを照射することで、大粒径の結晶を得ることができる。例
えば、Ｎｄ：ＹＶＯ４レーザ（基本波１０６４ｎｍ）の第２高調波（５３２ｎｍ）や第３
高調波（３５５ｎｍ）を用いることができる。このときレーザのエネルギー密度は０．０
１〜１００ＭＷ／ｃｍ２程度（好ましくは０．１〜１０ＭＷ／ｃｍ２）必要である。そし
て、走査速度を１０〜２０００ｃｍ／ｓｅｃ程度として照射する。
【０３０２】
なお、単結晶のＹＡＧ、ＹＶＯ４、フォルステライト（Ｍｇ２ＳｉＯ４）、ＹＡｌＯ３
、ＧｄＶＯ４、若しくは多結晶（セラミック）のＹＡＧ、Ｙ２Ｏ３、ＹＶＯ４、ＹＡｌＯ
３、ＧｄＶＯ４に、ドーパントとしてＮｄ、Ｙｂ、Ｃｒ、Ｔｉ、Ｈｏ、Ｅｒ、Ｔｍ、Ｔａ
のうち１種または複数種添加されているものを媒質とするレーザ、Ａｒイオンレーザ、ま
たはＴｉ：サファイアレーザは、連続発振をさせることが可能であり、Ｑスイッチ動作や
モード同期などを行うことによって１０ＭＨｚ以上の発振周波数でパルス発振をさせるこ
とも可能である。１０ＭＨｚ以上の発振周波数でレーザビームを発振させると、半導体膜
がレーザによって溶融してから固化するまでの間に、次のパルスが半導体膜に照射される
。従って、発振周波数が低いパルスレーザを用いる場合と異なり、半導体膜中において固
液界面を連続的に移動させることができるため、走査方向に向かって連続的に成長した結
晶粒を得ることができる。
【０３０３】
また、ニッケルなどの触媒元素を用いた熱結晶化法により結晶性半導体膜を形成する場
合には、結晶化後にニッケルなどの触媒元素を除去するゲッタリング処理を行うことが好
ましい。
【０３０４】
上述した結晶化によって、非晶質半導体膜に部分的に結晶化された領域が形成される。
この部分的に結晶化された結晶性半導体膜を所望の形状にパターニングして島状の半導体
膜を形成する。この半導体膜をトランジスタの半導体層２３０３に用いる。
【０３０５】
また、結晶性半導体層は、トランジスタ２３１８のチャネル形成領域２３０４及びソー
ス領域又はドレイン領域となる不純物領域２３０５に用いられる他、容量素子２３１９の
下部電極となる半導体層２３０６及び不純物領域２３０８にも用いられる。なお、不純物
領域２３０８は特に設ける必要はない。また、チャネル形成領域２３０４及び半導体層２
３０６にはチャネルドープが行われていても良い。
【０３０６】
次に、半導体層２３０３及び容量素子２３１９の下部電極上にはゲート絶縁膜２３０９
が形成されている。さらに、半導体層２３０３上にはゲート絶縁膜２３０９を介してゲー
ト電極２３１０が、容量素子２３１９の半導体層２３０６上にはゲート絶縁膜２３０９を
介してゲート電極２３１０と同層に同じ材料からなる上部電極２３１１が形成されている
。このようにして、トランジスタ２３１８及び容量素子２３１９が作製される。
【０３０７】
次に、トランジスタ２３１８及び容量素子２３１９を覆って層間絶縁膜２３１２が形成
され、層間絶縁膜２３１２上にはコンタクトホールを介して不純物領域２３０５と接する
配線２３１３が形成されている。そして、配線２３１３に接して層間絶縁膜２３１２上に
は画素電極２３１４が形成され、画素電極２３１４の端部及び配線２３１３を覆って絶縁
物２３１５が形成されている。さらに、画素電極２３１４上に発光物質を含む層２３１６
及び対向電極２３１７が形成され、画素電極２３１４と対向電極２３１７とで発光物質を
含む層２３１６が挟まれた領域では発光素子２３２０が形成されている。
【０３０８】
また、半導体層にポリシリコン（ｐ−Ｓｉ：Ｈ）等の結晶性半導体膜を用いたボトムゲ
ート型のトランジスタを有する画素の部分断面を図２４に示す。
【０３０９】
基板２４０１上に下地膜２４０２が形成され、その上にゲート電極２４０３が形成され
ている。また、ゲート電極２４０３と同層に同じ材料からなる容量素子２４２３の第１の
電極２４０４が形成されている。
【０３１０】
また、ゲート電極２４０３及び第１の電極２４０４を覆うようにゲート絶縁膜２４０５
が形成されている。
【０３１１】
また、ゲート絶縁膜２４０５上に、半導体層が形成されている。なお、半導体膜は、非
晶質半導体、セミアモルファス半導体、微結晶半導体等の非結晶性半導体膜を熱結晶化法
、レーザー結晶化法、またはニッケルなどの触媒元素を用いた熱結晶化法等を用いて結晶
化し、所望の形状にパターニングして半導体層を形成する。
【０３１２】
なお、半導体層を用いてトランジスタ２４２２のチャネル形成領域２４０６、ＬＤＤ領
域２４０７及びソース領域又はドレイン領域となる不純物領域２４０８、並びに容量素子
２４２３の第２の電極となる領域２４０９、不純物領域２４１０及び不純物領域２４１１
が形成される。なお、不純物領域２４１０及び不純物領域２４１１は特に設けなくても良
い。また、チャネル形成領域２４０６及び領域２４０９は不純物が添加されていても良い
。
【０３１３】
なお、容量素子２４２３はゲート絶縁膜２４０５が第１の電極２４０４及び半導体層か
ら形成された領域２４０９等からなる第２の電極で挟まれた構成である。
【０３１４】
次に、半導体層を覆って第１の層間絶縁膜２４１２が形成され、第１の層間絶縁膜２４
１２上にコンタクトホールを介して不純物領域２４０８と接する配線２４１３が形成され
ている。
【０３１５】
また、第１の層間絶縁膜２４１２には開口部２４１５が形成されている。トランジスタ
２４２２、容量素子２４２３及び開口部２４１５を覆うように第２の層間絶縁膜２４１６
が形成され、第２の層間絶縁膜２４１６上にコンタクトホールを介して、配線２４１３と
接続された画素電極２４１７が形成されている。また、画素電極２４１７の端部を覆って
絶縁物２４１８が形成されている。そして、画素電極２４１７上に発光物質を含む層２４
１９及び対向電極２４２０が形成され、画素電極２４１７と対向電極２４２０とで発光物
質を含む層２４１９が挟まれた領域では発光素子２４２１が形成されている。なお、発光
素子２４２１の下部に開口部２４１５が位置している。つまり、発光素子２４２１からの
発光を基板側から取り出すときには第１の層間絶縁膜２４１２に開口部２４１５を有する
ため透過率を高めることができる。
【０３１６】
本発明の画素を構成するトランジスタの半導体層に結晶性半導体膜を用いることで、例
えば、図９における走査線駆動回路９１２及び信号線駆動回路９１１を画素部９１３と一
体形成することが容易になる。
【０３１７】
なお、半導体層に結晶性半導体膜を用いたトランジスタにおいても構造は上述したもの
に限られず、さまざまな構造をとることができる。なお、容量素子においても同様である
。また、本実施形態において、特に断りがない限り図１７における材料を適宜使用するこ
とができる。
【０３１８】
本実施形態で示したトランジスタは、実施の形態１乃至６に記載した画素において発光
素子に供給する電流値を制御するトランジスタとして利用することができる。よって、実
施の形態１乃至６に記載したように画素を動作させることで、トランジスタのしきい値電
圧のばらつきに起因した電流値のばらつきを抑制することができる。よって、輝度データ
に対応した電流を発光素子に供給することができ、輝度のばらつきを抑制することが可能
となる。また、対向電極の電位を一定として動作させるため消費電力を低くすることが可
能である。
【０３１９】
また、このような画素を図９の表示装置に適用することにより、各画素は自身のアドレ
ス期間を除き発光することが可能であるため、１フレーム期間における発光期間の割合（
即ち、デューティー比）を非常に大きくでき、おおむね１００％にすることもできる。よ
って、輝度のばらつきが少なくデューティー比が高い表示装置を得ることができる。
【０３２０】
また、しきい値電圧書き込み期間を長く設定することも可能であるため、発光素子に流
れる電流値を制御するトランジスタのしきい値電圧をより正確に容量素子に書き込むこと
ができる。よって、表示装置としての信頼性が向上する。
【０３２１】
（実施の形態８）
本実施形態では、実施の形態７に示した発光素子とは異なる構成を有する素子について
説明する。
【０３２２】
エレクトロルミネセンスを利用する発光素子は、発光材料が有機化合物であるか、無機
化合物であるかによって区別され、一般的に、前者は有機ＥＬ素子、後者は無機ＥＬ素子
と呼ばれている。
【０３２３】
無機ＥＬ素子は、その素子構成により、分散型無機ＥＬ素子と薄膜型無機ＥＬ素子とに
分類される。前者は、発光材料の粒子をバインダ中に分散させた発光層を有し、後者は、
発光材料の薄膜からなる発光層を有している点に違いはあるが、高電界で加速された電子
を必要とする点では共通である。なお、得られる発光のメカニズムとしては、ドナー準位
とアクセプター準位を利用するドナー−アクセプター再結合型発光と、金属イオンの内殻
電子遷移を利用する局在型発光とがある。一般的に、分散型無機ＥＬ素子ではドナー−ア
クセプター再結合型発光、薄膜型無機ＥＬ素子では局在型発光である場合が多い。
【０３２４】
本実施形態で使用される発光材料は、少なくとも母体材料と発光中心となる不純物元素
（発光物質とも言う）とで構成される。含有させる不純物元素を変化させることで、様々
な色の発光を得ることができる。発光材料の作製方法としては、固相法や液相法（共沈法
）などの様々な方法を用いることができる。また、噴霧熱分解法、複分解法、プレカーサ
ーの熱分解反応による方法、逆ミセル法やこれらの方法と高温焼成を組み合わせた方法、
凍結乾燥法などの液相法なども用いることができる。
【０３２５】
固相法は、母体材料と、不純物元素又は不純物元素を含む化合物を秤量し、乳鉢で混合
、電気炉で加熱、焼成を行い反応させ、母体材料に不純物元素を含有させる方法である。
焼成温度は、７００〜１５００℃が好ましい。温度が低すぎる場合は固相反応が進まず、
温度が高すぎる場合は母体材料が分解してしまうからである。なお、粉末状態で焼成を行
ってもよいが、ペレット状態で焼成を行うことが好ましい。比較的高温での焼成を必要と
するが、簡単な方法であるため、生産性がよく大量生産に適している。
【０３２６】
液相法（共沈法）は、母体材料又は母体材料を含む化合物と、不純物元素又は不純物元
素を含む化合物を溶液中で反応させ、乾燥させた後、焼成を行う方法である。発光材料の
粒子が均一に分布し、粒径が小さく低い焼成温度でも反応が進むことができる。
【０３２７】
発光材料に用いる母体材料としては、硫化物、酸化物、窒化物を用いることができる。
硫化物としては、例えば、硫化亜鉛（ＺｎＳ）、硫化カドミウム（ＣｄＳ）、硫化カルシ
ウム（ＣａＳ）、硫化イットリウム（Ｙ２Ｓ３）、硫化ガリウム（Ｇａ２Ｓ３）、硫化ス
トロンチウム（ＳｒＳ）、硫化バリウム（ＢａＳ）等を用いることができる。また、酸化
物としては、例えば、酸化亜鉛（ＺｎＯ）、酸化イットリウム（Ｙ２Ｏ３）等を用いるこ
とができる。また、窒化物としては、例えば、窒化アルミニウム（ＡｌＮ）、窒化ガリウ
ム（ＧａＮ）、窒化インジウム（ＩｎＮ）等を用いることができる。さらに、セレン化亜
鉛（ＺｎＳｅ）、テルル化亜鉛（ＺｎＴｅ）等も用いることができ、硫化カルシウム−ガ
リウム（ＣａＧａ２Ｓ４）、硫化ストロンチウム−ガリウム（ＳｒＧａ２Ｓ４）、硫化バ
リウム−ガリウム（ＢａＧａ２Ｓ４）等の３元系の混晶であってもよい。
【０３２８】
局在型発光の発光中心として、マンガン（Ｍｎ）、銅（Ｃｕ）、サマリウム（Ｓｍ）、
テルビウム（Ｔｂ）、エルビウム（Ｅｒ）、ツリウム（Ｔｍ）、ユーロピウム（Ｅｕ）、
セリウム（Ｃｅ）、プラセオジウム（Ｐｒ）などを用いることができる。なお、電荷補償
として、フッ素（Ｆ）、塩素（Ｃｌ）などのハロゲン元素が添加されていてもよい。
【０３２９】
一方、ドナー−アクセプター再結合型発光の発光中心として、ドナー準位を形成する第
１の不純物元素及びアクセプター準位を形成する第２の不純物元素を含む発光材料を用い
ることができる。第１の不純物元素は、例えば、フッ素（Ｆ）、塩素（Ｃｌ）、アルミニ
ウム（Ａｌ）等を用いることができる。第２の不純物元素としては、例えば、銅（Ｃｕ）
、銀（Ａｇ）等を用いることができる。
【０３３０】
ドナー−アクセプター再結合型発光の発光材料を固相法を用いて合成する場合、母体材
料と、第１の不純物元素又は第１の不純物元素を含む化合物と、第２の不純物元素又は第
２の不純物元素を含む化合物をそれぞれ秤量し、乳鉢で混合した後、電気炉で加熱、焼成
を行う。母体材料としては、上述した母体材料を用いることができ、第１の不純物元素又
は第１の不純物元素を含む化合物としては、例えば、フッ素（Ｆ）、塩素（Ｃｌ）、硫化
アルミニウム（Ａｌ２Ｓ３）等を用いることができ、第２の不純物元素又は第２の不純物
元素を含む化合物としては、例えば、銅（Ｃｕ）、銀（Ａｇ）、硫化銅（Ｃｕ２Ｓ）、硫
化銀（Ａｇ２Ｓ）等を用いることができる。焼成温度は、７００〜１５００℃が好ましい
。温度が低すぎる場合は固相反応が進まず、温度が高すぎる場合は母体材料が分解してし
まうからである。なお、粉末状態で焼成を行ってもよいが、ペレット状態で焼成を行うこ
とが好ましい。
【０３３１】
また、固相反応を利用する場合の不純物元素として、第１の不純物元素と第２の不純物
元素で構成される化合物を組み合わせて用いてもよい。この場合、不純物元素が拡散され
やすく、固相反応が進みやすくなるため、均一な発光材料を得ることができる。さらに、
余分な不純物元素が入らないため、純度の高い発光材料が得ることができる。第１の不純
物元素と第２の不純物元素で構成される化合物としては、例えば、塩化銅（ＣｕＣｌ）、
塩化銀（ＡｇＣｌ）等を用いることができる。
【０３３２】
なお、これらの不純物元素の濃度は、母体材料に対して０．０１〜１０ａｔｏｍ％であ
ればよく、好ましくは０．０５〜５ａｔｏｍ％の範囲である。
【０３３３】
薄膜型無機ＥＬ素子の場合、発光層は、上記発光材料を含む層であり、抵抗加熱蒸着法
、電子ビーム蒸着（ＥＢ蒸着）法等の真空蒸着法、スパッタリング法等の物理気相成長法
（ＰＶＤ）、有機金属ＣＶＤ法、ハイドライド輸送減圧ＣＶＤ法等の化学気相成長法（Ｃ
ＶＤ）、原子エピタキシ法（ＡＬＥ）等を用いて形成することができる。
【０３３４】
図４６（Ａ）乃至（Ｃ）に発光素子として用いることのできる薄膜型無機ＥＬ素子の一
例を示す。図４６（Ａ）乃至（Ｃ）において、発光素子は、第１の電極４６０１、発光層
４６０２、第２の電極４６０３を含む。
【０３３５】
図４６（Ｂ）及び図４６（Ｃ）に示す発光素子は、図４６（Ａ）の発光素子の電極と発
光層との間に絶縁層を設けた構造である。図４６（Ｂ）に示す発光素子は、第１の電極４
６０１と発光層４６０２との間に絶縁層４６０４を有し、図４６（Ｃ）に示す発光素子は
、第１の電極４６０１と発光層４６０２との間に絶縁層４６０４ａを、第２の電極４６０
３と発光層４６０３との間に絶縁層４６０４ｂを有している。このように絶縁層を発光層
を挟持する一対の電極のうちの一方と発光層との間にのみ設けてもよいし、両方の間に設
けてもよい。また、絶縁層は単層でもよいし複数層からなる積層でもよい。
【０３３６】
図４６（Ｂ）では第１の電極４６０１に接するように絶縁層４６０４が設けられている
が、絶縁層と発光層の順番を逆にして、第２の電極４６０３に接するように絶縁層４６０
４を設けてもよい。
【０３３７】
分散型無機ＥＬ素子の場合、粒子状の発光材料をバインダ中に分散させ膜状の発光層を
形成する。発光材料の作製方法によって、所望の大きさの粒子が得られない場合は、乳鉢
等で粉砕などによって粒子状に加工すればよい。バインダとは、粒状の発光材料を分散し
た状態で固定し、発光層としての形状に保持するための物質である。発光材料は、バイン
ダによって発光層中に均一に分散し固定される。
【０３３８】
分散型無機ＥＬ素子の場合、発光層の形成方法は、選択的に発光層を形成できる液滴吐
出法や、印刷法（スクリーン印刷やオフセット印刷など）、スピンコート法などの塗布法
、ディッピング法、ディスペンサ法などを用いることもできる。膜厚は特に限定されるこ
とはないが、好ましくは１０〜１０００ｎｍの範囲である。また、発光材料及びバインダ
を含む発光層において、発光材料の割合は５０ｗｔ％以上８０ｗｔ％以下とするよい。
【０３３９】
図４７（Ａ）乃至（Ｃ）に発光素子として用いることのできる分散型無機ＥＬ素子の一
例を示す。図４７（Ａ）における発光素子は、第１の電極４６０１、発光層４７０２、第
２の電極４６０３の積層構造を有し、発光層４７０２中にバインダによって保持された発
光材料４７１０を含む。
【０３４０】
本実施の形態に用いることのできるバインダとしては、絶縁性を有する有機材料や、無
機材料を用いることができる。なお、有機材料及び無機材料の混合材料を用いてもよい。
有機材料としては、シアノエチルセルロース系樹脂のように、比較的誘電率の高いポリマ
ーや、ポリエチレン、ポリプロピレン、ポリスチレン系樹脂、シリコーン樹脂、エポキシ
樹脂、フッ化ビニリデンなどの樹脂を用いることができる。また、芳香族ポリアミド、ポ
リベンゾイミダゾール（ｐｏｌｙｂｅｎｚｉｍｉｄａｚｏｌｅ）などの耐熱性高分子、又
はシロキサン樹脂を用いてもよい。なお、シロキサン樹脂とは、Ｓｉ−Ｏ−Ｓｉ結合を含
む樹脂に相当する。シロキサンは、シリコン（Ｓｉ）と酸素（Ｏ）との結合で骨格構造が
構成され、置換基として少なくとも水素を含む有機基（例えばアルキル基、アリール基）
が用いられる。この他、置換基としてフルオロ基を用いてもよい。また、置換基として少
なくとも水素を含む有機基と、フルオロ基とを用いてもよい。また、有機材料は上記の他
、ポリビニルアルコール、ポリビニルブチラールなどのビニル樹脂、フェノール樹脂、ノ
ボラック樹脂、アクリル樹脂、メラミン樹脂、ウレタン樹脂、オキサゾール樹脂（ポリベ
ンゾオキサゾール）等の樹脂材料を用いてもよい。これらの樹脂に、チタン酸バリウム（
ＢａＴｉＯ３）やチタン酸ストロンチウム（ＳｒＴｉＯ３）などの高誘電率の微粒子を適
度に混合して誘電率を調整することもできる。
【０３４１】
また、バインダに含まれる無機材料としては、酸化珪素（ＳｉＯｘ）、窒化珪素（Ｓｉ
Ｎｘ）、酸素及び窒素を含む珪素、窒化アルミニウム（ＡｌＮ）、酸素及び窒素を含むア
ルミニウムまたは酸化アルミニウム（Ａｌ２Ｏ３）、酸化チタン（ＴｉＯ２）、ＢａＴｉ
Ｏ３、ＳｒＴｉＯ３、チタン酸鉛（ＰｂＴｉＯ３）、ニオブ酸カリウム（ＫＮｂＯ３）、
ニオブ酸鉛（ＰｂＮｂＯ３）、酸化タンタル（Ｔａ２Ｏ５）、タンタル酸バリウム（Ｂａ
Ｔａ２Ｏ６）、タンタル酸リチウム（ＬｉＴａＯ３）、酸化イットリウム（Ｙ２Ｏ３）、
酸化ジルコニウム（ＺｒＯ２）、硫化亜鉛（ＺｎＳ）その他の無機材料を含む物質から選
ばれる材料で形成することができる。有機材料に、誘電率の高い無機材料を含ませる（添
加等によって）ことによって、発光材料及びバインダよりなる発光層の誘電率をより大き
くすることができる。
【０３４２】
作製工程において、発光材料はバインダを含む溶液中に分散されるが本実施の形態に用
いることのできるバインダを含む溶液の溶媒としては、バインダ材料が溶解し、発光層を
形成する方法（各種ウエットプロセス）及び所望の膜厚に適した粘度の溶液を作製できる
ような溶媒を適宜選択すればよい。有機溶媒等を用いることができ、例えばバインダとし
てシロキサン樹脂を用いる場合は、プロピレングリコールモノメチルエーテル、プロピレ
ングリコールモノメチルエーテルアセテート（ＰＧＭＥＡともいう）、３−メトシキ−３
メチル−１−ブタノール（ＭＭＢともいう）などを用いることができる。
【０３４３】
図４７（Ｂ）及び図４７（Ｃ）に示す発光素子は、図４７（Ａ）の発光素子の電極と発
光層間に絶縁層を設けた構造である。図４７（Ｂ）に示す発光素子は、第１の電極４６０
１と発光層４７０２との間に絶縁層４６０４を有し、図４７（Ｃ）に示す発光素子は、第
１の電極４６０１と発光層４７０２との間に絶縁層４６０４ａ、第２の電極４６０３と発
光層４７０２との間に絶縁層４６０４ｂとを有している。このように絶縁層を発光層を挟
持する一対の電極のうちの一方と発光層との間にのみ設けてもよいし、両方の間に設けて
もよい。また、絶縁層は単層でもよいし複数層からなる積層でもよい。
【０３４４】
図４７（Ｂ）では第１の電極４６０１に接するように絶縁層４６０４が設けられている
が、絶縁層と発光層の順序を逆にして、第２の電極４６０３に接するように絶縁層４６０
４を設けてもよい。
【０３４５】
図４６及び図４７における絶縁層４６０４、４６０４ａ、４６０４ｂは、特に限定され
ることはないが、絶縁耐性が高く、緻密な膜質であることが好ましく、さらには、誘電率
が高いことが好ましい。例えば、酸化シリコン（ＳｉＯ２）、酸化イットリウム（Ｙ２Ｏ
３）、酸化チタン（ＴｉＯ２）、酸化アルミニウム（Ａｌ２Ｏ３）、酸化ハフニウム（Ｈ
ｆＯ２）、酸化タンタル（Ｔａ２Ｏ５）、チタン酸バリウム（ＢａＴｉＯ３）、チタン酸
ストロンチウム（ＳｒＴｉＯ３）、チタン酸鉛（ＰｂＴｉＯ３）、窒化シリコン（Ｓｉ３
Ｎ４）、酸化ジルコニウム（ＺｒＯ２）等やこれらの混合膜又は２種以上の積層膜を用い
ることができる。これらの絶縁膜は、スパッタリング、蒸着、ＣＶＤ等により成膜するこ
とができる。また、絶縁層はこれら絶縁材料の粒子をバインダ中に分散して成膜してもよ
い。バインダ材料は、発光層に含まれるバインダと同様な材料、方法を用いて形成すれば
よい。膜厚は特に限定されることはないが、好ましくは１０〜１０００ｎｍの範囲である
。
【０３４６】
なお、第１の電極４６０１及び第２の電極４６０３には、金属、合金、導電性化合物、
及びこれらの混合物などを用いることができる。例えば、実施の形態７に記載した画素電
極１８０１及び対向電極１８０２に用いた材料を適宜選択して用いることができる。
【０３４７】
なお、本実施の形態で示す発光素子は、発光層を挟持する一対の電極間、すなわち第１
の電極４６０１及び第２の電極４６０３に電圧を印加することで発光が得られる。
【０３４８】
以上のようにして得られた無機ＥＬ素子は、実施の形態７における発光素子として用い
ることができる他、他の実施の形態とも自由に組み合わせることができる。
【０３４９】
（実施の形態９）
本実施の形態では、本発明の表示装置の一形態について図２５を用いて説明する。
【０３５０】
図２５（ａ）は、表示装置を示す上面図、図２５（ｂ）は図２５（ａ）中Ａ−Ａ’線断
面図（Ａ−Ａ’で切断した断面図）である。表示装置は、基板２５１０上に図中において
点線で示された信号線駆動回路２５０１、画素部２５０２、第１の走査線駆動回路２５０
３、第２の走査線駆動回路２５０６を有する。さらに、封止基板２５０４、シール材２５
０５を有し、これらで囲まれた表示装置の内側は、空間２５０７となっている。
【０３５１】
なお、配線２５０８は第１の走査線駆動回路２５０３、第２の走査線駆動回路２５０６
及び信号線駆動回路２５０１に入力される信号を伝送するための配線であり、外部入力端
子となるＦＰＣ（フレキシブルプリントサーキット）２５０９からビデオ信号、クロック
信号、スタート信号等を受け取る。ＦＰＣ２５０９と表示装置との接続部上にはＩＣチッ
プ（メモリ回路や、バッファ回路などが形成された半導体チップ）２５１８及び２５１９
がＣＯＧ（Ｃｈｉｐ  Ｏｎ  Ｇｌａｓｓ）等で実装されている。なお、ここではＦＰＣし
か図示していないが、このＦＰＣにはプリント配線基盤（ＰＷＢ）が取り付けられていて
もよい。本発明の表示装置とは、表示装置本体だけでなく、ＦＰＣもしくはＰＷＢが取り
付けられた状態も含むものとする。また、ＩＣチップなどが実装されたものを含むものと
する。
【０３５２】
断面構造について図２５（ｂ）を用いて説明する。基板２５１０上には画素部２５０２
とその周辺駆動回路（第１の走査線駆動回路２５０３、第２の走査線駆動回路２５０６及
び信号線駆動回路２５０１）が形成されているが、ここでは、信号線駆動回路２５０１と
、画素部２５０２が示されている。
【０３５３】
なお、信号線駆動回路２５０１はＮチャネル型トランジスタ２５２０、２５２１のよう
に同一導電型のトランジスタで構成されている。もちろん、Ｐチャネル型トランジスタや
同一導電型のトランジスタだけでなくＰチャネル型トランジスタも用いてＣＭＯＳ回路を
形成しても良い。また、本実施形態では、基板上に周辺駆動回路を一体形成した表示パネ
ルを示しているが、必ずしもその必要はなく、周辺駆動回路の全てもしくは一部をＩＣチ
ップなどに形成し、ＣＯＧなどで実装しても良い。
【０３５４】
画素部２５０２は、実施の形態１乃至６に記載した画素が用いられている。なお、図２
５（ｂ）にはスイッチとして機能するトランジスタ２５１１と、発光素子に供給する電流
値を制御するトランジスタ２５１２と、発光素子２５２８が示されている。なお、トラン
ジスタ２５１２の第１の電極は発光素子２５２８の画素電極２５１３と接続されている。
また、画素電極２５１３の端部を覆って絶縁物２５１４が形成されている。ここでは、絶
縁物２５１４はポジ型の感光性アクリル樹脂膜を用いることにより形成する。
【０３５５】
また、カバレッジを良好なものとするため、絶縁物２５１４の上端部または下端部に曲
率を有する曲面が形成されるようにする。例えば、絶縁物２５１４の材料としてポジ型の
感光性アクリルを用いた場合、絶縁物２５１４の上端部のみに曲率半径（０．２μｍ〜３
μｍ）を有する曲面を持たせることが好ましい。また、絶縁物２５１４として、感光性の
光によってエッチャントに不溶解性となるネガ型、或いは光によってエッチャントに溶解
性となるポジ型のいずれも使用することができる。
【０３５６】
また、画素電極２５１３上には、発光物質を含む層２５１６および対向電極２５１７が
形成される。発光物質を含む層２５１６には、少なくとも発光層が設けられていれば、そ
の他の層については特には限定されず、適宜選択することができる。
【０３５７】
さらにシール材２５０５を用いて封止基板２５０４と基板２５１０とを貼り合わせるこ
とにより、基板２５１０、封止基板２５０４、およびシール材２５０５で囲まれた空間２
５０７に発光素子２５２８が備えられた構造になっている。なお、空間２５０７には、不
活性気体（窒素やアルゴン等）が充填される場合の他、シール材２５０５で充填される構
成も含むものとする。
【０３５８】
なお、シール材２５０５にはエポキシ系樹脂を用いることが好ましい。また、これらの
材料はできるだけ水分や酸素を透過しない材料であることが望ましい。封止基板２５０４
に用いる材料としては、ガラス基板や石英基板の他、ＦＲＰ（Ｆｉｂｅｒｇｌａｓｓ−Ｒ
ｅｉｎｆｏｒｃｅｄ  Ｐｌａｓｔｉｃｓ）、ＰＶＦ（ポリビニルフロライド）、ポリエス
テルまたはアクリル等からなるプラスチック基板を用いることができる。
【０３５９】
画素部２５０２に実施の形態１乃至６に記載した画素を用い動作させることで、画素間
もしくは画素における経時的な輝度のばらつきを抑制することができ、さらにデューティ
ー比が高い高品質な表示装置を得ることができる。また、本発明では、対向電極の電位を
一定とし動作させるため消費電力を低くすることが可能である。
【０３６０】
図２５示すように、信号線駆動回路２５０１、画素部２５０２、第１の走査線駆動回路
２５０３及び第２の走査線駆動回路２５０６を一体形成することで、表示装置の低コスト
化が図れる。また、この場合において、信号線駆動回路２５０１、画素部２５０２、第１
の走査線駆動回路２５０３及び第２の走査線駆動回路２５０６に用いられるトランジスタ
を同一導電型とすることで作製工程の簡略化が図れるためさらなる低コスト化を図ること
ができる。
【０３６１】
以上のようにして、本発明の表示装置を得ることができる。なお、上述した構成は一例
であって本発明の表示装置の構成はこれに限定されない。
【０３６２】
なお、表示装置の構成としては、図２６に示すように信号線駆動回路２６０１をＩＣチ
ップ上に形成して、ＣＯＧ等で表示装置に実装した構成としても良い。なお、図２６（ａ
）における基板２６００、画素部２６０２、第１の走査線駆動回路２６０３、第２の走査
線駆動回路２６０４、ＦＰＣ２６０５、ＩＣチップ２６０６、ＩＣチップ２６０７、封止
基板２６０８、シール材２６０９はそれぞれ図２５（ａ）における基板２５１０、画素部
２５０２、第１の走査線駆動回路２５０３、第２の走査線駆動回路２５０６、ＦＰＣ２５
０９、ＩＣチップ２５１８、ＩＣチップ２５１９、封止基板２５０４、シール材２５０５
に相当する。
【０３６３】
つまり、駆動回路の高速動作が要求される信号線駆動回路のみを、ＣＭＯＳ等を用いて
ＩＣチップに形成し、低消費電力化を図る。また、ＩＣチップはシリコンウエハ等の半導
体チップとすることで、より高速動作且つ低消費電力化を図ることが可能である。
【０３６４】
なお、第１の走査線駆動回路２６０３や第２の走査線駆動回路２６０４を画素部２６０
２と一体形成することで、低コスト化が図れる。そして、この第１の走査線駆動回路２６
０３、第２の走査線駆動回路２６０４及び画素部２６０２は同一導電型のトランジスタで
構成することでさらなる低コスト化が図れる。そのとき、第１の走査線駆動回路２６０３
及び第２の走査線駆動回路２６０４にブートトラップ回路を用いることにより出力電位が
低くなってしまうことを防止することができる。また、第１の走査線駆動回路２６０３及
び第２の走査線駆動回路２６０４を構成するトランジスタの半導体層にアモルファスシリ
コンを用いた場合、劣化によりしきい値電圧が変動するため、これを補正する機能を有す
ることが好ましい。
【０３６５】
なお、画素部２６０２に実施の形態１乃至６に記載した画素を用い動作させることで、
画素間もしくは画素における経時的な輝度のばらつきを抑制することができ、さらにデュ
ーティー比が高い高品質な表示装置を得ることができる。また、本発明では、対向電極の
電位を一定とし動作させるため消費電力を低くすることが可能である。また、ＦＰＣ２６
０５と基板２６００との接続部において機能回路（メモリやバッファ）が形成されたＩＣ
チップを実装することで基板面積を有効利用することができる。
【０３６６】
また、図２５（ａ）の信号線駆動回路２５０１、第１の走査線駆動回路２５０３及び第
２の走査線駆動回路２５０６に相当する信号線駆動回路２６１１、第１の走査線駆動回路
２６１３及び第２の走査線駆動回路２６１４を、図２６（ｂ）に示すようにＩＣチップ上
に形成して、ＣＯＧ等で表示パネルに実装した構成としても良い。なお、図２６（ｂ）に
おける基板２６１０、画素部２６１２、ＦＰＣ２６１５、ＩＣチップ２６１６、ＩＣチッ
プ２６１７、封止基板２６１８、シール材２６１９はそれぞれ図２５（ａ）における基板
２５１０、画素部２５０２、ＦＰＣ２５０９、ＩＣチップ２５１８、ＩＣチップ２５１９
、封止基板２５０４、シール材２５０５に相当する。
【０３６７】
また、画素部２６１２のトランジスタの半導体層に非結晶性の半導体膜、例えばアモル
ファスシリコン（ａ−Ｓｉ：Ｈ）を用いることにより低コスト化を図ることができる。さ
らに、大型の表示パネルを作製することも可能となる。
【０３６８】
また、画素の行方向及び列方向に第１の走査線駆動回路、第２の走査線駆動回路及び信
号線駆動回路を設けなくても良い。例えば、図２７（ａ）に示すようにＩＣチップ上に形
成された周辺駆動回路２７０１が図２６（ｂ）に示す第１の走査線駆動回路２６１３、第
２の走査線駆動回路２６１４及び信号線駆動回路２６１１の機能を有するようにしても良
い。なお、図２７（ａ）における基板２７００、画素部２７０２、ＦＰＣ２７０４、ＩＣ
チップ２７０５、ＩＣチップ２７０６、封止基板２７０７、シール材２７０８はそれぞれ
図２５（ａ）の基板２５１０、画素部２５０２、ＦＰＣ２５０９、ＩＣチップ２５１８、
ＩＣチップ２５１９、封止基板２５０４、シール材２５０５に相当する。
【０３６９】
なお、図２７（ａ）の表示装置の配線の接続を説明する模式図を図２７（ｂ）に示す。
なお、図２７（ｂ）には、基板２７１０、周辺駆動回路２７１１、画素部２７１２、ＦＰ
Ｃ２７１３、ＦＰＣ２７１４が図示されている。
【０３７０】
ＦＰＣ２７１３及びＦＰＣ２７１４は周辺駆動回路２７１１に外部からの信号及び電源
電位を入力する。そして、周辺駆動回路２７１１からの出力は、画素部２７１２の有する
画素に接続された行方向及び列方向の配線に入力される。
【０３７１】
また、発光素子に白色の発光素子を用いる場合、封止基板にカラーフィルターを設ける
ことでフルカラー表示を実現することができる。このような表示装置にも本発明を適用す
ることが可能である。図２８に、画素部の部分断面図の一例を示す。
【０３７２】
図２８に示すように、基板２８００上に下地膜２８０２が形成され、その上に発光素子
に供給する電流値を制御するトランジスタ２８０１が形成され、トランジスタ２８０１の
第１の電極に接して画素電極２８０３が形成され、その上に発光物質を含む層２８０４と
対向電極２８０５が形成されている。
【０３７３】
なお、画素電極２８０３と対向電極２８０５とで発光物質を含む層２８０４が挟まれて
いるところが発光素子となる。なお、図２８においては白色光を発光するものとする。そ
して、発光素子の上部には赤色のカラーフィルター２８０６Ｒ、緑色のカラーフィルター
２８０６Ｇ、青色のカラーフィルター２８０６Ｂが設けられており、フルカラー表示を行
うことができる。また、これらのカラーフィルターを隔離するためにブラックマトリクス
（ＢＭともいう）２８０７が設けられている。
【０３７４】
本実施形態の表示装置は実施の形態１乃至６だけではなく、実施の形態７または８に記
載した構成とも適宜組み合わせることが可能である。また、表示装置の構成は上記に限ら
ず、本発明を他の構成の表示装置においても適用することができる。
【０３７５】
（実施の形態１０）
本発明の表示装置は様々な電子機器に適用することができる。具体的には、電子機器の
表示部に適用することができる。なお、電子機器として、ビデオカメラやデジタルカメラ
等のカメラ、ゴーグル型ディスプレイ、ナビゲーションシステム、音響再生装置（カーオ
ーディオ、オーディオコンポ等）、コンピュータ、ゲーム機器、携帯情報端末（モバイル
コンピュータ、携帯電話、携帯型ゲーム機又は電子書籍等）、記録媒体を備えた画像再生
装置（具体的にはＤｉｇｉｔａｌ  Ｖｅｒｓａｔｉｌｅ  Ｄｉｓｃ（ＤＶＤ）等の記録媒
体を再生し、その画像を表示しうるディスプレイを備えた装置）などが挙げられる。
【０３７６】
図３３（Ａ）はディスプレイであり、筐体３３０１、支持台３３０２、表示部３３０３
、スピーカー部３３０４、ビデオ入力端子３３０５等を含む。
【０３７７】
なお、表示部３３０３には実施の形態１乃至６に記載した画素が用いられている。本発
明により、画素間もしくは画素における経時的な輝度のばらつきを抑制することができ、
さらにデューティー比が高い高品質な表示部を有するディスプレイを得ることができる。
また、本発明では、対向電極の電位を一定とし動作させるため消費電力を低くすることが
可能である。なお、ディスプレイは、パーソナルコンピュータ用、テレビジョン放送受信
用、広告表示用などの全ての情報表示用表示装置が含まれる。
【０３７８】
なお、近年、ディスプレイの大型化のニーズが強くなっているなか、ディスプレイの大
型化に伴い価格の上昇が問題となっている。そのため、いかに製造コストの削減を図り、
高品質な製品を少しでも低価格に抑えるかが課題となる。
【０３７９】
本発明の画素は、同一導電型のトランジスタで作製することができるため、工程数を減
らし製造コストを削減することができる。また、画素を構成するトランジスタの半導体層
に非結晶性の半導体膜、例えばアモルファスシリコン（ａ−Ｓｉ：Ｈ）を用いることで、
工程を簡略化し、さらなるコストダウンが図れる。この場合には、画素部周辺の駆動回路
をＩＣチップ上に形成し、ＣＯＧ（Ｃｈｉｐ  Ｏｎ  Ｇｌａｓｓ）等で表示パネルに実装
すると良い。なお、動作速度の高い信号線駆動回路はＩＣチップ上に形成し、比較的動作
速度の低い走査線駆動回路は画素部と共に同一導電型のトランジスタで構成される回路で
一体形成しても良い。
【０３８０】
図３３（Ｂ）はカメラであり、本体３３１１、表示部３３１２、受像部３３１３、操作
キー３３１４、外部接続ポート３３１５、シャッター３３１６等を含む。
【０３８１】
なお、表示部３３１２には実施の形態１乃至６に記載した画素が用いられている。本発
明により、画素間もしくは画素における経時的な輝度のばらつきを抑制することができ、
さらにデューティー比が高い高品質な表示部を有するカメラを得ることができる。また、
本発明では、対向電極の電位を一定とし動作させるため消費電力を低くすることが可能で
ある。
【０３８２】
また、近年、デジタルカメラなどの高性能化に伴い、生産競争は激化している。そして
、高性能なものをいかに低価格に抑えるかが重要となる。
【０３８３】
本発明の画素は、同一導電型のトランジスタで作製することができるため、工程数を減
らし製造コストを削減することができる。また、画素を構成するトランジスタの半導体層
に非結晶性の半導体膜、例えばアモルファスシリコン（ａ−Ｓｉ：Ｈ）を用いることで、
工程を簡略化し、さらなるコストダウンが図れる。この場合には、画素部周辺の駆動回路
をＩＣチップ上に形成し、ＣＯＧ等で表示パネルに実装すると良い。なお、動作速度の高
い信号線駆動回路はＩＣチップ上に形成し、比較的動作速度の低い走査線駆動回路は画素
部と共に同一導電型のトランジスタで構成される回路で一体形成しても良い。
【０３８４】
図３３（Ｃ）はコンピュータであり、本体３３２１、筐体３３２２、表示部３３２３、
キーボード３３２４、外部接続ポート３３２５、ポインティングデバイス３３２６等を含
む。なお、表示部３３２３には実施の形態１乃至６に記載した画素が用いられている。本
発明により、画素間もしくは画素における経時的な輝度のばらつきを抑制することができ
、さらにデューティー比が高い高品質な表示部を有するコンピュータを得ることができる
。また、本発明では、対向電極の電位を一定とし動作させるため消費電力を低くすること
が可能である。また、画素部を構成するトランジスタに同一導電型のトランジスタやトラ
ンジスタの半導体層に非結晶性の半導体膜を用いることで低コスト化を図ることができる
。
【０３８５】
図３３（Ｄ）はモバイルコンピュータであり、本体３３３１、表示部３３３２、スイッ
チ３３３３、操作キー３３３４、赤外線ポート３３３５等を含む。なお、表示部３３３２
には実施の形態１乃至６に記載した画素が用いられている。本発明により、画素間もしく
は画素における経時的な輝度のばらつきを抑制することができ、さらにデューティー比が
高い高品質な表示部を有するモバイルコンピュータを得ることができる。また、本発明で
は、対向電極の電位を一定とし動作させるため消費電力を低くすることが可能である。ま
た、画素部を構成するトランジスタに同一導電型のトランジスタやトランジスタの半導体
層に非結晶性の半導体膜を用いることで低コスト化を図ることができる。
【０３８６】
図３３（Ｅ）は記録媒体を備えた携帯型の画像再生装置（具体的にはＤＶＤ再生装置）
であり、本体３３４１、筐体３３４２、表示部Ａ３３４３、表示部Ｂ３３４４、記録媒体
（ＤＶＤ等）読み込み部３３４５、操作キー３３４６、スピーカー部３３４７等を含む。
表示部Ａ３３４３は主として画像情報を表示し、表示部Ｂ３３４４は主として文字情報を
表示することができる。なお、表示部Ａ３３４３や表示部Ｂ３３４４には実施の形態１乃
至６に記載した画素が用いられている。本発明により、画素間もしくは画素における経時
的な輝度のばらつきを抑制することができ、さらにデューティー比が高い高品質な表示部
を有する画像再生装置を得ることができる。また、本発明では、対向電極の電位を一定と
し動作させるため消費電力を低くすることが可能である。また、画素部を構成するトラン
ジスタに同一導電型のトランジスタやトランジスタの半導体層に非結晶性の半導体膜を用
いることで低コスト化を図ることができる。
【０３８７】
図３３（Ｆ）はゴーグル型ディスプレイであり、本体３３５１、表示部３３５２、アー
ム部３３５３を含む。なお、表示部３３５２には実施の形態１乃至６に記載した画素が用
いられている。本発明により、画素間もしくは画素における経時的な輝度のばらつきを抑
制することができ、さらにデューティー比が高い高品質な表示部を有するゴーグル型ディ
スプレイを得ることができる。また、本発明では、対向電極の電位を一定とし動作させる
ため消費電力を低くすることが可能である。また、画素部を構成するトランジスタに同一
導電型のトランジスタやトランジスタの半導体層に非結晶性の半導体膜を用いることで低
コスト化を図ることができる。
【０３８８】
図３３（Ｇ）はビデオカメラであり、本体３３６１、表示部３３６２、筐体３３６３、
外部接続ポート３３６４、リモコン受信部３３６５、受像部３３６６、バッテリー３３６
７、音声入力部３３６８、操作キー３３６９、接眼部３３６０等を含む。なお、表示部３
３６２には実施の形態１乃至６に記載した画素が用いられている。本発明により、画素間
もしくは画素における経時的な輝度のばらつきを抑制することができ、さらにデューティ
ー比が高い高品質な表示部を有するビデオカメラを得ることができる。また、本発明では
、対向電極の電位を一定とし動作させるため消費電力を低くすることが可能である。また
、画素部を構成するトランジスタに同一導電型のトランジスタやトランジスタの半導体層
に非結晶性の半導体膜を用いることで低コスト化を図ることができる。
【０３８９】
図３３（Ｈ）は携帯電話機であり、本体３３７１、筐体３３７２、表示部３３７３、音
声入力部３３７４、音声出力部３３７５、操作キー３３７６、外部接続ポート３３７７、
アンテナ３３７８等を含む。なお、表示部３３７３には実施の形態１乃至６に記載した画
素が用いられている。本発明により、画素間もしくは画素における経時的な輝度のばらつ
きを抑制することができ、さらにデューティー比が高い高品質な表示部を有する携帯電話
機を得ることができる。また、本発明では、対向電極の電位を一定とし動作させるため消
費電力を低くすることが可能である。また、画素部を構成するトランジスタに同一導電型
のトランジスタやトランジスタの半導体層に非結晶性の半導体膜を用いることで低コスト
化を図ることができる。
【０３９０】
このように本発明は、あらゆる電子機器に適用することが可能である。
【０３９１】
（実施の形態１１）
本実施の形態において、本発明の表示装置を表示部に有する携帯電話の構成例について図
３４を用いて説明する。
【０３９２】
表示パネル３４１０はハウジング３４００に脱着自在に組み込まれる。ハウジング３４
００は表示パネル３４１０のサイズに合わせて、形状や寸法を適宜変更することができる
。表示パネル３４１０を固定したハウジング３４００はプリント基板３４０１に嵌入され
モジュールとして組み立てられる。
【０３９３】
表示パネル３４１０はＦＰＣ３４１１を介してプリント基板３４０１に接続される。プ
リント基板３４０１には、スピーカー３４０２、マイクロフォン３４０３、送受信回路３
４０４、ＣＰＵ及びコントローラなどを含む信号処理回路３４０５が形成されている。こ
のようなモジュールと、入力手段３４０６、バッテリ３４０７を組み合わせ、筐体３４０
９及び筐体３４１２に収納する。なお、表示パネル３４１０の画素部は筐体３４１２に形
成された開口窓から視認できように配置する。
【０３９４】
表示パネル３４１０は、画素部と一部の周辺駆動回路（複数の駆動回路のうち動作周波
数の低い駆動回路）をトランジスタを用いて基板上に一体形成し、他の一部の周辺駆動回
路（複数の駆動回路のうち動作周波数の高い駆動回路）をＩＣチップ上に形成し、そのＩ
ＣチップをＣＯＧ（Ｃｈｉｐ  Ｏｎ  Ｇｌａｓｓ）で表示パネル３４１０に実装しても良
い。あるいは、そのＩＣチップをＴＡＢ（Ｔａｐｅ  Ａｕｔｏｍａｔｅｄ  Ｂｏｎｄｉｎ
ｇ）やプリント基板を用いてガラス基板と接続してもよい。また、全ての周辺駆動回路を
ＩＣチップ上に形成し、そのＩＣチップをＣＯＧなどで表示パネルに実装しても良い。
【０３９５】
なお、画素部には、実施の形態１乃至６に記載した画素を用いる。本発明により、画素
間もしくは画素における経時的な輝度のばらつきを抑制することができ、さらにデューテ
ィー比が高い高品質な表示部を有する表示パネル３４１０を得ることができる。また、本
発明では、対向電極の電位を一定とし動作させるため消費電力を低くすることが可能であ
る。また、画素部を構成するトランジスタに同一導電型のトランジスタやトランジスタの
半導体層に非結晶性の半導体膜を用いることで低コスト化を図ることができる。
【０３９６】
また、本実施形態に示した構成は携帯電話の一例であって、このような構成の携帯電話
に限られず様々な構成の携帯電話に適用することができる。
【０３９７】
（実施の形態１２）
本実施形態では、表示パネルと、回路基板を組み合わせたＥＬモジュールについて図３
５及び図３６を用いて説明する。
【０３９８】
図３５に示すように、表示パネル３５０１は画素部３５０３、走査線駆動回路３５０４
及び信号線駆動回路３５０５を有している。回路基板３５０２には、例えば、コントロー
ル回路３５０６や信号分割回路３５０７などが形成されている。なお、表示パネル３５０
１と回路基板３５０２は接続配線３５０８によって接続されている。接続配線３５０８に
はＦＰＣ等を用いることができる。
【０３９９】
表示パネル３５０１は、画素部と一部の周辺駆動回路（複数の駆動回路のうち動作周波
数の低い駆動回路）をトランジスタを用いて基板上に一体形成し、他の一部の周辺駆動回
路（複数の駆動回路のうち動作周波数の高い駆動回路）をＩＣチップ上に形成し、そのＩ
ＣチップをＣＯＧ（Ｃｈｉｐ  Ｏｎ  Ｇｌａｓｓ）で表示パネル３５０１に実装しても良
い。あるいは、そのＩＣチップをＴＡＢ（Ｔａｐｅ  Ａｕｔｏｍａｔｅｄ  Ｂｏｎｄｉｎ
ｇ）やプリント基板を用いてガラス基板と接続してもよい。また、全ての周辺駆動回路を
ＩＣチップ上に形成し、そのＩＣチップをＣＯＧなどで表示パネルに実装しても良い。
【０４００】
なお、画素部には、実施の形態１乃至６に記載した画素を用いる。本発明により、画素
間もしくは画素における経時的な輝度のばらつきを抑制することができ、さらにデューテ
ィー比が高い高品質な表示パネル３５０１を得ることができる。また、本発明では、対向
電極の電位を一定とし動作させるため消費電力を低くすることが可能である。また、画素
部を構成するトランジスタに同一導電型のトランジスタやトランジスタの半導体層に非結
晶性の半導体膜を用いることで低コスト化を図ることができる。
【０４０１】
このようなＥＬモジュールによりＥＬテレビ受像機を完成させることができる。図３６
は、ＥＬテレビ受像機の主要な構成を示すブロック図である。チューナ３６０１は映像信
号と音声信号を受信する。映像信号は、映像信号増幅回路３６０２と、そこから出力され
る信号を赤、緑、青の各色に対応した色信号に変換する映像信号処理回路３６０３と、そ
の映像信号を駆動回路の入力仕様に変換するためのコントロール回路３５０６により処理
される。コントロール回路３５０６は、走査線側と信号線側にそれぞれ信号を出力する。
デジタル駆動する場合には、信号線側に信号分割回路３５０７を設け、入力デジタル信号
をｍ個に分割して供給する構成としても良い。
【０４０２】
チューナ３６０１で受信した信号のうち、音声信号は音声信号増幅回路３６０４に送ら
れ、その出力は音声信号処理回路３６０５を経てスピーカー３６０６に供給される。制御
回路３６０７は受信局（受信周波数）や音量の制御情報を入力部３６０８から受け、チュ
ーナ３６０１や音声信号処理回路３６０５に信号を送出する。
【０４０３】
実施の形態１０に記載した図３３（Ａ）の筐体３３０１に、図３５のＥＬモジュールを
組みこんで、テレビ受像機を完成させることができる。
【０４０４】
もちろん、本発明はテレビ受像機に限定されず、パーソナルコンピュータのモニタをは
じめ、鉄道の駅や空港などにおける情報表示盤や、街頭における広告表示盤など特に大面
積の表示媒体として様々な用途に適用することができる。
【符号の説明】
【０４０５】
１１０    トランジスタ
１１１    第１のスイッチ
１１２    第２のスイッチ
１１３    第３のスイッチ
１１４    第４のスイッチ
１１５    容量素子
１１６    発光素子
１１７    信号線
１１８    第１の走査線
１１９    第２の走査線
１２０    第３の走査線
１２１    第４の走査線
１２２    電源線
１２３    電位供給線
１２４    対向電極
５１１    第１のスイッチングトランジスタ
５１２    第２のスイッチングトランジスタ
５１３    第３のスイッチングトランジスタ
５１４    第４のスイッチングトランジスタ
６１１    信号線駆動回路
６１２    走査線駆動回路
６１３    画素部
６１４    第４のスイッチ
７１４    第４のスイッチ
８１４    第４のスイッチ
９１１    信号線駆動回路
９１２    走査線駆動回路
９１３    画素部
９１４    画素
１１１３    整流素子
１１２０    第３の走査線
１１５１    ショットキー・バリア型ダイオード
１１５２    ＰＩＮ型ダイオード
１１５３    ＰＮ型ダイオード
１１５４    トランジスタ
１１５５    トランジスタ
１２００    画素
１２１８    第１の走査線
１３００    画素
１３１９    第２の走査線
１４００    画素
１４２０    第３の走査線
１５００    画素
１５２１    第４の走査線
１６１５    ゲート容量
１６４０    画素電極
２９１０    トランジスタ
３０１０    トランジスタ
３１０１    トランジスタ
３１０２    トランジスタ
３１０３    第５のスイッチ
３１０４    第６のスイッチ
３１１１    第１のスイッチ
３１１２    第２のスイッチ
３１１３    第３のスイッチ
３１１４    第４のスイッチ
３１１５    容量素子
３１１６    発光素子
３１１７    信号線
３１１８    第１の走査線
３１１９    第２の走査線
３１２０    第３の走査線
３１２１    第４の走査線
３１２２    電源線
３１２３    電位供給線
３１２４    対向電極
３９１０    トランジスタ
３９１１    第１のスイッチ
３９１２    第２のスイッチ
３９１３    第３のスイッチ
３９１４    第４のスイッチ
３９１５    容量素子
３９１６    発光素子
３９１７    信号線
３９１８    第１の走査線
３９１９    第２の走査線
３９２０    第３の走査線
３９２１    第４の走査線
３９２２    電源線
３９２３    電位供給線
３９２４    対向電極
【図１】
2020013147.tif 000013
【図２】
2020013147.tif 000014
【図３】
2020013147.tif 000015
【図４】
2020013147.tif 000016
【図５】
2020013147.tif 000017
【図６】
2020013147.tif 000018
【図７】
2020013147.tif 000019
【図８】
2020013147.tif 000020
【図９】
2020013147.tif 000021
【図１０】
2020013147.tif 000022
【図１１】
2020013147.tif 000023
【図１２】
2020013147.tif 000024
【図１３】
2020013147.tif 000025
【図１４】
2020013147.tif 000026
【図１５】
2020013147.tif 000027
【図１６】
2020013147.tif 000028
【図１７】
2020013147.tif 000029
【図１８】
2020013147.tif 000030
【図１９】
2020013147.tif 000031
【図２０】
2020013147.tif 000032
【図２１】
2020013147.tif 000033
【図２２】
2020013147.tif 000034
【図２３】
2020013147.tif 000035
【図２４】
2020013147.tif 000036
【図２５】
2020013147.tif 000037
【図２６】
2020013147.tif 000038
【図２７】
2020013147.tif 000039
【図２８】
2020013147.tif 000040
【図２９】
2020013147.tif 000041
【図３０】
2020013147.tif 000042
【図３１】
2020013147.tif 000043
【図３２】
2020013147.tif 000044
【図３３】
2020013147.tif 000045
【図３４】
2020013147.tif 000046
【図３５】
2020013147.tif 000047
【図３６】
2020013147.tif 000048
【図３７】
2020013147.tif 000049
【図３８】
2020013147.tif 000050
【図３９】
2020013147.tif 000051
【図４０】
2020013147.tif 000052
【図４１】
2020013147.tif 000053
【図４２】
2020013147.tif 000054
【図４３】
2020013147.tif 000055
【図４４】
2020013147.tif 000056
【図４５】
2020013147.tif 000057
【図４６】
2020013147.tif 000058
【図４７】
2020013147.tif 000059
【図４８】
2020013147.tif 000060
【図４９】
2020013147.tif 000061
【図５０】
2020013147.tif 000062
【図５１】
2020013147.tif 000063
【図５２】
2020013147.tif 000064
【図５３】
2020013147.tif 000065